(57)【要約】【課題】可動ミラーを含むとともに被写体像を電子ビューファインダでライブビュー表示する際に、その操作性を向上させる。【解決手段】撮像光学系で形成された被写体像を撮像して画像データを生成する撮像素子（ＣＭＯＳセンサ１３０）と、撮像素子で生成された画像データ又はその画像データに所定の処理を施した画像データを表示する表示部（液晶モニタ）と、撮像素子で生成された画像データ又はその画像データに所定の処理を施した画像データをリアルタイムで動画像として表示部に表示するよう制御するライブビューモードを有する制御部（マイコン１１０）と、を備えている。制御部は、交換レンズ２００が装着されて、ライブビューモードが設定されている状態において、装着されている交換レンズ２００を取り外すと、ライブビューモードから抜けて可動ミラー１２１ａ及び１２１ｂを撮像光学系の光路内に進入させるよう制御する。【選択図】図２
2010020341.tif 000002
【特許請求の範囲】
【請求項１】
被写体像を光学式ビューファインダへと導くために撮像光学系の光路内に対して進退自在に配設される可動ミラーを有し、交換レンズを着脱可能なカメラボディであって、
前記撮像光学系で形成された被写体像を撮像して画像データを生成する撮像素子と、
前記撮像素子で生成された画像データ又はその画像データに所定の処理を施した画像データを表示する表示部と、
前記撮像素子で生成された画像データ又はその画像データに所定の処理を施した画像データを、リアルタイムで動画像として前記表示部に表示するよう制御するライブビューモードを有する制御部と、を備え、
前記制御部は、
交換レンズが装着されて、ライブビューモードが設定されている状態において、前記装着されている交換レンズを取り外すと、ライブビューモードから抜けて前記可動ミラーを前記撮像光学系の光路内に進入させるよう制御する、
カメラボディ。
【請求項２】
請求項１に記載のカメラボディと交換レンズとからなる、カメラシステム。
【請求項３】
被写体像を光学式ビューファインダへと導くために撮像光学系の光路内に対して進退自在に配設される可動ミラーを有し、交換レンズを着脱可能なカメラボディの制御方法であって、
交換レンズが装着されて、前記撮像光学系で形成された被写体像を撮像して画像データを生成し、前記生成された画像データ又はその画像データに所定の処理を施した画像データをリアルタイムで動画像として表示するよう制御するライブビューモードが設定されている状態において、
前記装着されている交換レンズを取り外すと、ライブビューモードから抜けて前記可動ミラーを前記撮像光学系の光路内に進入させるよう制御する、
カメラボディの制御方法。
【発明の詳細な説明】
【技術分野】
【０００１】
本発明は、カメラボディ、カメラシステム、カメラボディの制御方法に関する。特に、可動ミラーを含むとともに被写体像を電子ビューファインダで観察できるカメラボディ、カメラシステム、カメラボディの制御方法に関する。
【背景技術】
【０００２】
デジタル一眼レフカメラは、電子ビューファインダと光学式ビューファインダとを備えるため、撮像光学系により形成された被写体像を可動ミラーで切り替えて、光学式ビューファインダで観察可能である。そのため、記録画像における被写体像と光学式ビューファインダに表示される被写体像との間でずれが発生せず、撮像操作を良好に行うことができる。
【０００３】
ところが、デジタル一眼レフカメラは、動作状態に応じて可動ミラーを切り替える必要がある。そのため、ユーザによる手動操作を要し、それに要する時間を確保する必要がある。特に、撮像素子で生成されたリアルタイムの画像を表示部に表示させる「ライブビューモード」を備えるカメラでは、オートフォーカス動作、絞りの調整動作、および撮像動作に伴って、可動ミラーを頻繁に切り替える必要がある。
【０００４】
ライブビューモードを備えるデジタル一眼レフカメラは、例えば、特許文献１に開示されている。
【先行技術文献】
【特許文献】
【０００５】
【特許文献１】特開２００１−２７２５９３号公報
【発明の概要】
【発明が解決しようとする課題】
【０００６】
しかしながら特許文献１に開示されているデジタル一眼レフカメラでは、可動ミラーの切り替えに伴う操作性について十分に改善を行っていない。そのため、折角ライブビューモードを実行可能にしても、ユーザにとっては使いにくく、結局光学式ビューファインダで画像を観察しながら撮像することとなっていた。
【０００７】
そこで、本発明は、可動ミラーを含むとともに被写体像を電子ビューファインダでライブビュー表示する際に、その操作性を向上させることを目的とする。
【課題を解決するための手段】
【０００８】
本発明のカメラボディは、被写体像を光学式ビューファインダへと導くために撮像光学系の光路内に対して進退自在に配設される可動ミラーを有し、交換レンズを着脱可能なカメラボディであって、前記撮像光学系で形成された被写体像を撮像して画像データを生成する撮像素子と、前記撮像素子で生成された画像データ又はその画像データに所定の処理を施した画像データを表示する表示部と、前記撮像素子で生成された画像データ又はその画像データに所定の処理を施した画像データを、リアルタイムで動画像として前記表示部に表示するよう制御するライブビューモードを有する制御部と、を備え、前記制御部は、交換レンズが装着されて、ライブビューモードが設定されている状態において、前記装着されている交換レンズを取り外すと、ライブビューモードから抜けて前記可動ミラーを前記撮像光学系の光路内に進入させるよう制御する。
【０００９】
本発明のカメラシステムは、上記カメラボディと交換レンズとからなる。
【００１０】
本発明のカメラボディの制御方法は、被写体像を光学式ビューファインダへと導くために撮像光学系の光路内に対して進退自在に配設される可動ミラーを有し、交換レンズを着脱可能なカメラボディの制御方法であって、交換レンズが装着されて、前記撮像光学系で形成された被写体像を撮像して画像データを生成し、前記生成された画像データ又はその画像データに所定の処理を施した画像データをリアルタイムで動画像として表示するよう制御するライブビューモードが設定されている状態において、前記装着されている交換レンズを取り外すと、ライブビューモードから抜けて前記可動ミラーを前記撮像光学系の光路内に進入させるよう制御する。
【発明の効果】
【００１１】
本発明によれば、可動ミラーを含むとともに被写体像を電子ビューファインダでライブビュー表示する際に、その操作性を向上させることができる。
【図面の簡単な説明】
【００１２】
【図１】実施の形態１〜５にかかるカメラの概要を説明するための模式図
【図２】実施の形態１〜５にかかるカメラボディの構成を示すブロック図
【図３】実施の形態１〜５にかかるカメラボディの背面図
【図４】実施の形態１〜５にかかる交換レンズの構成を示すブロック図
【図５】実施の形態１〜５にかかるカメラのミラーボックスの内部が状態Ｂのときの模式図
【図６】実施の形態１〜５にかかるカメラのミラーボックスの内部が状態Ｃのときの模式図
【図７】ＯＶＦモード時にＡＶ釦を押下したときの動作を説明するためのフローチャート
【図８】ライブビューモード時に絞り込み釦を押下したときの動作を説明するためのフローチャート
【図９】ライブビューモード時にライブビュープレビュー釦を押下したときの動作を説明するためのフローチャート
【図１０】液晶モニタに部分拡大表示する際の例を示す模式図
【図１１】マニュアルフォーカスモードにおいて、光学式ビューファインダを用いた撮像の際の動作を説明するためのフローチャート
【図１２】記録用画像を格納する画像ファイルの構造を示す模式図
【図１３】マニュアルフォーカスモードにおいて、液晶モニタ１５０を用いた撮像の際の動作を説明するためのフローチャート
【図１４】シングルフォーカスモードにおいて、光学式ビューファインダを用いた撮像の際の動作を説明するためのフローチャート
【図１５】シングルフォーカスモードにおいて、液晶モニタ１５０を用いた撮像の際の動作を説明するためのフローチャート
【図１６】コンティニュアスフォーカスモードにおいて、光学式ビューファインダを用いた撮像の際の動作を説明するためのフローチャート
【図１７】コンティニュアスフォーカスモードにおいて、液晶モニタを用いた撮像の際の動作を説明するためのフローチャート
【図１８】ＯＶＦモードからライブビューモードへ切り換えたときのオートフォーカス動作を説明するためのフローチャート
【図１９】フォーカスを合わせたポイントを表示した表示画面を示す模式図
【図２０】ＡＦセンサに含まれるラインセンサの配置を示す模式図
【図２１】保護材に付着したほこり等の異物を超音波振動発生器を用いて除去するときの動作を説明するためのフローチャート
【図２２】ＡＥセンサのみを用いた場合のストロボ撮像動作を説明するためのフローチャート
【図２３】ＡＥセンサとＣＭＯＳセンサとを用いた場合のストロボ撮像動作を説明するためのフローチャート
【図２４】衝撃によりライブビューモードをリセットする際の動作を説明するためのフローチャート
【図２５】ＯＶＦモード時にＬＶプレビュー釦を押下したときの動作を説明するためのフローチャート
【図２６】リモコン操作によりライブビューモードに移行する際の動作を説明するためのフローチャート
【図２７】三脚の固定によりライブビューモードに移行する際の動作を説明するためのフローチャート
【図２８】液晶モニタの回転操作によりライブビューモードに移行する際の動作を説明するためのフローチャート
【図２９】外部端子の接続によりライブビューモードに移行する際の動作を説明するためのフローチャート
【図３０】アスペクト比の設定によりライブビューモードに移行する際の動作を説明するためのフローチャート
【図３１】絞りリングの操作によりライブビューモードに移行する際の動作を説明するためのフローチャート
【図３２】メニュー釦の操作によりライブビューモードを解除する際の動作を説明するためのフローチャート
【図３３】電源ＯＦＦ操作によりライブビューモードを解除する際の動作を説明するためのフローチャート
【図３４】電池蓋の開放操作によりライブビューモードを解除する際の動作を説明するためのフローチャート
【図３５】電源電圧の低下によりライブビューモードを解除する際の動作を説明するためのフローチャート
【図３６】電源電圧の低下によりライブビューモードを解除する際の動作を説明するためのフローチャート
【図３７】外部端子の接続によりライブビューモードを解除する際の動作を説明するためのフローチャート
【図３８】ライブビューモードの移行に伴うシングルフォーカスモードへの移行動作を説明するためのフローチャート
【図３９】コンティニュアスフォーカスモードの移行に伴うＯＶＦモードへの移行動作を説明するためのフローチャート
【図４０】複数枚のリアルタイム画像を液晶モニタに表示した際の表示画面を示す模式図
【図４１】ライブビューのマルチ表示動作を説明するためのフローチャート
【発明を実施するための形態】
【００１３】
〔目次〕
１  実施の形態１
１−１  デジタルカメラの構成
１−１−１  全体構成の概要
１−１−２  カメラボディの構成
１−１−３  交換レンズの構成
１−１−４  ミラーボックスの状態
１−１−５  本実施の形態の構成と本発明の構成との対応
１−２  デジタルカメラの動作
１−２−１  リアルタイム画像の表示動作
１−２−１−１  光学式ビューファインダ使用時の動作
１−２−１−２  液晶モニタ使用時の動作
１−２−２  絞りの調整とリアルタイム画像の表示動作
１−２−２−１  光学式ビューファインダ使用時の動作
１−２−２−２  液晶モニタ使用時の動作
１−２−３  記録用画像の撮像動作
１−２−３−１  マニュアルフォーカスを使った撮像動作
１−２−３−１−１  光学式ビューファインダ使用時の動作
１−２−３−１−２  液晶モニタ使用時の動作
１−２−３−２  シングルフォーカスを使った撮像動作
１−２−３−２−１  光学式ビューファインダ使用時の動作
１−２−３−２−２  液晶モニタ使用時の動作
１−２−３−３  コンティニュアスフォーカスを使った撮像動作
１−２−３−３−１  光学式ビューファインダ使用時の動作
１−２−３−３−２  液晶モニタ使用時の動作
１−２−４  ライブビューモードへの移行時のオートフォーカス動作
１−２−５  測距ポイントの表示動作
１−２−６  ほこり自動除去動作
１−２−７  ライブビューモードにおけるストロボ撮像動作
１−２−７−１  ＡＥセンサのみを用いた測光動作
１−２−７−２  ＡＥセンサとＣＭＯＳセンサとを併用した測光動作
１−２−７−３  ＣＭＯＳセンサのみを用いた測光動作
２  実施の形態２
２−１  絞り調整によりライブビューモードに移行するときの動作
２−２  リモコン操作によりライブビューモードに移行するときの動作
２−３  三脚の固定によりライブビューモードに移行するときの動作
２−４  液晶モニタの回転操作によりライブビューモードに移行するときの動作
２−５  外部端子の接続によりライブビューモードに移行するときの動作
２−６  ４：３以外のアスペクト比設定によりライブビューモードに移行するときの動作
２−７  絞りリングの操作によりライブビューモードに移行するときの動作
３  実施の形態３
３−１  メニュー釦操作によりライブビューモードを解除する動作
３−２  電源ＯＦＦ操作に応じてライブビューモードを解除する動作
３−３  電池蓋の開放操作に応じてライブビューモードを解除する動作
３−４  ローバッテリーを検知してライブビューモードを解除する動作
３−５  レンズの取り外しに応じてライブビューモードを解除する動作
３−６  外部端子の接続に応じてライブビューモードを解除する動作
４  実施の形態４
４−１  コンティニュアスフォーカスモードからシングルフォーカスモードに移行する動作
４−２  ライブビューモードからＯＶＦモードに移行する動作
５  実施の形態５    マルチ画面のライブビュー表示
６  実施の形態６    その他の実施の形態
（実施の形態１）
〔1-1  デジタルカメラの構成〕
〔1-1-1  全体構成の概要〕
図１は、カメラ１０の概要を説明するための模式図である。カメラ１０は、カメラボディ１００と、カメラボディ１００に着脱可能な交換レンズ２００とから構成される。
【００１４】
カメラボディ１００は、交換レンズ２００に含まれる光学系により集光された被写体像を撮像して、画像データとして記録する。カメラボディ１００は、ミラーボックス１２０を備える。ミラーボックス１２０は、被写体像をＣＭＯＳセンサ１３０（complementary metal-oxide semiconductor）又は接眼レンズ１３６のいずれかに選択的に入射させるために、交換レンズ２００に含まれる光学系からの光学的信号の光路を切り換える。ミラーボックス１２０は、可動ミラー１２１ａ、１２１ｂと、ミラー駆動部１２２と、シャッタ１２３と、シャッタ駆動部１２４と、焦点板１２５と、プリズム１２６とを含む構成である。
【００１５】
可動ミラー１２１ａは、被写体像を光学式ビューファインダへと導くために、撮像光学系の光路内に対して進退自在に配設される。可動ミラー１２１ｂは、可動ミラー１２１ａとともに撮像光学系の光路内に対して進退自在に配設される。そして、可動ミラー１２１ｂは、交換レンズ２００に含まれる光学系から入力された光学的信号の一部を反射して、ＡＦセンサ１３２（AF：auto focus）に入射させる。ＡＦセンサ１３２は、例えば、位相差検知式のオートフォーカスを行うための受光センサである。ＡＦセンサ１３２が位相差検知式である場合、ＡＦセンサ１３２は、被写体像のデフォーカス量を検出する。
【００１６】
可動ミラー１２１ａが撮像光学系の光路内に進入しているとき、交換レンズ２００に含まれる光学系から入力された光学的信号の一部は、焦点板１２５及びプリズム１２６を介して接眼レンズ１３６に入射される。また、可動ミラー１２１ａで反射された光学的信号は、焦点板１２５で拡散される。そして、この拡散された光学的信号の一部は、ＡＥセンサ１３３（AE：auto exposure）に入射する。一方、可動ミラー１２１ａ及び１２１ｂが撮像光学系の光路内から退避しているときは、交換レンズ２００に含まれる光学系から入力された光学的信号は、ＣＭＯＳセンサ１３０に入射する。
【００１７】
ミラー駆動部１２２は、モータ、バネ等の機構部品を備えている。また、ミラー駆動部１２２は、マイコン１１０の制御に基づいて、可動ミラー１２１ａ、１２１ｂを駆動する。
【００１８】
シャッタ１２３は、交換レンズ２００を介して入射する光学的信号を、遮断または通過するよう切り換えることができる。シャッタ駆動部１２４は、モータ、バネ等の機構部品を備えている。また、シャッタ駆動部１２４は、マイコン１１０による制御により、シャッタ１２３を駆動する。なお、ミラー駆動部１２２に含まれるモータと、シャッタ駆動部１２４に含まれるモータとは、別のモータであってもよいし、１つのモータで兼用してもよい。
【００１９】
カメラボディ１００の背面には、液晶モニタ１５０が配置されている。液晶モニタ１５０は、ＣＭＯＳセンサ１３０で生成された画像データ、またはその画像データに所定の処理を施した画像データを、表示可能である。
【００２０】
交換レンズ２００に含まれる光学系は、対物レンズ２２０、ズームレンズ２３０、絞り２４０、像ぶれ補正ユニット２５０、およびフォーカスモータ２６０を含む。ＣＰＵ２１０は、これらの光学系を制御する。ＣＰＵ２１０は、カメラボディ１００側のマイコン１１０と制御信号や光学系に関する情報を送受信可能である。
【００２１】
なお、本明細書においては、リアルタイムに被写体像を液晶モニタ１５０に表示させる機能及び表示を「ライブビュー」または「ＬＶ」という。また、そのようにライブビュー動作をさせるときのマイコン１１０の制御モードを「ライブビューモード」または「ＬＶモード」という。また、交換レンズ２００を介して入射する光学的画像を接眼レンズ１３６を通じて視認可能な機能を「ファインダービュー」または「ＯＶＦ」という。また、そのようにＯＶＦ機能を動作させる時のマイコン１１０の制御モードを「ＯＶＦモード」という。
【００２２】
〔1-1-2  カメラボディの構成〕
図２は、カメラボディ１１０の構成を示す。図２に示すように、カメラボディ１１０は、様々な部位を有し、それらをマイコン１１０が制御する構成である。但し、本実施の形態では、１つのマイコン１１０がカメラボディ１００全体を制御するとして説明するが、複数の制御部によってカメラボディ１００を制御するよう構成しても、同様に動作する。
【００２３】
レンズマウント部１３５は、交換レンズ２００を着脱する部材である。レンズマウント部１３５は、交換レンズ２００と接続端子等を用いて電気的に接続可能であるとともに、係止部材等のメカニカルな部材によって機械的にも接続可能である。レンズマウント部１３５は、交換レンズ２００からの信号をマイコン１１０に出力できるとともに、マイコン１１０からの信号を交換レンズ２００に出力できる。レンズマウント部１３５は、中空構造となっている。そのため、交換レンズ２００に含まれる光学系から入射される光学的信号は、レンズマウント部１３５を通過してミラーボックス１２０に到達する。
【００２４】
ミラーボックス１２０は、レンズマウント部１３５を通過した光学的信号を、内部の状態に応じてＣＭＯＳセンサ１３０、接眼レンズ１３６、ＡＦセンサ１３２及びＡＥセンサ１３３に導く。ミラーボックスによる光学的信号の切り替えについては、「1-1-4  ミラーボックスの状態」の項で説明する。
【００２５】
ＣＭＯＳセンサ１３０は、ミラーボックス１２０を通って入射された光学的信号を電気的信号に変換し、画像データを生成する。生成した画像データは、Ａ／Ｄコンバータ１３１によってアナログ信号からデジタル信号に変換され、マイコン１１０に出力される。なお、生成した画像データをＣＭＯＳセンサ１３０からＡ／Ｄコンバータ１３１に出力する経路の途上、またはＡ／Ｄコンバータ１３１からマイコン１１０に出力する経路の途上で、所定の画像処理を施すようにしてもよい。
【００２６】
接眼レンズ１３６は、ミラーボックス１２０を通って入射された光学的信号を通す。このとき、ミラーボックス１２０内では、図１に示すように、交換レンズ２００から入射された光学的信号を可動ミラー１２１ａで反射させ、焦点板１２５に被写体像を形成している。そして、プリズム１２６は、この被写体像を反射し、接眼レンズ１３６に出射する。これにより、ユーザは、ミラーボックス１２０からの被写体像を視認できる。ここで、接眼レンズ１３６は、単数のレンズで構成してもよいし、複数のレンズからなるレンズ群で構成してもよい。また、接眼レンズ１３６は、固定的にカメラボディ１００に保持するようにしてもよく、視度調節等のため移動可能に保持するようにしてもよい。なお、光学式ビューファインダーは、焦点板１２５、プリズム１２６、接眼レンズ１３６から構成され、４：３のアスペクト比を有する構図の画像を表示するのに最適な形状で構成されている。但し、光学式ビューファインダを、他のアスペクト比を有する構図の画像を表示するのに最適な形状で構成してもよい。例えば、１６：９のアスペクト比を有する構図の画像を表示するのに最適な形状でもよく、３：２のアスペクト比を有する構図の画像を表示するのに最適な形状でもよい。
【００２７】
保護材１３８は、ＣＭＯＳセンサ１３０の表面を保護する。保護材１３８をＣＭＯＳセンサ１３０の前面に配置することにより、ＣＭＯＳセンサ１３０の表面にほこり等の異物が付着するのを防ぐことができる。保護材１３８は、ガラスやプラスチック等の透明材料で構成できる。
【００２８】
超音波振動発生器１３４は、マイコン１１０からの信号に応じて起動し、超音波振動を発生する。超音波振動発生器１３４で発生した超音波振動は、保護材１３８に伝えられる。これにより、保護材１３８は振動し、保護材１３８に付着したほこり等の異物を振り落とすことができる。超音波振動発生器１３４は、例えば、保護材１３８に圧電素子を貼り付けることにより実現できる。この場合、保護材１３８に貼り付けた圧電素子に交流電流を通電する等により、圧電素子を振動させることができる。
【００２９】
ストロボ１３７は、マイコン１１０の指示に従って、発光する。ストロボ１３７は、カメラボディ１００に内蔵してもよく、カメラボディ１００に着脱可能なタイプでもよい。着脱可能なストロボであれば、カメラボディ１００にはホットシュー等のストロボ取り付け部を設ける必要がある。
【００３０】
レリーズ釦１４１は、オートフォーカス動作や測光動作の起動についてユーザからの指示を受け付けるとともに、ＣＭＯＳセンサ１３０による記録用画像の撮像開始についてユーザからの指示を受け付ける。レリーズ釦１４１は、半押し操作と全押し操作とを受け付けることができる。オートフォーカスモードにおいて、ユーザによりレリーズ釦１４１が半押し操作されると、マイコン１１０は、ＡＦセンサ１３２からの信号に基づいて、交換レンズ２００に対してオートフォーカス動作をするように指示する。また、自動露光モードにおいて、ユーザによりレリーズ釦１４１が半押し操作されると、マイコン１１０は、ＡＥセンサ１３３からの信号に基づいて、交換レンズ２００に対して測光動作をするように指示する。一方、ユーザによりレリーズ釦１４１が全押し操作されると、マイコン１１０は、ミラーボックス１２０及びＣＭＯＳセンサ１３０等を制御して、記録用画像を撮像する。そして、マイコン１１０は、撮像した記録用画像について、必要に応じて、ＹＣ変換処理、解像度変換処理、または圧縮処理等を施して、記録用の画像データを生成する。マイコン１１０は、生成した記録用の画像データを、カードスロット１５３を介してメモリカード３００に記録する。レリーズ釦１４１が、半押し操作に応じる機能及び全押し操作に応じる機能を有するようにするには、例えば、レリーズ釦１４１に２つのスイッチを内蔵することで実現することができる。この場合、一方のスイッチは半押し操作によってＯＮに切り替わり、他方のスイッチは全押し操作によってＯＮに切り替わるようにする。
【００３１】
操作部１４０は、ユーザからの各種の指示を受け付けることができる。操作部１４０で受け付けた指示は、マイコン１１０に伝達される。図３は、カメラボディ１００の背面図である。図３に示すように、カメラボディ１００の背面には、メニュー釦１４０ａ、十字キー１４０ｂ、セット釦１４０ｃ、回転ダイアル１４０ｄ、ビューファインダ切替スイッチ１４０ｅ、フォーカスモード切替スイッチ１４０ｆ、ストロボ起動釦１４０ｈ、ＬＶプレビュー釦１４０ｊ、絞り込み釦１４０ｋ、ＡＶ釦１４０ｍ、および電源スイッチ１４２を備える。カメラボディ１００の上面には、手振れ補正モード切替釦１４０ｇ及びレリーズ釦１４１が配置されている。
【００３２】
メニュー釦１４０は、液晶モニタ１５０にカメラ１０の設定情報を表示させ、ユーザによる設定変更を可能にするための釦である。十字キー１４０ｂは、液晶モニタ１５０に表示された各種設定、項目、または画像等を選択するためのキーであり、例えば、カーソル等を移動させることができる。セット釦１４０ｃは、液晶モニタ１５０に表示された各種設定、項目、または画像等を選択した後、決定するための釦である。回転ダイアル１４０ｄは、十字キー１４０ｂと同様に、液晶モニタ１５０に表示された各種設定、項目、または画像等を選択するための操作部材であり、例えば、回転することにより、カーソル等を移動させることができる。ビューファインダ切替スイッチ１４０ｅは、光学的画像を接眼レンズ１３６に導くか、撮像して得られた電気的画像を液晶モニタ１５０に表示させるかを選択するためのスイッチである。フォーカスモード切替スイッチ１４０ｆは、フォーカスモードを、マニュアルフォーカスモードとオートフォーカスモードとのいずれに設定するかを選択するためのスイッチである。手振れ補正モードスイッチ１４０ｇは、手振れ補正を実行するかどうかを選択可能なスイッチである。また、手振れ補正モードスイッチ１４０ｇは、手振れ補正の制御モードを選択することができる。絞り込み釦１４０ｋは、ライブビューモードにおいて、絞りを調節するための釦である。ＬＶプレビュー釦１４０ｊは、ライブビューモードにおいて、絞りを調節するとともに液晶モニタ１５０に表示される画像の一部を拡大表示させるための釦である。ＡＶ釦１４０ｍは、ＯＶＦモードにおいて、絞りを調節するための釦である。
【００３３】
図２に示すように、液晶モニタ１５０は、マイコン１１０からの信号を受けて、画像または各種設定の情報を表示する。液晶モニタ１５０は、ＣＭＯＳセンサ１３０で生成された画像データ、またはその画像データに所定の処理を施した画像データを表示可能である。液晶モニタ１５０は、メモリカード３００に保持されている画像データを、必要に応じてマイコン１１０で伸張処理等所定の処理を施した後、表示可能である。液晶モニタ１５０は、図３に示すように、カメラボディ１００の背面に配されている。液晶モニタ１５０は、カメラボディ１００に対して回転可能に配されている。接点１５１は、液晶モニタ１５０の回転を検出する。液晶モニタ１５０は、４：３のアスペクト比の構図を有する画像を表示するのに最適な形状である。但し、液晶モニタ１５０は、マイコン１１０の制御により、他のアスペクト比（例えば、３：２や１６：９）の構図を有する画像も表示可能である。
【００３４】
外部端子１５２は、外部装置に画像データや各種設定情報を出力するための端子である。外部端子１５２は、例えば、ＵＳＢ端子（USB：universal serial bus）やＩＥＥＥ１３９４規格（IEEE：Institute of Electrical and Electronic Engineers）に準拠したインターフェイスのための端子等である。また、外部端子１５２は、外部装置からの接続端子が接続されると、その旨をマイコン１１０に伝える。
【００３５】
電源コントローラ１４６は、電池ボックス１４３に収納された電池４００からの供給電力をマイコン１１０等カメラ１０内の部材に供給することについて制御する。電源コントローラ１４６は、電源スイッチ１４２がＯＮに切り替わると、電池４００からの供給電力をカメラ１０内の部材に供給し始める。また、電源コントローラ１４６は、スリープ機能を備え、電源スイッチ１４２がＯＮ状態のまま所定時間操作されない状態が続くと、電源供給を停止する（但し、カメラ１０内の一部の部材を除く）。また、電源コントローラ１４６は、電池蓋１４４の開閉を監視する接点１４５からの信号に基づいて、マイコン１１０に対して電池蓋１４４が開いたことを伝達する。電池蓋１４４は、電池ボックス１４３の開口部を開閉する部材である。電源コントローラ１４６は、図２ではマイコン１１０を通じてカメラ１０内の各部材に電力を供給する構成としているが、必要に応じて、電源コントローラ１４６から直接電力を供給する構成としても同様に動作する。
【００３６】
三脚固定部１４７は、三脚（図示省略）をカメラボディ１００に固定するための部材であり、ネジ等で構成される。
【００３７】
接点１４８は、三脚が三脚固定部１４７に固定されたかどうかを監視し、その結果をマイコン１１０に伝える。接点１４８は、スイッチ等で構成可能である。
【００３８】
カードスロット１５３は、メモリカード３００を装着するためのコネクタである。カードスロット１５３は、メモリカード３００を装着するメカニカルな構造だけでなく、メモリカード３００をコントロールする制御部及び／又はソフトウェアを含む構成としてもよい。
【００３９】
バッファ１１１は、マイコン１１０で信号処理を行う際に利用されるメモリである。バッファ１１１に一時的に記憶される信号は、主に画像データであるが、制御信号等を記憶するようにしてもよい。バッファ１１１は、ＤＲＡＭ（dynamic random access memory）、ＳＲＡＭ（static random access memory）、フラッシュメモリ、または強誘電体メモリ等の記憶可能な手段であればよい。また、画像の記憶に特化したメモリであってもよい。
【００４０】
ＡＦ補助光発光部１５４は、暗い撮影場所でオートフォーカス動作をするときの補助光を発光する部材である。ＡＦ補助光発光部１５４は、マイコン１１０の制御に基づいて発光する。ＡＦ補助光発光部１５４は、赤色ＬＥＤ（light-emitting diode）等を含む。
【００４１】
リモコン受信部１５５は、リモートコントローラ（図示省略）からの信号を受信して、受信した信号をマイコン１１０に伝える受信部である。リモコン受信部１５５は、典型的には、リモートコントローラからの赤外光を受光する受光素子を含む。
【００４２】
〔1-1-3  交換レンズの構成〕
図４は、交換レンズ２００の構成を示すブロック図である。
【００４３】
図４に示すように、交換レンズ２００は、撮像光学系を備えている。また、交換レンズ２００は、ＣＰＵ２１０によって、撮像光学系等が制御される。
【００４４】
ＣＰＵ２１０は、ズームモータ２３１、絞りモータ２４１、手振れ補正ユニット２５０、およびフォーカスモータ２６１等のアクチュエータの動作を制御することによって、撮像光学系を制御する。ＣＰＵ２１０は、撮像光学系やアクセサリ装着部２７２等の状態を示す情報を、通信端子２７０を介して、カメラボディ１００に送信する。また、ＣＰＵ２１０は、カメラボディ１００から制御信号等を受信し、受信した制御信号等に基づいて撮像光学系等を制御する。
【００４５】
対物レンズ２２０は、最も被写体側に配置されたレンズである。対物レンズ２２０は、光軸方向に移動可能としてもよく、固定されたものでもよい。
【００４６】
ズームレンズ２３０は、対物レンズ２２０よりも像面側に配置される。ズームレンズ２３０は、光軸方向に移動可能である。ズームレンズ２３０を移動することにより、被写体像の倍率を変えることができる。ズームレンズ２３０は、ズームモータ２３１で駆動される。ズームモータ２３１は、ステッピングモータでもよく、サーボモータでもよく、少なくともズームレンズ２３０を駆動するものであればよい。ＣＰＵ２１０は、ズームモータ２３１の状態又は別の部材の状態を監視して、ズームレンズ２３０の位置を監視する。
【００４７】
絞り２４０は、ズームレンズ２３１よりも像面側に配置される。絞り２４０は、光軸を中心とした開口部を有する。その開口部のサイズは、絞りモータ２４１及び絞りリング２４２によって、変更可能である。絞りモータ２４１は、絞りの開口サイズを変えるための機構と連動し、この機構を駆動することによって、絞りの開口サイズを変更できる。絞りリング２４２も同様に、絞りの開口サイズを変えるための機構と連動し、この機構を駆動することによって、絞りの開口サイズを変更できる。絞りモータ２４１は、ユーザによってマイコン１１０又はＣＰＵ２１０に電気的な制御信号が与えられ、この制御信号に基づいて駆動する。これに対して、絞りリング２４２は、ユーザからのメカニカルな操作を受け付け、この操作を絞り２４０に伝達する。また、絞りリング２４２が操作されたかどうかは、ＣＰＵ２１０で検出可能である。
【００４８】
手振れ補正ユニット２５０は、絞り２４０よりも像面側に配置される。手振れ補正ユニット２５０は、手振れ補正のための補正レンズ２５１、およびこれを駆動するアクチュエータを含む。手振れ補正ユニット２５０に含まれるアクチュエータは、補正レンズ２５１を光軸と直交する面内で移動可能である。ジャイロセンサ２５２は、交換レンズ２００の角速度を計測する。図４では、便宜上、ジャイロセンサ２５２を１つのブロックで記載しているが、交換レンズ２００は、２つのジャイロセンサ２５２を含む。その２つのジャイロセンサのうち一方のジャイロセンサは、カメラ１０の鉛直軸を中心とする角速度を計測する。また他方のジャイロセンサは、光軸に垂直なカメラ１０の水平軸を中心とする角速度を計測する。ＣＰＵ２１０は、ジャイロセンサ２５２からの角速度情報に基づいて、交換レンズ２００の手振れ方向及び手振れ量を計測する。そして、ＣＰＵ２１０は、その手振れ量を相殺する方向に補正レンズ２５１を移動するようアクチュエータを制御する。これにより、交換レンズ２００の撮像光学系で形成された被写体像は、手振れが補正された被写体像となる。
【００４９】
フォーカスレンズ２６０は、最も像面側に配置される。フォーカスモータ２６１は、フォーカスレンズ２６０を光軸方向に駆動する。これにより、被写体像のフォーカスを調整できる。
【００５０】
アクセサリ装着部２７２は、交換レンズ２００の先端に遮光フード等のアクセサリを装着する部材である。アクセサリ装着部２７２は、ネジやバヨネット等のメカニカルな機構で構成される。また、アクセサリ装着部２７２は、アクセサリが装着されたかどうかを検出するための検出器を含む。そして、アクセサリ装着部２７２は、アクセサリが装着されると、ＣＰＵ２１０にその旨を伝える。
【００５１】
〔1-1-4  ミラーボックスの状態〕
各動作状態におけるミラーボックス１２０内部の状態を、図１、図５及び図６を参照して説明する。
【００５２】
図１は、光学式ビューファインダを用いて被写体像を観察するモードにおけるミラーボックス１２０内部の状態を示す模式図である。本明細書では便宜上、この状態を「状態Ａ」という。この状態Ａでは、可動ミラー１２１ａ、１２１ｂは、交換レンズ２００から入射された光学的信号の光路内に進入している。そのため、交換レンズ２００からの光学的信号は、可動ミラー１２１ａで、一部が反射し、残りの光学的信号は透過する。反射した光学的信号は、焦点板１２５、プリズム１２６、および接眼レンズ１３６を通過して、ユーザの目に届く。また、可動ミラー１２１ａで反射した光学的信号は、焦点板１２５で反射し、その一部がＡＥセンサ１３３に入射する。一方、可動ミラー１２１ａを透過した光学的信号の一部は、可動ミラー１２１ｂで反射し、ＡＦセンサ１３２に届く。また、この状態Ａでは、第１シャッタ１２３ａが閉じられている。そのため、交換レンズ２００からの光学的信号は、ＣＭＯＳセンサ１３０まで届かない。従って、状態Ａでは、光学式ビューファインダを用いて被写体像を観察すること、ＡＦセンサ１３２を用いてオートフォーカス動作をすること、及びＡＥセンサ１３３を用いて測光動作をすることは可能である。しかし、液晶モニタ１５０を用いて被写体像を観察すること、ＣＭＯＳセンサ１３０で生成した画像データを記録すること、及びＣＭＯＳセンサ１３０で生成された画像データのコントラストを用いてオートフォーカス動作をすることはできない。
【００５３】
図５は、被写体像をＣＭＯＳセンサ１３０に入力するモードにおけるミラーボックス１２０内部の状態を示す模式図である。本明細書では便宜上、この状態を「状態Ｂ」という。この状態Ｂでは、可動ミラー１２１ａ、１２１ｂは、交換レンズ２００から入射された光学的信号の光路内から退避している。そのため、交換レンズ２００からの光学的信号は、焦点板１２５、プリズム１２６、および接眼レンズ１３６を通過して、ユーザの目に届くことはなく、ＡＦセンサ１３２及びＡＥセンサ１３３に届くこともない。また、この状態Ｂでは、第１シャッタ１２３ａ及び第２シャッタ１２３ｂが開いている。そのため、交換レンズ２００からの光学的信号は、ＣＭＯＳセンサ１３０まで届く。従って、状態Ｂでは、状態Ａとは反対に、液晶モニタ１５０を用いて被写体像を観察すること、ＣＭＯＳセンサ１３０で生成した画像データを記録すること、及びＣＭＯＳセンサ１３０で生成された画像データのコントラストを用いてオートフォーカス動作をすることは可能である。しかし、光学式ビューファインダを用いて被写体像を観察すること、ＡＦセンサ１３２を用いてオートフォーカス動作をすること、及びＡＥセンサ１３３を用いて測光動作をすることはできない。なお、可動ミラー１２１ａ、１２１ｂ及び第１シャッタ１２３ａは、バネ等の付勢手段により、状態Ａから状態Ｂに移行する方向に付勢されている。そのため、状態Ａから状態Ｂへは瞬時に移行できるので、露光を開始するのに好適である。
【００５４】
図６は、ＣＭＯＳセンサ１３０への被写体像の露光を終了した直後におけるミラーボックス１２０内部の状態を示す模式図である。本明細書では便宜上、この状態を「状態Ｃ」という。この状態Ｃでは、可動ミラー１２１ａ、１２１ｂは、交換レンズ２００から入射された光学的信号の光路内から退避している。そのため、交換レンズ２００からの光学的信号は、焦点板１２５、プリズム１２６、および接眼レンズ１３６を通過して、ユーザの目に届くことはなく、ＡＦセンサ１３２及びＡＥセンサ１３３に届くこともない。また、この状態Ｃでは、第１シャッタ１２３ａが開いている一方、第２シャッタ１２３ｂが閉じている。そのため、交換レンズ２００からの光学的信号は、ＣＭＯＳセンサ１３０まで届かない。従って、状態Ｃでは、液晶モニタ１５０を用いて被写体像を観察すること、ＣＭＯＳセンサ１３０で生成した画像データを記録すること、ＣＭＯＳセンサ１３０で生成された画像データのコントラストを用いてオートフォーカス動作をすること、光学式ビューファインダを用いて被写体像を観察すること、ＡＦセンサ１３２を用いてオートフォーカス動作すること、及びＡＥセンサ１３３を用いて測光動作をすることは、いずれもできない。第２シャッタ１２３ｂは、閉じる方向に付勢されているので、瞬時に状態Ｂから状態Ｃに移行させることができる。そのため、状態Ｃは、ＣＭＯＳセンサ１３０の露光を終了させるのに好適な状態である。
【００５５】
以上のように、状態Ａから状態Ｂへは直接移行できる。これに対して、状態Ｂから状態Ａへは、ミラーボックス１２０の機構の制約上、状態Ｃを介さなければ移行できない。但し、これは、ミラーボックス１２０の機構からくるテクニカルな問題なので、状態Ｃを介さずに、状態Ｂから状態Ａに直接移行できる機構を採用することとしてもよい。
【００５６】
〔1-1-5  本実施の形態の構成と本発明の構成との対応〕
焦点板１２５、プリズム１２６及び接眼レンズ１３６を含む構成は、本発明の光学式ビューファインダの一例である。対物レンズ２２０、ズームレンズ２３０、補正レンズ２５１及びフォーカスレンズ２６０を含む光学系は、本発明の撮像光学系の一例である。可動ミラー１２１ａ、１２１ｂは、本発明の可動ミラーの一例である。ＣＭＯＳセンサ１３０は、本発明の撮像素子の一例である。液晶モニタ１５０は、本発明の表示部の一例である。マイコン１１０は、本発明の制御部の一例である。この場合、制御部としてマイコン１１０の他にＣＰＵ２１０を含んでもよい。ＬＶプレビュー釦１４０ｊは、本発明の絞り調整指示受付部の一例である。マイコン１１０は、本発明の画像処理手段の一例である。レリーズ釦１４１の全押し操作受付機能は、本発明のレリーズ部の一例である。同様に、リモートコントローラからの記録用画像の撮像開始指示を受け付けるリモコン受信部１５５は、本発明のレリーズ部の一例である。ＡＦセンサ１３２は、本発明の測距部の一例である。マイコン１１０、ＣＰＵ２１０、フォーカスモータ２６１及びフォーカスレンズ２６０を含む構成は、本発明のオートフォーカス部の一例である。フォーカスレンズ２６０及びフォーカスリング２６２を含む構成は、本発明のマニュアルフォーカス手段の一例である。メモリカード３００は、本発明の記録部の一例である。レリーズ釦１４１の半押し操作受付機能は、本発明のＡＦ開始指示受付部の一例である。同様に、リモートコントローラからのオートフォーカス開始指示を受け付けるリモコン受信部１５５は、本発明のＡＦ開始指示受付部の一例である。バッファ１１１は、本発明の記憶手段の一例である。超音波振動発生器１３４は、本発明の異物除去部の一例である。絞りリング２４２は、本発明の絞り操作部の一例である。メニュー釦１４０ａは、本発明の設定操作部の一例である。電池ボックス１４３は、本発明の電池収納部の一例である。電源スイッチ１４２は、本発明の電源操作部の一例である。外部端子１５２は、本発明の出力端子の一例である。ジャイロセンサ２５２は、本発明の衝撃検知部の一例である。
【００５７】
〔1-2  カメラ１０の動作〕
図７〜図２４を参照して、実施の形態１におけるカメラ１０の動作を説明する。
【００５８】
〔1-2-1  リアルタイム画像の表示動作〕
交換レンズ２００によって形成される被写体像をリアルタイムに観察するための表示動作について説明する。この表示動作として、２つの動作が設定されている。１つ目は、光学式ビューファインダを用いた動作であり、２つ目は、液晶モニタ１５０を用いた動作である。これらの動作を以下それぞれ詳細に説明する。
【００５９】
ライブビューは、リアルタイムに被写体像を液晶モニタ１５０に表示させるものであればよく、液晶モニタ１５０に表示させている画像データを、同時にメモリカード３００等の記憶手段に記憶させても記憶させなくてもよい。
【００６０】
また、ライブビューを表示しているときは、交換レンズ２００からの光学的信号をＣＭＯＳセンサ１３０に到達させる必要があるため、ミラーボックス１２０の内部は図５に示す状態Ｂに移行させる必要がある。しかし、マイコン１１０がライブビューモードに設定されていても、撮像動作、オートフォーカス動作、または自動露光制御動作等の各状態に応じて、ミラーボックス１２０の内部を状態Ｂの他に状態Ａや状態Ｃにする必要があり、液晶モニタ１５０がライブビューを表示できない期間も生じる。
【００６１】
また、ライブビューは、上述したように、リアルタイムに被写体像を液晶モニタ１５０に表示させることであるが、「リアルタイム」とは厳密な意味を有するのではなく、使用者が常識的にリアルタイムと感じられれば、実際の被写体の動作とは多少の時間遅れがあってもよい。液晶モニタ１５０は、通常は０．１秒程度の時間遅れでライブビュー表示をすると考えられるが（この時間はカメラ１０のハード等に依存して、多少長くなったり短くなったりする）、１秒から５秒程度遅れる場合もリアルタイムでの被写体像表示として、ライブビュー表示の概念に含めてよい。
【００６２】
〔1-2-1-1  光学式ビューファインダ使用時の動作〕
ユーザは、図３に示すビューファインダ切替スイッチ１４０ｅをスライドすることによって、ライブビューモードと光学式ビューファインダモード（以下、便宜上、ＯＶＦモードという）とを切り替えることができる。
【００６３】
ユーザがビューファインダ切替スイッチ１４０ｅをＯＶＦモード側にスライドさせると、マイコン１１０はＯＶＦモードに設定される。すると、マイコン１１０は、ミラー駆動部１２２及びシャッタ駆動部１２４を制御して、ミラーボックス１２０の内部を図１に示す状態Ａに移行させる。これにより、接眼レンズ１３６を通して、ユーザは被写体像をリアルタイムで観察できる。また、この状態Ａでは、上述したように、ＡＦセンサ１３２を用いたオートフォーカス動作、及びＡＥセンサ１３３を用いた測光動作が可能である。
【００６４】
〔1-2-1-2  液晶モニタ使用時の動作〕
ＯＶＦモードにおいて、ユーザがビューファインダ切替スイッチ１４０ｅをライブビューモード側にスライドさせると、マイコン１１０はライブビューモードに設定される。すると、マイコン１１０は、ミラー駆動部１２２及びシャッタ駆動部１２４を制御して、ミラーボックス１２０の内部を図５に示す状態Ｂに移行させる。これにより、液晶モニタ１５０を用いて、ユーザは被写体像をリアルタイムで観察できる。
【００６５】
〔1-2-2  絞りの調整とリアルタイム画像の表示の動作〕
〔1-2-2-1  光学式ビューファインダ使用時の動作〕
この状態Ａでは、通常、絞り２４０は開放状態となっている。そして、この状態Ａから撮像動作を開始すると、交換レンズ２００に入射される光の量に応じて、絞り２４０が絞られる。したがって、状態Ａでの通常状態と撮像動作時とは、絞り２４０の開口状態が異なる。絞り２４０の開口状態が異なると、被写界深度が異なる。そのため、状態Ａの通常状態のままだと、記録用画像を撮像する際の被写界深度を観察することができない。この問題を解消するために、ＡＶ釦１４０ｍを備えた。ユーザは、ＡＶ釦１４０ｍを押下することにより、記録用画像を撮像する際の被写界深度を、光学式ビューファインダを用いて観察することができる。その動作を、以下図７を参照して説明する。
【００６６】
図７は、ＯＶＦモード時にＡＶ釦１４０ｍを押下したときの動作を説明するためのフローチャートである。図７において、マイコン１１０は、当初、ＯＶＦモードに設定されている。このとき、ミラーボックス１２０の内部は、図１に示す状態Ａとなっている。また、マイコン１１０は、ＡＶ釦１４０ｍが押下されるかどうか監視している（Ｓ７０１）。この状態で、ユーザがＡＶ釦１４０ｍを押下すると、マイコン１１０はそれを検知して、露光量の計測を開始する（Ｓ７０２）。具体的には、マイコン１１０は、交換レンズ２００に入射し、可動ミラー１２１ｂで反射し、ＡＥセンサ１３３に入射している光学的信号の光量を、ＡＥセンサ１３３に計測させる。マイコン１１０は、この計測結果と、現在の絞り２４０の開放状態とに基づいて、記録用画像の撮像時の絞り２４０の適正開放量（絞り値）とシャッタスピードとを算出する。マイコン１１０は、算出した絞り値をＣＰＵ２１０に送信する。ＣＰＵ２１０は、受信した絞り値に基づいて、モータ２４１を制御する。モータ２４１は、ＣＰＵ２１０の制御に基づいて、絞り２４０を調節する（Ｓ７０３）。
【００６７】
なお、上記の動作がＡＦセンサ１３２を用いたオートフォーカスモードにおいて行われた場合には、ステップＳ７０２及びＳ７０３において、測光動作と共にオートフォーカス動作も行うことが可能である。
【００６８】
このように、ＡＶ釦１４０ｍを設けることにより、瞬時に記録用画像の撮像時の被写体像について、その被写界深度を観察できるので、操作性が良い。
【００６９】
〔1-2-2-2  液晶モニタ使用時の動作〕
ミラーボックス１２０の内部が状態Ｂになっている場合には、通常、絞り２４０は開放状態となっている。そして、この状態Ｂから撮像動作を開始すると、交換レンズ２００に入射される光の量に応じて、絞り２４０の開度が小さくなるように制御される。したがって、状態Ｂでの通常状態と撮像動作時とは、絞り２４０の開口状態が異なる。絞り２４０の開口状態が異なると、被写界深度が異なる。そのため、状態Ｂの通常状態のままだと、記録用画像を撮像する際の被写界深度を観察することができない。この問題を解消するために、絞込み釦１４０ｋ及びＬＶプレビュー釦１４０ｊを備えた。ユーザは、絞込み釦１４０ｋ又はＬＶプレビュー釦１４０ｊを押下することにより、記録用画像を撮像する際の被写界深度を、ライブビュー表示にて観察することができる。それぞれの動作を、以下図８及び図９を参照して説明する。
【００７０】
図８は、ライブビューモード時に絞り込み釦１４０ｋを押下したときの動作を説明するためのフローチャートである。図８において、マイコン１１０は、当初、ライブビューモードに設定されている。このとき、ミラーボックス１２０の内部は、図５に示す状態Ｂとなっている。また、マイコン１１０は、絞込み釦１４０ｋが押下されるかどうか監視している（Ｓ８０１）。この状態で、ユーザが絞込み釦１４０ｋを押下すると、マイコン１１０はそれを検知して、ミラーボックス１２０の状態を状態Ｂから状態Ｃを経て状態Ａに移行させる（Ｓ８０２）。状態Ａへの移行が完了すると、ＡＥセンサ１３３による計測が可能となるので、マイコン１１０は、露光量の計測を開始する（Ｓ８０３）。具体的には、マイコン１１０は、交換レンズ２００に入射し、可動ミラー１２１ａで反射し、焦点板１２５で拡散され、ＡＥセンサ１３３に入射している光学的信号の光量を、ＡＥセンサ１３３に計測させる。マイコン１１０は、この計測結果と、現在の絞り２４０の開放状態とに基づいて、記録用画像を撮像する際の絞り２４０の適正開放量（絞り値）とシャッタスピードとを算出する。マイコン１１０は、算出した絞り値をＣＰＵ２１０に送信する。ＣＰＵ２１０は、受信した絞り値に基づいて、モータ２４１を制御する。モータ２４１は、ＣＰＵ２１０の制御に基づいて、絞り２４０を調節する（Ｓ８０４）。この後、マイコン１１０は、ミラーボックス１２０の内部を状態Ａから状態Ｂに戻して、ライブビュー動作を再開する（Ｓ８０５）。
【００７１】
なお、図８に示すステップＳ８０２からＳ８０４の間は、ライブビュー表示をすることはできない。この間は、液晶モニタ１５０に何の画像も表示しない状態としてもよく（この状態をブラックアウト状態という）、カメラ１０の設定情報を表示してもよく、自動露光制御動作やオートフォーカス動作の現在の状態を示す情報を表示してもよく、直前のライブビューで表示した画像データを表示してもよく、所定の画像データを表示してもよい。直前のライブビューで表示した画像データを表示するには、マイコン１１０は、常にライブビュー動作で取得した画像データをバッファ１１１に一時的に保存し、バッファ１１１内の画像データを更新する必要がある。
【００７２】
また、上記の動作が、ＡＦセンサ１３２を用いたオートフォーカスモードにおいて行われた場合には、ステップＳ８０３及びＳ８０４において、自動露光制御動作と共にオートフォーカス動作も行うことが可能である。
【００７３】
このように、絞り込み釦１４０ｋを設けることにより、記録用画像を撮像した場合には被写体像がどのような被写界深度になるのかを瞬時に確認できるので、操作性が良い。
【００７４】
図９は、ライブビューモード時にライブビュープレビュー釦１４０ｊを押下したときの動作を説明するためのフローチャートである。図９において、ステップＳ９０１〜ステップＳ９０５に示す動作は、上述のステップＳ８０１〜ステップＳ８０５に示す動作と同様であるため、説明を省略する。ステップＳ９０５で状態Ａから状態Ｂへの移行が完了すると、マイコン１１０は、図１０に示すように、ＣＭＯＳセンサ１３０で生成された画像データの一部の領域Ｒ２について拡大して表示させる。画面内のどの部分を拡大する領域Ｒ２とするかは、十字キー１４０ｂ等を操作することによって変更可能である。
【００７５】
このように、ライブビュープレビュー釦１４０ｊを備えることにより、被写界深度の確認が必要な場所を瞬時に拡大できるので、被写界深度の確認を容易にすることができる。
【００７６】
〔1-2-3  記録用画像の撮像動作〕
次に、記録用画像を撮像する際の動作を説明する。記録用画像を撮像するには、事前に、ユーザの意図するようにフォーカスを合わせる必要がある。フォーカスを合わせる方法には、マニュアルフォーカス方式、シングルフォーカス方式、コンティニュアスフォーカス方式等がある。
【００７７】
なお、図３に示すフォーカスモード切替スイッチ１４０ｆを操作することによって、マニュアルフォーカスモードとオートフォーカスモードとを互いに切り替えることができる。また、メニュー釦１４０ａを押下して、メニュー画面を呼び出すことにより、オートフォーカスモードにおいて、シングルフォーカスモードとコンティニュアスフォーカスモードのいずれにするかを選択することができる。
【００７８】
〔1-2-3-1  マニュアルフォーカス撮像の動作〕
マニュアルフォーカス方式は、ユーザによるフォーカスリング２６２の操作に応じてフォーカス状態を変更する方式であり、ユーザの好み通りにフォーカスを設定できる。その反面、マニュアルフォーカス方式では、ユーザが操作に慣れていないと、フォーカスを合わせるのに手間がかかってしまうという問題がある。以下、図１１及び図１３を参照して、光学式ビューファインダを視認しながら撮像する場合と、液晶モニタ１５０を視認しながら撮像する場合とに分けて説明する。
【００７９】
〔1-2-3-1-1  光学式ビューファインダを用いた撮像動作〕
図１１は、マニュアルフォーカスモードにおいて、光学式ビューファインダを用いた撮像の際の動作を説明するためのフローチャートである。
【００８０】
図１１において、ＯＶＦモードでの撮像の場合、ミラーボックス１２０の内部は、図１に示す状態Ａとなっている。ユーザは、撮像前に、接眼レンズ１３６を通して被写体像を確認しながら、フォーカスや構図を合わせる。ユーザは、フォーカスリング２６２を操作することで、フォーカスを合わせることができる（Ｓ１１０１）。
【００８１】
マイコン１１０は、ステップＳ１１０１と並行して、レリーズ釦１４１が全押し操作されたかどうかを監視する（Ｓ１１０２）。
【００８２】
マイコン１１０は、レリーズ釦１４１が全押し操作されたことを検知した場合、ミラー駆動部１２２及びシャッタ駆動部１２４を制御して、ミラーボックス１２０の内部を状態Ａから状態Ｂに移行させる（Ｓ１１０３）。
【００８３】
次に、マイコン１１０は、ＣＭＯＳセンサ１３０に交換レンズ２００からの光学的信号を露光し、記録用の記録用画像を撮像させる（Ｓ１１０４）。
【００８４】
次に、マイコン１１０は、シャッタスピードに対応する時間が経過すると、第２シャッタ１２３ｂを閉じるようシャッタ駆動部１２４を制御し、露光を終了させる（状態Ｃ）。その後、マイコン１１０は、ミラーボックス１２０の内部を状態Ａに戻すよう制御する（Ｓ１１０５）。
【００８５】
マイコン１１０は、ＣＭＯＳセンサ１３０で生成された画像データを受けて、バッファ１１１に一時的に保存する。このとき保存された画像データは、例えば、ＲＧＢ成分から構成される画像データである。マイコン１１０は、バッファ１１１に保存された画像データにＹＣ変換処理、リサイズ処理、および圧縮処理等の所定の画像処理を施して、記録用の画像データを生成する（Ｓ１１０６）。
【００８６】
マイコン１１０は、最終的には、例えば、Ｅｘｉｆ（Exchangeable image file format）規格に準拠した画像ファイルを生成する。マイコン１１０は、生成した画像ファイルを、カードスロット１５３を介して、メモリカード３００に記憶させる（Ｓ１１０７）。
【００８７】
ここで、マイコン１１０によって最終的に作成される画像ファイルについて説明する。
【００８８】
図１２は、その画像ファイルの構造を示す模式図である。図１２に示すように、画像ファイルは、ヘッダ部Ｄ１と画像データ部Ｄ２とを含む。画像データ部Ｄ２には、記録用の画像データが格納される。ヘッダ部Ｄ１は、各種情報格納部Ｄ１１とサムネイル画像Ｄ１２とを含む。各種情報格納部Ｄ１１は、露出条件、ホワイトバランス条件、および撮像日時等の撮像条件をはじめとする各種の情報が格納される複数の格納部を備える。それらの格納部の一つに、ファインダモード情報格納部Ｄ１１１が含まれている。ファインダモード格納部Ｄ１１１は、「ＬＶ」か「ＯＶＦ」のいすれかを情報として格納する。マイコン１１０は、ライブビューモードが設定されている場合に撮像動作を行うと、その結果生成される画像ファイルのファインダモード情報格納部Ｄ１１１に、「ＬＶ」情報を格納する。これに対して、マイコン１１０は、ＯＶＦモードが設定されている場合に撮像動作を行うと、その結果生成される画像ファイルのファインダモード情報格納部Ｄ１１１に、「ＯＶＦ」情報を格納する。
【００８９】
これにより、生成された画像ファイルのヘッダ部Ｄ１を解析することにより、その画像ファイルに含まれる画像データがライブビューモードで生成されたものなのか、ＯＶＦモードで生成されたものなのかを容易に把握できる。これを利用して、ユーザは、自らの撮像画像の出来映えとファインダモードとの関係を把握することができる。これによって、写真撮影技術の向上等に役立てることができる。
【００９０】
なお、「ＬＶ」又は「ＯＶＦ」を選択して格納する構成としたが、「ＬＶ」及び「ＯＶＦ」のうちいずれか一方のみを用いて、それを格納するか否かによって、ライブビューモードで撮像したかどうかを判別するようにしてもよい。例えば、ライブビューモードで撮像した場合は「ＬＶ」情報を格納する一方、ＯＶＦモードで撮像した場合は何の情報も格納しないようにしてもよい。
【００９１】
また、ステップＳ１１０４においては、液晶モニタ１５０に様々な表示をさせることができる。例えば、ステップＳ１１０４の初期において、ＣＭＯＳセンサ１３０で生成された画像データを、記録用の画像データに先行してマイコン１１０に読み出し、この読み出した画像データを表示するようにしてもよい。また、液晶モニタ１５０を、ブラックアウト表示にしてもよい。また、全押し操作する前に、バッファ１１１に記憶しておいたライブビュー画像を表示するようにしてもよい。また、カメラ１０の設定情報や動作状態を示す情報等を表示するようにしてもよい。
【００９２】
また、ステップＳ１１０３やステップＳ１１０５においても、液晶モニタ１５０に様々な表示をさせることができる。例えば、液晶モニタ１５０をブラックアウト表示にしてもよい。また、全押し操作する前に、バッファ１１１に記憶しておいたライブビュー画像を表示するようにしてもよい。また、カメラ１０の設定情報や、動作状態を示す情報等を、表示するようにしてもよい。
【００９３】
また、ステップＳ１１０１及びステップＳ１１０２において、ミラーボックス１２０の内部は状態Ａになっている。そのため、ＡＦセンサ１３２は測距可能な状態である。そこで、マイコン１１０は、ＡＦセンサ１３２で測定した測定結果（デフォーカス値等）、又は測定結果に基づく情報を、液晶モニタ１５０に表示させるよう制御できる。このように制御することにより、ユーザは、マニュアルフォーカス操作時に、画像だけでなく、液晶モニタ１５０に表示される情報にも基づいて、フォーカスが合っているかどうかを確認できる。そのため、マニュアル操作であっても、確実にフォーカスを調整できる。ＡＦセンサ１３２で測定した測定結果、又はその測定結果に基づく情報の表示方法としては、数値による表示、棒グラフによる表示、折れ線グラフによる表示、デフォーカス値の程度を示す記号による表示等が考えられる。
【００９４】
〔1-2-3-1-2  液晶モニタを用いた撮像動作〕
図１３は、マニュアルフォーカスモードにおいて、液晶モニタ１５０を用いた撮像の際の動作を説明するためのフローチャートである。
【００９５】
図１３において、ライブビューモードでの撮像の場合、ミラーボックス１２０の内部は、図５に示す状態Ｂとなっている。ユーザは、撮像前に、液晶モニタ１５０により被写体像を確認しながら、フォーカスや構図を合わせる。ユーザは、フォーカスを合わせるために、フォーカスリング２６２を操作する（Ｓ１３０１）。
【００９６】
マイコン１１０は、ステップＳ１３０１と並行して、レリーズ釦１４１が全押し操作されたかどうかを監視する（Ｓ１３０２）。
【００９７】
マイコン１１０は、レリーズ釦１４１が全押し操作されたことを検知した場合、ミラー駆動部１２２及びシャッタ駆動部１２４を制御して、ミラーボックス１２０の内部を状態Ｂから状態Ｃを経て状態Ａに移行させる（Ｓ１３０３）。
【００９８】
このようにミラーボックス１２０の内部を一旦状態Ａにするのは、ＣＭＯＳセンサ１３０に入射される光学的信号を、一旦シャッタ１２３により遮断して、ＣＭＯＳセンサ１３０に露光開始の準備をさせるためである。露光開始の準備としては、各画素における不要な電荷の除去等が挙げられる。
【００９９】
その後のステップＳ１３０４〜ステップＳ１３０６に示す動作は、図１１におけるステップＳ１１０３〜ステップＳ１１０５に示す動作と同様であるため、説明を省略する。
【０１００】
露光が終了して、ミラーボックス１２０の内部が状態Ａになると（Ｓ１３０６）、マイコン１１０は、ミラーボックス１２０の内部を再び状態Ｂに戻して、ライブビュー表示を再開させる（Ｓ１３０７）。
【０１０１】
マイコン１１０は、ステップＳ１３０７と並行して、画像処理及び記録用画像の記録を行う（Ｓ１３０８、Ｓ１３０９）。なお、ステップＳ１３０８及びステップＳ１３０９に示す動作は、図１１におけるステップＳ１１０６及びステップＳ１１０７に示す動作と同様であるため、詳細説明を省略する。
【０１０２】
ステップＳ１３０３〜ステップＳ１３０９に示す動作中においては、液晶モニタ１５０に様々な表示をさせることができる。このことは、図１１のステップＳ１１０３〜ステップＳ１１０７に示す動作における場合と同様であるため説明を省略する。
【０１０３】
さらに、ステップＳ１３０８やステップＳ１３０９においても、ライブビュー表示の他に、液晶モニタ１５０に様々な表示をさせることができる。
【０１０４】
上述のように、ステップＳ１３０８やステップＳ１３０９では、ミラーボックス１２０内部は状態Ｂになっているため、ライブビュー表示可能である。しかし、ステップＳ１３０８やステップＳ１３０９において、マイコン１１０の制御能力の多くは画像処理や記録処理に割り当てられる。そのため、ステップＳ１３０８やステップＳ１３０９において、マイコン１１０には画像処理や記録処理以外に極力負担をかけないようにするのが好ましい。そこで、ステップＳ１３０８やステップＳ１３０９では、ライブビュー表示をしないようにする。これにより、マイコン１１０は、ライブビュー表示のために処理能力を割り当てる必要がないので、画像処理や記録処理を迅速に行うことができる。
【０１０５】
ライブビュー表示をしない形態としては、例えば、液晶モニタ１５０をブラックアウト表示にしてもよい。また、全押し操作する前に、バッファ１１１に記憶しておいたライブビュー画像を表示するようにしてもよい。また、カメラ１０の設定情報や動作状態を示す情報等を表示するようにしてもよい。
【０１０６】
また、ステップＳ１３０１及びステップＳ１３０２において、ミラーボックス１２０の内部は状態Ｂになっている。そのため、マイコン１１０は、ＣＭＯＳセンサ１３０で生成された画像データのコントラストの程度を算出可能である。コントラストの程度を算出する方法としては、画像データの全面又は所定の範囲内において、画像データの輝度信号の空間周波数の内、高周波成分を積算する方法等が考えられる。そこで、マイコン１１０は、算出した画像データのコントラストの程度、又はこれに基づく情報を、ライブビュー表示に重畳するようにして液晶モニタ１５０に表示させるよう制御できる。このように制御することにより、ユーザは、マニュアル操作時に画像だけでなく、液晶モニタ１５０に表示される情報にも基づいて、フォーカスが合っているかどうかを確認できる。そのため、マニュアル操作であっても確実にフォーカスを調整できる。算出した画像データのコントラストの程度、又はこれに基づく情報の表示方法としては、数値による表示、棒グラフによる表示、折れ線グラフによる表示、デフォーカス値の程度を示す記号による表示等が考えられる。
【０１０７】
〔1-2-3-2  シングルフォーカス撮像時の動作〕
シングルフォーカス方式は、レリーズ釦１４１の半押し操作に応じて、オートフォーカス動作を行い、その結果得られたフォーカス状態を維持する方式である。このフォーカス状態の維持を「フォーカスロック」という。フォーカスロックは、記録用画像の撮像が完了するか、レリーズ釦１４１の半押し操作が解除されるまで持続する。ユーザは、シングルフォーカス方式を選択することによって、一旦フォーカスを合わせたいポイントにフォーカスを合わせた後、構図を調整することによって、好みの画像を撮像できる。以下、図１４及び図１５を参照して、光学式ビューファインダを用いて撮像する場合の動作と、液晶モニタ１５０を用いて撮像する場合の動作とを説明する。
【０１０８】
〔1-2-3-2-1  光学式ビューファインダを用いた撮像動作〕
図１４は、シングルフォーカスモードにおいて、光学式ビューファインダを用いた撮像の際の動作を説明するためのフローチャートである。
【０１０９】
図１４において、ＯＶＦモードでの撮像の場合、ミラーボックス１２０の内部は、図１に示す状態Ａとなっている。ユーザは、撮像前に、接眼レンズ１３６を通して被写体像を確認しながら、フォーカスや構図を合わせる。マイコン１１０は、ユーザがフォーカスを合わせるためにレリーズ釦１４１を半押し操作するかどうかを監視する（Ｓ１４０１）。
【０１１０】
ユーザがレリーズ釦１４１を半押し操作すると、ＡＦセンサ１３２の測定結果に基づくオートフォーカス動作を開始し、その結果得られたフォーカス状態でロックする（Ｓ１４０２）。
【０１１１】
一旦ロックした後も、ユーザは、フォーカスリング２６２を用いてマニュアルフォーカス合わせが可能である（Ｓ１４０３）。
【０１１２】
ステップＳ１４０３が実行されている間、マイコン１１０は、レリーズ釦１４１が全押し操作されるかどうかを監視する（Ｓ１４０４）。
【０１１３】
ステップＳ１４０１〜ステップＳ１４０４の間で、レリーズ釦１４１の半押し操作が解除されると、マイコン１１０は、フォーカスロックを解除し、再びオートフォーカス可能な状態に戻す。そのため、再度レリーズ釦１４１を半押し操作すると、新たなフォーカス状態でロックする。
【０１１４】
以降のステップＳ１４０５〜Ｓ１４０９までの動作は、図１１のステップＳ１１０３〜Ｓ１１０７までの動作と同様であるため、説明を省略する。また、ステップＳ１４０５〜Ｓ１４０９において、液晶モニタ１５０に様々な表示をさせることができるのは、図１１のステップＳ１１０３〜Ｓ１１０７における場合と同様であるため、説明を省略する。
【０１１５】
以上のように、ステップＳ１４０２で一旦ロックした後も、フォーカスリング２６２を用いたマニュアルフォーカス合わせを可能とすることにより（Ｓ１４０３）、微妙なフォーカス合わせをすることができる。そのため、ユーザの好みに合ったフォーカス状態を設定できる。
【０１１６】
なお、自動露光モードが設定されている場合、自動露光制御動作は、ステップＳ１４０４とステップＳ１４０５との間で行う。すなわち、自動露光制御動作は、レリーズ釦１４１が全押し操作されてからミラーボックス１２０の内部が状態Ｂになるまでの間に行う。
【０１１７】
ここで、自動露光制御動作の詳細を説明すると、ＡＥセンサ１３３で測光し、その結果測定された測光データをマイコン１１０に送信する。マイコン１１０は、取得した測光データに基づいて絞り値とシャッタスピードとを算出する。マイコン１１０は、算出した絞り値をＣＰＵ２１０に送信する。また、マイコン１１０は、算出したシャッタスピードとなるようにシャッタ駆動部１２４及びＣＭＯＳセンサ１３０を制御するよう準備する。ＣＰＵ２１０は、受信した絞り値に基づいて、モータ２４１を制御する。モータ２４１は、ＣＰＵ２１０の制御に応じて、絞り２４０の開口サイズを調整する。以上の動作を、レリーズ釦１４１が全押し操作されてからミラーボックス１２０の内部が状態Ｂになるまでの間に行う。
【０１１８】
但し、自動露光制御動作を行うタイミングは、上記のタイミングに限らない。例えば、ステップ１３０２において、オートフォーカス制御とともに、ＡＥセンサ１３３の測定結果に基づく自動露光制御を行ってもよい。
【０１１９】
また、自動露光制御動作は、オートフォーカス制御の終了後に行ってもよい。ＡＦセンサ１３２で測距する際には、絞り２４０を例えばＦ６．５以上に開放しておく必要がある。これは、ＡＦセンサ１３２内のラインセンサに十分に被写体像を結像させるためである。そこで、オートフォーカス制御の終了後に絞り２４０の開口サイズを調整することによって、確実にＡＦセンサ１３２での測定を完了できる。
【０１２０】
また、ＡＦセンサ１３２での測定後、オートフォーカス制御と絞り２４０の開口サイズの調整とを並行して行ってもよい。これにより、オートフォーカス動作の終了を待つことなく絞り２４０を駆動するので、絞り２４０の設定に要する時間を短縮できる。
【０１２１】
〔1-2-3-2-2  液晶モニタを用いた撮像動作〕
図１５は、シングルフォーカスモードにおいて、液晶モニタ１５０を用いた撮像の際の動作を説明するためのフローチャートである。
【０１２２】
図１５において、ライブビューモードでの撮像の場合、ミラーボックス１２０の内部は、当初、図５に示す状態Ｂとなっている。ユーザは、撮像前に、液晶モニタ１５０を通して被写体像を確認しながら、フォーカスや構図を合わせる。マイコン１１０は、ユーザがフォーカスを合わせるためにレリーズ釦１４１を半押し操作するかどうかを監視する（Ｓ１５０１）。
【０１２３】
ユーザによってリーズ釦１４１が半押し操作されると、マイコン１１０は、マイコン１１０内部のタイマーをスタートさせる（Ｓ１５０２）。
【０１２４】
マイコン１１０は、ステップＳ１５０２と並行して、ミラーボックス１２０の内部を状態Ｂから状態Ｃを経て状態Ａに移行させ（Ｓ１５０３）、ＡＦセンサ１３２の測定結果に基づくオートフォーカス動作を開始し、その結果得られたフォーカス状態でロックする（Ｓ１５０４）。Ｓ１５０３でミラーボックス１２０の内部を状態Ａに移行させるのは、ＡＦセンサ１３２で測距するためである。
【０１２５】
一旦、フォーカスロックした後も、フォーカスリング２６２を用いたマニュアルフォーカス合わせは可能である（Ｓ１５０５）。
【０１２６】
マイコン１１０は、フォーカスリング２６２が操作されている間、レリーズ釦１４１が全押し操作されるかどうかを監視する（Ｓ１５０６）。
【０１２７】
マイコン１１０は、レリーズ釦１４１が半押し操作されてから所定の時間が経過する前に全押し操作されるかどうかを監視する（Ｓ１５０７）。レリーズ釦１４１が半押し操作されてから所定の時間が経過する前に全押し操作されると、マイコン１１０はステップＳ１５１２に移行して、すぐに撮像動作を開始する。一方、レリーズ釦１４１が全押し操作されないまま、半押し操作されてから所定の時間が経過すると、マイコン１１０はステップＳ１５０８に移行する。
【０１２８】
マイコン１１０は、ステップＳ１５０８において、ミラーボックス１２０の内部を状態Ａから状態Ｂに移行させる。これにより、カメラ１０はフォーカスロックした状態で被写体像を液晶モニタ１５０に表示できる。そのため、ユーザは、フォーカスを好みの状態に保持したまま、液晶モニタ１５０に表示される画像を見て好みの構図を決めることができる。
【０１２９】
次に、マイコン１１０は、レリーズ釦１４１が全押し操作されるかどうかを監視する（Ｓ１５１０）。
【０１３０】
ステップＳ１５１０が実行されている間、ステップＳ１５０４と同様に、フォーカスリング２６２を用いてマニュアルでフォーカス状態を変えることができる（Ｓ１５０９）。
【０１３１】
ステップＳ１５０１〜ステップＳ１５１０の間では、図１４のステップＳ１４０１〜ステップＳ１４０４と同様に、レリーズ釦１４１の半押し操作が解除されると、マイコン１１０は、フォーカスロックを解除し、再びオートフォーカス可能な状態に戻す。そのため、再度レリーズ釦１４１を半押し操作すると、新たなフォーカス状態でロックする。
【０１３２】
以降のステップＳ１５１１〜Ｓ１５１７に示す動作は、図１３のＳ１３０３〜Ｓ１３０９に示す動作と同様であるため、説明を省略する。
【０１３３】
以上のように、レリーズ釦１４１を半押し操作するだけで、可動ミラー１２１がダウンして測距した後、ライブビューモードに戻るよう動作する。これにより、レリーズ釦１４１を半押し操作するという簡単な操作で、ＡＦセンサ１３２を用いたオートフォーカス動作からライブビュー表示までを容易に行うことができる。そのため、ユーザは、簡単な操作で、被写体にフォーカスを合わせた状態でのライブビュー表示による構図合わせを行うことができる。
【０１３４】
また、ユーザは、フォーカス状態を決めてから液晶モニタ１５０を見ながら構図を変えたい場合は、レリーズ釦１４１を半押し操作してから所定時間が経過するまで待てばよい。一方、半押し操作してから直ぐに全押し操作した場合には、ライブビュー表示をすることなく、撮像を開始するので（Ｓ１５０６においてＳ１５０８〜Ｓ１５１１をスキップしている）、半押し操作から撮像開始までの時間を短縮できる。これは、可動ミラーを不必要にアップダウンさせることがないからである。そのため、ユーザは、シャッタタイミングを逃すことなく、好みの画像を撮像できる。
【０１３５】
なお、ステップＳ１５１１〜Ｓ１５１７において、液晶モニタ１５０に様々な表示をさせることができるのは、ステップＳ１１０３〜Ｓ１１０７における場合と同様である。
【０１３６】
また、オートフォーカス動作のとき（Ｓ１５０４）と、撮像動作のとき（Ｓ１５１３）とは、ライブビューを表示できない。あるいは、短時間の間表示できたとしても、継続的に表示するのは困難である。これは、オートフォーカス動作のとき（Ｓ１５０４）は、可動ミラー１２１がダウンしているためである。また、撮像動作のとき（Ｓ１５１３）は、ＣＭＯＳセンサ１３０が露光中で画像データを出力するのが困難なためである。そこで、これらのときには、ライブビュー以外の画像を液晶モニタ１５０に表示することが考えられるが、その場合、オートフォーカス動作のとき（Ｓ１５０４）と、撮像動作のとき（Ｓ１５１３）とで、液晶モニタ１３０に表示させる方法又は表示させない方法を異なるものとするのが好ましい。液晶モニタ１３０の表示が異なるため、オートフォーカス動作中なのか撮像動作中なのかを認識しやすくなるからである。これにより、オートフォーカス動作のときと撮像動作のときとは、共に、可動ミラー１２１がダウンしアップするので、ミラーボックス１２０から発生する音のパターンが似ているため、ユーザが両動作を混同しやすいという問題を解決できる。表示又は非表示の例は様々なものがある。例えば、オートフォーカス動作時には、その直前にバッファ１１１に記憶されている画像データを液晶モニタ１５０に表示するようにする一方、撮像動作時には液晶モニタ１５０をブラックアウト（何も表示させない）にしてもよい。またはその逆でもよい。また、オートフォーカス動作中にはそれを示す情報（例えば「オートフォーカス中です」というメッセージ）を液晶モニタ１５０に表示させ、撮像動作中にはそれを示す情報（例えば「撮像中です」というメッセージ）を液晶モニタ１５０に表示させてもよい。
【０１３７】
また、自動露光制御動作を行うタイミングは、様々に設定できる。この点は、「1-2-3-2-1  光学式ビューファインダを用いた撮像」で説明したものと同様である。
【０１３８】
また、上記では、半押し操作から所定時間が経過するかどうかで、ライブビューモードに復帰するかどうかを決定していたが、これには限らない。例えば、全押し操作がオートフォーカス動作の完了前か後かにより、ライブビューモードに復帰するかどうかを決定するようにしてもよい。すなわち、半押し操作に応じてオートフォーカス動作を開始し、オートフォーカス動作が完了する前に全押し操作された場合、直接記録用画像の撮像動作に移行する一方、オートフォーカス動作が完了する前に全押し操作されなかった場合、一旦ライブビューモードに移行し、その後で全押し操作されたとき記録用画像の撮像動作に移行するようにしてもよい。
【０１３９】
〔1-2-3-3  コンティニュアスフォーカス撮像の動作〕
コンティニュアスフォーカス方式は、レリーズ釦１４１の半押し操作に応じて、オートフォーカス動作を行うのであるが、半押し操作中は、継続的にオートフォーカス動作を繰り返して、フォーカス状態を更新する方式である。フォーカス状態の更新は、記録用画像の撮像が完了するか、レリーズ釦１４１の半押し操作が解除されるまで持続する。ユーザは、コンティニュアスフォーカス方式を選択することによって、特定の被写体に繰り返しフォーカスを合わせることできる。そのため、特に、動く被写体を撮像する際に便利なフォーカス方式である。
【０１４０】
〔1-2-3-3-1 光学式ビューファインダを用いた撮像時の動作〕
図１６は、コンティニュアスフォーカスモードにおいて、光学式ビューファインダを用いた撮像の際の動作を説明するためのフローチャートである。
【０１４１】
図１６において、ＯＶＦモードでの撮像の場合、ミラーボックス１２０の内部は、図１に示す状態Ａとなっている。ユーザは、撮像前に、接眼レンズ１３６を通して被写体像を確認しながら、フォーカスや構図を合わせる。マイコン１１０は、ユーザがフォーカスを合わせるためにレリーズ釦１４１を半押し操作するかどうかを監視する（Ｓ１６０１）。
【０１４２】
ユーザがレリーズ釦１４１を半押し操作すると、ＡＦセンサ１３２の測定結果に基づくオートフォーカス動作を開始する（Ｓ１６０２）。
【０１４３】
そして、ユーザがレリーズ釦１４１を半押し操作している間は、ＣＰＵ２１０は、被写体までの距離に関するＡＦセンサ１３２の測定結果に基づいてフォーカス状態を更新する。その間、マイコン１１０は、レリーズ釦１４１が全押し操作されるかどうかを監視する（Ｓ１６０３）。
【０１４４】
以降のステップＳ１６０４〜Ｓ１６０８までの動作は、図１１のステップＳ１１０３〜Ｓ１１０７までの動作と同様であるため、説明を省略する。また、ステップＳ１６０４〜Ｓ１６０８において、液晶モニタ１５０に様々な表示をさせることができるのは、図１１のステップＳ１１０３〜Ｓ１１０７における場合と同様であるため、説明を省略する。
【０１４５】
なお、ユーザがレリーズ釦１４１を全押し操作する前に、半押し操作が解除されると、ＣＰＵ２１０はＡＦセンサ１３２の測定結果に基づくオートフォーカス動作を停止する。
【０１４６】
また、自動露光制御動作を行うタイミングは、様々に設定できる。この点は、「1-2-3-2-1  光学式ビューファインダを用いた撮像」で説明したものと同様である。
【０１４７】
〔1-2-3-3-2  液晶モニタを用いた撮像動作〕
図１７は、コンティニュアスフォーカスモードにおいて、液晶モニタ１５０を用いた撮像の際の動作を説明するためのフローチャートである。本動作において、オートフォーカス動作は、ＣＭＯＳセンサ１３０で生成された画像データを利用する方式のオートフォーカス動作とＡＦセンサ１３２の測定結果を利用する方式のオートフォーカスとを併用する。
【０１４８】
ここで、ＣＭＯＳセンサ１３０で生成された画像データを利用する方式のオートフォーカス動作としては、例えば、いわゆる山登り方式のオートフォーカス動作が考えられる。山登り方式のオートフォーカス動作とは、フォーカスレンズ２６０を微小動作させながらＣＭＯＳセンサ１３０で生成された画像データのコントラス値を監視し、そのコントラスト値の大きい方向にフォーカスレンズを位置させる方式のオートフォーカス動作である。
【０１４９】
図１７において、ライブビューモードでの撮像の場合、ミラーボックス１２０の内部は、当初、図５に示す状態Ｂとなっている。ユーザは、撮像前に、液晶モニタ１５０を通して被写体像を確認しながら、フォーカスや構図を合わせる。マイコン１１０は、ユーザがフォーカスを合わせるためにレリーズ釦１４１を半押し操作するかどうかを監視する（Ｓ１７０１）。
【０１５０】
ユーザがレリーズ釦１４１を半押し操作すると、マイコン１１０は、ＣＭＯＳセンサ１３０で生成される画像データのコントラストに基づくオートフォーカス動作を開始する（Ｓ１７０２）。
【０１５１】
ユーザがレリーズ釦１４１を半押し操作している間は、ＣＰＵ２１０は、上記コントラストに基づいてフォーカス状態を更新する。その間、マイコン１１０は、レリーズ釦１４１が全押し操作されるかどうかを監視する（Ｓ１７０３）。
【０１５２】
マイコン１１０は、ステップＳ１７０３においてレリーズ釦１４１が全押し操作されたことを検知すると、ミラーボックス１２０の内部を状態Ｂから状態Ｃを経て状態Ａに移行させる（Ｓ１７０４）。
【０１５３】
次に、マイコン１１０は、ＡＦセンサ１３２の測定結果に基づくオートフォーカス動作を行うよう制御する（Ｓ１７０５）。
【０１５４】
以降は、撮像動作から記録動作までを行うが（Ｓ１７０６〜Ｓ１７１１）、これらの動作は、図１５のステップＳ１５１２〜Ｓ１５１７に示す動作と同様であるため、詳細な説明は省略する。
【０１５５】
以上のように、ＣＭＯＳセンサ１３０で生成された画像データに基づくオートフォーカス動作と、ＡＦセンサ１３２の測定結果に基づくオートフォーカス動作とを併用することにより、可動ミラー１２１が光路内から退避しているときも光路内に進入しているときもともに、オートフォーカス動作を行うことができる。
【０１５６】
また、レリーズ釦１４１の半押し操作中は、ＣＭＯＳセンサ１３０で生成された画像データに基づくオートフォーカス動作をすることにより、コンティニュアスフォーカス動作をしつつライブビューを継続的に液晶モニタ１５０に表示できる。
【０１５７】
また、全押し操作後、ＡＦセンサ１３２の測定結果に基づくオートフォーカス動作を行うので、撮像直前により正確にフォーカスを合わせることができる。特に、動きの速い被写体を撮像する場合、最後のオートフォーカス動作（Ｓ１７０５）から撮像動作（Ｓ１７０７）までの時間が短いので、フォーカスを合わせやすい。すなわち、ＣＭＯＳセンサ１３０で生成された画像データに基づいてコンティニュアスフォーカス動作を行っている状態において、ＣＭＯＳセンサ１３０での記録用画像の撮像動作に移行する際には、その撮像動作に移行する前に、可動ミラー１２１を光路内に進入させ、ＡＦセンサ１３２の測定結果に基づくオートフォーカス動作を行うのである。
【０１５８】
なお、ユーザがレリーズ釦１４１を全押し操作する前に、半押し操作が解除されると、ＣＰＵ２１０は上記コントラストに基づくオートフォーカス動作を停止する。
【０１５９】
また、ステップＳ１７０５において、オートフォーカス動作とともに、ＡＥセンサ１３３での測光動作を行ってもよい。
【０１６０】
また、ステップＳ１７０６〜Ｓ１７１１において液晶モニタ１５０に様々な表示をさせることができるのは、ステップＳ１１０３〜Ｓ１１０７における場合と同様である。
【０１６１】
〔1-2-4  ライブビューモードへの移行時のオートフォーカス動作〕
実施の形態１にかかるカメラ１０は、ＯＶＦモードからライブビューモードへ切り換えたとき、オートフォーカス動作を行う。図１８は、ライブビューモードへの移行時のオートフォーカス動作を示すフローチャートである。
【０１６２】
図１８において、マイコン１１０は、ＯＶＦモードで動作しているとき、ビューファインダ切替スイッチ１４０ｅが切り替えられるかどうかを監視する（Ｓ１８０１）。
【０１６３】
ビューファインダ切替スイッチ１４０ｅがライブビューモードに切り替えられると、マイコン１１０は、ＡＦセンサ１３２の測定結果に基づくオートフォーカス動作を行うよう制御する（Ｓ１８０２）。
【０１６４】
そのオートフォーカス動作が終了すると、マイコン１１０は、ミラーボックス１２０の内部を状態Ａから状態Ｂに移行させる（Ｓ１８０３）。そして、マイコン１１０は、ライブビューモードでの動作を開始する。
【０１６５】
以上のように、ＯＶＦモードからライブビューモードへの切り替え時に、オートフォーカス動作を行うため、ライブビュー開始直後からフォーカスが被写体に合った状態で、液晶モニタ１５０で被写体像の観察を開始できる。そのため、ライブビュー切り替え時から構図の設定までに要する時間を短縮できるので、ユーザにとって操作性がよい。
【０１６６】
なお、図１８に示すフローでは、オートフォーカス動作（Ｓ１８０２）の後、可動ミラー１２１をアップさせる動作としたが（Ｓ１８０３）、これに限らず、可動ミラー１２１をアップさせた後オートフォーカス動作を行ってもよい。但し、この場合、オートフォーカス動作としては、ＣＭＯＳセンサ１３０で生成した画像データに基づくオートフォーカス動作を行うのが好ましい。このオートフォーカス動作は、可動ミラー１２１をアップさせた状態で実行可能だからである。
【０１６７】
また、ステップＳ１８０２において、オートフォーカス動作とともに、ＡＥセンサ１３３での測光動作を行ってもよい。
【０１６８】
また、図１８に示すフローでは、オートフォーカス動作が終了した後、ライブビューモードに移行するとしたが、これに限らず、ＡＦセンサ１３２での測定後、直ぐにライブビューモードに移行してもよい。この場合、ＡＦセンサ１３２での測距工程以降のオートフォーカス動作のうち、少なくとも一部は、ライブビューモード中に動作するようにする。これにより、オートフォーカス動作が完了する前にライブビューモードに移行できるので、ビューファインダ切替スイッチ１４０ｅの切り替えからライブビューモードへの突入までの時間を短くできる。そのため、ユーザにとって操作性がよくなる。
【０１６９】
〔1-2-5  測距ポイントの表示〕
実施の形態１にかかるカメラ１０は、オートフォーカス動作のために可動ミラー１２１を光路内に進入させるとき、又はＣＭＯＳセンサ１３０で記録用画像を撮像する準備のために可動ミラー１２１を光路内に進入させるとき、図１９に示すように、フォーカスを合わせたポイントを液晶モニタ１５０に表示する。
【０１７０】
カメラ１０は、オートフォーカス動作中又は記録用画像の撮像動作中は、液晶モニタ１５０にライブビューを表示できない。あるいは、短時間の間表示できたとしても、継続的に表示するのは困難である。この点については上述の通りである。このようなときには、ライブビュー以外の画像を液晶モニタ１５０に表示することが考えられるが、その場合、現在画面内のどこにフォーカスが合っているのかを確認することが難しい。そこで、オートフォーカス動作中又は記録用画像の撮像動作中などのようにライブビュー表示できない場合には、液晶画面上にどこにフォーカスがあっているのかを表示させる。
【０１７１】
ＡＦセンサ１３２は、ラインセンサ、結像レンズ、コンデンサレンズ等を含む構成である。図２０は、ＡＦセンサ１３２に含まれるラインセンサ１３２ａ〜１３２ｇの配置を示す模式図である。図２０に示すように、ラインセンサは、８個配置される。そして、ラインセンサ１３２ａとラインセンサ１３２ｂ、ラインセンサ１３２ｃとラインセンサ１３２ｄ、ラインセンサ１３２ｅとラインセンサ１３２ｆ、及びラインセンサ１３２ｇとラインセンサ１３２ｈの４組によって、デフォーカス量を測定する。
【０１７２】
デフォーカス量の算出方法は、次の通りである。交換レンズ２００から入射された被写体像を分割して、各ペアのラインセンサにそれぞれ入射する。そして、各ペア毎にラインセンサ１３２ａ〜１３２ｇは、受光した被写体像のデフォーカス量を測定する。
【０１７３】
その後、マイコン１１０は、ラインセンサ１３２ａ〜１３２ｈの各ペアで測定したデフォーカス量のうち最も大きいものを選択する。これは、カメラ１０から最も近い被写体を選択することを意味する。そして、マイコン１１０は、選択したデフォーカス量をＣＰＵ２１０に送信するとともに、選択したラインセンサのペアに対応する液晶モニタ１５０の画面上の位置に、オートフォーカスを合わせるポイントとして選択した旨を示す情報を表示させる。その後、ＣＰＵ２１０は、受信した距離に関する情報に基づいて、オートフォーカス制御を行う。
【０１７４】
例えば、マイコン１１０がラインセンサ１３２ａ及び１３２ｂから構成されるペアで測定されたデフォーカス量が最も大きいと判断した場合、そのペアに対応する液晶モニタ１５０の画面上の位置に、図１９に示すようなマークＭを表示させる。
【０１７５】
このマークＭの表示は、可動ミラー１２１を光路内に進入させているときに行えばよい。また、マークＭは、液晶モニタ１５０がブラックアウトしているときに表示してもよい。また、可動ミラー１２１を光路内に進入させる前に、バッファ１１１に記憶させておいた画像データを読み出して表示させ、その画像に上書きするようにマークＭを表示するようにしてもよい。
【０１７６】
以上のように、可動ミラー１２１を光路内に進入させているときにオートフォーカス動作をした場合、そのフォーカスを合わせたポイントを示すマークＭを液晶モニタ１５０の画面上に表示するため、液晶モニタ１５０にライブビュー表示していなくても、どの被写体にフォーカスが合っているのかを把握できる。特に、図１５のステップＳ１５０５〜ステップＳ１５０７では、所定時間経過するまでライブビュー表示できないが、このようにライブビュー表示できない期間にマークＭを表示させることで、カメラ１０の動作状態をユーザに示すことができる。
【０１７７】
また、可動ミラー１２１を光路内に進入させる前に、バッファ１１１に記憶させておいた画像データを読み出して表示させ、その画像に上書きするようにオートフォーカスポイントを示すマークＭを表示することにより、どの被写体にフォーカスが合っているのかをより容易に把握できる。
【０１７８】
〔1-2-6  ほこり自動除去の動作〕
本実施の形態１にかかるカメラ１０は、保護材１３８に付着したほこり等の異物を超音波振動発生器１３４で除去できる。図２１は、ほこりの自動除去動作を説明するためのフローチャートである。
【０１７９】
図２１において、マイコン１１０は、異物自動除去動作が開始されるまで、異物除去釦１４０ｎが操作されるかどうかを監視する（Ｓ２１０１）。
【０１８０】
ユーザは、カメラ１０の交換レンズ２００を白等の単色の被写体に向けた状態で異物除去釦１４０ｍを押下する。すると、マイコン１１０は、ライブビューモードが設定されているかどうかを把握する（Ｓ２１０２）。マイコン１１０は、ライブビューモードに既に設定されている場合は、ステップＳ２１０４に移行する。一方、マイコン１１０は、ＯＶＦモードに設定されている場合は、ミラーボックス１２０の内部を状態Ａから状態Ｂに移行させた後（Ｓ２１０３）、ステップＳ２１０４に移行する。
【０１８１】
ステップＳ２１０４において、マイコン１１０は、ＣＭＯＳ１４０で生成された画像データ、またはその画像データに所定の処理を施した画像データを、バッファ１１１に格納させる。そして、マイコン１１０は、バッファ１１１に格納した画像データを読み出して、その画像データに異常があるか、それともほぼ均一の画像データであるのかを判断する（Ｓ２１０５）。この判断は、例えば、画像データの空間的な高周波成分の積算値が所定値を超える場合に、異常であると判断するようにしてもよい。
【０１８２】
マイコン１１０は、ステップＳ２１０５において画像データに異常があると判断した場合には、異物が保護材１３８に異物が付着していると判断し、超音波振動発生器１３４を起動する（Ｓ２１０６）。超音波振動発生器１３４で発生した振動は、保護材１３８に伝達し、多くの場合、保護材１３８から離脱する。その結果、異物が光路からずれて画像データが正常なものとなれば、超音波振動発生器１３４を停止してステップＳ２１０８に移行する。一方、引き続き画像データが異常であれば、超音波振動発生器１３４の動作を続ける。
【０１８３】
ステップＳ２１０８において、マイコン１１０は、異物除去釦１４０ｎが操作される前にライブビューモードが設定されていたかどうかを判断する（Ｓ２１０８）。ライブビューモードが設定されていた場合には、マイコン１１０は、そのままの状態で異物除去動作を終了して、ライブビュー動作を続ける。一方、ＯＶＦモードが設定されていた場合には、マイコン１１０は、ミラーボックス１２０の内部を状態Ｂから状態Ｃを経て状態Ａに移行させ、ＯＶＦモードでの動作に移行し（Ｓ２１０９）、その状態で動作を続ける。
【０１８４】
以上のように、異物除去釦１４０ｎを押下するという簡単な操作で、ライブビューモードに設定され、そのときの画像データを利用して、保護材１３８に異物が付着しているかどうかを検知する。これにより、簡単な操作で保護材１３８に付着した異物を除去可能である。
【０１８５】
また、撮像した画像に異常があるときだけ超音波振動発生器１３４を起動するようにしたので、ミラーボックス１２０に余計な負荷を加えることがない。ミラーボックス１２０は精密な光学機器であるため、光学特性の維持という観点から、できるだけ振動等を加えない方がよい。同様に、画像データが正常に戻ると、それを検知して、超音波振動発生器１３４を停止するようにしたので、ミラーボックス１２０に余計な負荷を加えることがなく、ミラーボックス１２０の光学特性を良好に維持できる。
【０１８６】
なお、上記の実施例では、画像データが正常に戻るまで超音波振動発生器１３４を動作し続けるとしたが、これに限らない。例えば、所定時間内は上記実施例のように画像データが正常になるまで超音波振動発生器１３４を動かす一方、所定時間が経過した場合は、画像データが異常なままであっても超音波振動発生器１３４を停止させるようにしてもよい。これにより、超音波振動発生器１３４を動作し続けることによりミラーボックス１２０に過度の負担が加わることを防止できる。
【０１８７】
また、上記の実施例では、超音波振動発生器１３４を動作させた後、画像データが正常になるかどうかを監視するとしたが、これに限らない。例えば、超音波振動発生器１３４を動作させた後、画像データが正常になるかどうかを監視せず、所定の時間が経過することにより、超音波振動発生器１３４の動作を停止するようにしてもよい。
【０１８８】
〔1-2-7  ライブビューモードにおけるストロボ撮像〕
図１において、カメラ１０は、２つの測光方式を実行することができる。その測光方式は、ＡＥセンサ１３３を用いて測光する方式と、ＣＭＯＳセンサ１３０を用いて測光する方式である。ＡＥセンサ１３３を用いて測光する方式については、上述した通りである。一方、ＣＭＯＳセンサ１３０のみを用いて測光する場合には、ＡＥセンサ１３３を省くことができるので、コスト低減を図ることができる。また、ＣＭＯＳセンサ１３０を用いた場合、ミラーボックス１２０の内部が状態Ｂのときにも測光動作を行うことができる。そのため、ライブビュー動作中に測光を行い、絞り２４０を調節することが可能である。このようなＣＭＯＳセンサ１３０を用いた絞り２４０の自動調節は、ライブビュー動作中に継続的に実行してもよい。
【０１８９】
ユーザは、メニュー釦１４０ａを押下して、メニュー画面から選択項目を選択することにより、ストロボ撮像下で、ＡＥセンサ１３３のみを用いた測光を行うか、ＡＥセンサ１３３とＣＭＯＳセンサ１３０とを併用して測光を行うか、ＣＭＯＳセンサ１３０のみを用いた測光を行うかを選択可能である。
【０１９０】
〔1-2-7-1  ＡＥセンサのみを用いた測光動作〕
図２２は、ＡＥセンサ１３３のみを用いた場合のストロボ撮像動作を説明するためのフローチャートである。
【０１９１】
図２２において、マイコン１１０は、当初、ライブビューモードに設定されているとする。また、フォーカスは、すでに、マニュアル操作またはオートフォーカス動作によりロックされているものとする。また、ストロボ起動釦１４０ｈがユーザにより押下され、ストロボ１３７は予め充電された状態であるとする。また、測光方式は、ユーザによりＡＥセンサ１３３のみを用いた測光方式に設定されているとする。
【０１９２】
この状態で、マイコン１１０は、レリーズ釦１４１が全押し操作されるかどうかを監視する（Ｓ２２０１）。そして、マイコン１１０は、レリーズ釦１４１が全押し操作されると、ミラーボックス１２０の内部を状態Ｂから状態Ｃを経て状態Ａに移行させる（Ｓ２２０２）。
【０１９３】
すると、交換レンズ２００から入射される光の一部は、可動ミラー１２１ａで反射し、焦点板１２５で拡散され、その一部がＡＥセンサ１３３に入射する。ＡＥセンサ１３３は、これを測定する。すなわち、ＡＥセンサ１３３は定常光を測定する（Ｓ２２０３）。そして、マイコン１１０は、ＡＥセンサ１３３による定常光での測光結果を取得する。
【０１９４】
次に、マイコン１３３は、ストロボ１３７を制御して、プリ発光させる。ＡＥセンサ１３３は、プリ発光期間中に測光する（Ｓ２２０４）。マイコン１１０は、プリ発光期間中のＡＥセンサ１３３の測光結果を取得する。
【０１９５】
マイコン１１０は、取得した定常光下での測光結果及びプリ発光下での測光結果に基づいて、絞り値およびシャッタスピードを決定する。これらの決定に際しては、定常光下での測光結果とプリ発光下での測光結果とを比較して、被写体の照明環境を把握する。例えば、被写体が暗い環境下にあるのか、逆光の状態にあるのか等によって、絞り値、シャッタスピードを決定する。マイコン１１０は、決定した絞り値をＣＰＵ２１０に送信する。ＣＰＵ２１０は、受信した絞り値に基づいて絞り２４０を調整する。
【０１９６】
また、マイコン１１０は、ステップＳ２２０５における絞り値及びシャッタスピードの決定と並行して、ストロボ１３７による本発光時の発光量を決定する（Ｓ２２０６）。そして、マイコン１１０は、決定した本発光量をストロボ１３７に送信する。
【０１９７】
次に、ストロボ１３７は、受信した本発光量で本発光をする（Ｓ２２０７）。本発光期間中に、マイコン１１０は、ミラーボックス１２０の内部を状態Ａから状態Ｂに移行させて（Ｓ２２０８）、撮像動作を開始する（Ｓ２２０９）。撮像動作は、ステップＳ２２０５で決定したシャッタスピード期間中行われる。
【０１９８】
移行のステップＳ２２１０〜ステップＳ２２１３の動作は、上述のステップＳ１３０６〜ステップＳ１３０９に示す動作やステップＳ１４１４〜ステップＳ１４１７に示す動作等と同様であるため、説明を省略する。
【０１９９】
以上のように、ライブビューモードからミラーボックス１２０の内部を一旦状態Ａにすることにより、ＡＥセンサ１３３での測光が可能になる。
【０２００】
〔1-2-7-2  ＡＥセンサとＣＭＯＳセンサとを併用した測光動作〕
図２３は、ＡＥセンサ１３３とＣＭＯＳセンサ１３０とを用いた場合のストロボ撮像動作を説明するためのフローチャートである。当初の設定は上記と同様である。すなわち、マイコン１１０は、ライブビューモードに設定されているとする。フォーカスは、すでに、マニュアル操作またはオートフォーカス動作によりロックされているものとする。ストロボ起動釦１４０ｈがユーザにより押下され、ストロボ１３７は予め充電された状態であるとする。測光方式は、ユーザによりＡＥセンサ１３３とＣＭＯＳセンサ１３０とを用いた測光方式に設定されているとする。
【０２０１】
図２３において、マイコン１１０は、レリーズ釦１４１が全押し操作されるかどうかを監視する（Ｓ２３０１）。そして、マイコン１１０は、レリーズ釦１４１が全押し操作されると、ライブビューモードのままＣＭＯＳセンサ１３０に測光させる。したがって、ＣＭＯＳセンサ１３０は、定常光を測光する（Ｓ２３０２）。そして、マイコン１１０は、ＣＭＯＳセンサ１３０による定常光での測光結果を取得する。
【０２０２】
次に、マイコン１３０は、ミラーボックス１２０の内部を状態Ｂから状態Ｃを経て状態Ａに移行させる（Ｓ２３０３）。
【０２０３】
すると、交換レンズ２００から入射される光の一部は、可動ミラー１２１ａで反射し、焦点板１２５で拡散され、その一部がＡＥセンサ１３３に入射する。この状態で、マイコン１３３は、ストロボ１３７を制御して、プリ発光させる。ＡＥセンサ１３３は、プリ発光期間中に測光する（Ｓ２３０４）。マイコン１１０は、プリ発光期間中のＡＥセンサ１３３の測光結果を取得する。
【０２０４】
以降のステップＳ２３０５〜ステップＳ２３１３に示す動作は、図２２のステップＳ２２０５〜Ｓ２２１３に示す動作と同様であるため、説明を省略する。
【０２０５】
以上のように、定常光の測光はＣＭＯＳセンサ１３０で行うので、全押し操作後、直ぐに定常光の測光が行える。また、プリ発光の測光はＡＥセンサ１３３で行うようにしたため、プリ発光の測光を正確に行うことができる。プリ発光の測光を正確に行えるのは、ＡＥセンサ１３３は、ＣＭＯＳセンサ１３０に比べて、測光対象の光の量の許容範囲が広いからである。すなわち、ＡＥセンサ１３３は、測光に特化して作製されているため、弱い光から強い光まで正確に測定できる。これに対して、ＣＭＯＳセンサ１３０は、光量を測定するためのものではなく、画像データを生成するための素子である。すなわち、ＣＭＯＳセンサ１３０での測光は、画像データの生成機能に伴う付随的な機能に過ぎないのである。ＣＭＯＳセンサ１３０は、画像データの生成機能が主であって測光機能は副であるため、定常光の撮像には適しているが強い光の撮像には適していない。例えば、ＣＭＯＳセンサ１３０は、強い光を入射すると、画像データが飽和して白くなってしまうことが多い。一方、プリ発光時には、ストロボ１３７が強い光を発し、被写体からの反射光が強い場合がある。以上から、プリ発光時には、ＣＭＯＳセンサ１３０で測光するよりもＡＦセンサ１３３で測光する方が、正確な測光データを得られる場合が多いのである。
【０２０６】
なお、上記実施例では、全押し操作（Ｓ２３０１）の後に、定常光の測光を行うとしたが（Ｓ２３０２）、これには限らない。例えば、全押し操作されるまで、マイコン１１０は、ＣＭＯＳセンサ１３０を用いて継続的に測光しておき、全押し操作されると、全押し操作直前に取得した定常光の測光データを、絞り値、シャッタスピード、本発光の発光量の決定に用いるようにしてもよい。これにより、全押し操作から撮像動作までに要する時間を短縮できるので、ユーザはシャッタチャンスを逃しにくくなる。また、操作性もよくなる。
【０２０７】
〔1-2-7-3  ＣＭＯＳセンサのみを用いた測光動作〕
ＣＭＯＳセンサ１３０のみを用いた場合のストロボ撮像動作を図２３を参照して説明する。
【０２０８】
図２３において、ＡＥセンサ１３３とＣＭＯＳセンサ１３０とを用いた場合には、ミラーボックス１２０の内部を状態Ｂから状態Ｃを経て状態Ａに移行させた後（Ｓ２３０３）、プリ発光の測光を行う（Ｓ２３０４）。
【０２０９】
これに対して、ＣＭＯＳセンサ１３０のみを用いた場合、プリ発光の測光を行った後に（Ｓ２３０４）、ミラーボックス１２０の内部を状態Ｂから状態Ｃを経て状態Ａに移行する（Ｓ２３０３）。これにより、定常光の測光もプリ発光の測光もＣＭＯＳセンサ１３０のみを用いて実行できる。その他の動作は、ＡＥセンサ１３３とＣＭＯＳセンサ１３０とを用いた場合と同様であるため、説明を省略する。
【０２１０】
以上のように、プリ発光の測光を待って、ミラーボックス１２０の内部を状態Ｂから状態Ｃを経て状態Ａに移行させるようにしたため、ＣＭＯＳセンサ１３０のみを用いて、定常光もプリ発光も測光できる。これにより、ＡＥセンサ１３３を省くことができるので、コスト低減を図ることができる。
【０２１１】
なお、上記実施例では、全押し操作（Ｓ２３０１）の後に、定常光の測光を行うとしたが（Ｓ２３０２）、これには限らない。例えば、全押し操作されるまで、マイコン１１０は、ＣＭＯＳセンサ１３０を用いて継続的に測光しておき、全押し操作されると、全押し操作直前に取得した定常光の測光データを、絞り値、シャッタスピード、本発光の発光量の決定に用いるようにしてもよい。これにより、全押し操作から撮像動作までに要する時間を短縮できるので、ユーザはシャッタチャンスを逃しにくくなる。また、操作性もよくなる。
【０２１２】
〔1-2-8  ライブビューモードのリセット動作〕
ライブビューモードにおいて、外部からカメラ１０に衝撃が加わった場合、第２シャッタ１２３ｂの保持状態が解除されて、ミラーボックス１２０の内部が状態Ｂから状態Ｃに移行する場合がある。そうなると、交換レンズ２００からの光学的信号は、第２シャッタ１２３ｂで遮断されてしまい、ＣＭＯＳセンサ１３０に届かなくなってしまう。すると、それまで被写体像をライブビュー表示していた液晶モニタ１５０が、衝撃により何も表示しなくなってしまうことになる。これを見たユーザは、カメラ１０が故障したものと勘違いしてしまう場合がある。
【０２１３】
このような不具合を防止するためには、第２シャッタ１２３ｂの保持状態が解除されるかどうかを監視するためのセンサを設ける構成が考えられる。しかし、そのようなセンサを設けると、コストが増加してしまう。そこで、カメラ１０に衝撃が加わると、その衝撃を検知して、ライブビューモードをリセットするように制御することで、上記不具合を防止することができる。上記不具合を防止できる理由は、第２シャッタ１２３ｂの保持状態が解除されることがあるからである。
【０２１４】
図２４は、衝撃によりライブビューモードをリセットする際の動作を説明するためのフローチャートである。
【０２１５】
図２４において、マイコン１１０は、当初、ライブビューモードで動作しているものとする。この状態でマイコン１１０は、カメラ１０に衝撃が加わるかどうかを監視する（Ｓ２４０１）。衝撃印加の監視動作について、詳細に説明する。
【０２１６】
図４において、ジャイロセンサ２５２は、継続的に角速度を測定する。ＣＰＵ２１０は、ジャイロセンサ２５２で測定した角速度を積分して角度を求める。ＣＰＵ２１０は、求めた角度を、手振れ補正ユニット２５０における手振れ補正制御に用いるとともに、求めた角度の所定時間当たりの変化量を監視する。そして、ＣＰＵ２１０は、この変化量が所定値以上に大きくなった場合、マイコン１１０に通知する。これを受けて、マイコン１１０は、カメラ１０に衝撃が加わったと判断する。
【０２１７】
図２４において、マイコン１１０は、衝撃を検知すると、ミラーボックス１２０の内部を状態Ｂから状態Ｃを経て状態Ａに移行させる（Ｓ２４０２）。その後、マイコン１１０は、ミラーボックス１２０の内部を状態Ａから状態Ｂに移行させて、ライブビューに戻る。
【０２１８】
以上のように、カメラ１０に加わる衝撃を検知して、ライブビューモードをリセットするようにしたので、衝撃によりライブビュー表示が中断された状態を自動的に回復することができる。そのため、カメラ１０が故障したものとユーザが勘違いしてしまうことを防止できる。また、ライブビュー表示が中断した際に、手動でライブビュー表示に回復させる操作をする必要がないので、操作性がよい。
【０２１９】
また、衝撃を検知するためのセンサとして、手振れ補正用のジャイロセンサ２５２を兼用したので、特別に衝撃検出用のセンサを設ける必要がなく、コストダウン、および機器の小型化が可能になる。
【０２２０】
なお、本実施例では、衝撃を検知するために、ＣＰＵ２１０が角度の所定時間当たりの変化量を監視するとしたが、これに限らない。例えば、ＣＰＵ２１０は、ジャイロセンサ２５２からの角速度情報を直接監視するようにしてもよい。このように監視する理由は、角速度が大きい場合は衝撃が加わったものと判断できるからである。
【０２２１】
また、本実施例では、衝撃を検知するためのセンサとして、手振れ補正用のジャイロセンサ２５２を兼用したが、これには限らない。例えば、衝撃用のセンサを設けてもよい。
【０２２２】
（実施の形態２）
実施の形態１にかかるカメラ１０は、ビューファインダ切替スイッチ１４０ｅをマニュアル操作することにより、ＯＶＦモードからライブビューモードに切り替えることとした。しかし、常にマニュアル操作をしなければライブビューモードに切り替えられないとすると、不便である。特に、ライブビューモードに切り替える必要性が高い場合に、自動的にライブビューモードに切り替えられれば、ユーザの操作性を向上できる。そこで、実施の形態２では、各種のイベントに応じて、自動的にライブビューモードに切り替えることができるカメラを実現している。
【０２２３】
なお、実施の形態２にかかるカメラ１０の構成は、実施の形態１にかかるカメラ１０の構成と同様であるため、説明を省略する。
【０２２４】
〔2-1  絞り調整によりライブビューモードに移行する動作〕
前述の実施の形態１では、ライブビューモードにおいて記録用画像の撮像時の被写界深度を観察するために、絞込み釦１４０ｋ及びＬＶプレビュー釦１４０ｊを設けた。これにより、瞬時に記録用画像の撮像時の被写体像について、その被写界深度を液晶モニタ１３０を用いて観察できるので、操作性が良い。しかし、実施の形態１では、絞込み釦１４０ｋ及びＬＶプレビュー釦１４０ｊが有効となるのは、マイコン１１０がライブビューモードに設定されているときである。そのため、ＯＶＦモードにおいて記録用画像の撮像時の被写界深度を観察するには、一旦手動でライブビューモードに切り替えた後、絞込み釦１４０ｋ又はＬＶプレビュー釦１４０ｊを押下する必要があった。実施の形態２に示すカメラ１０は、この問題を解決するものである。
【０２２５】
図２５は、ＯＶＦモード時にＬＶプレビュー釦１４０ｊを押下したときの動作を説明するためのフローチャートである。
【０２２６】
図２５において、マイコン１１０は、当初、ＯＶＦモードに設定されている。このとき、ミラーボックス１２０の内部は、図１に示す状態Ａとなっている。また、マイコン１１０は、ＬＶプレビュー釦１４０ｊが押下されるかどうか監視している（Ｓ２５０１）。
【０２２７】
この状態で、ユーザがＬＶプレビュー釦１４０ｊを押下すると、マイコン１１０はそれを検知して、ＡＥセンサ１３３を用いて露光量の計測を開始する（Ｓ２５０２）。
【０２２８】
マイコン１１０は、この計測結果をＣＰＵ２１０に送信する。ＣＰＵ２１０は、受信した計測結果と、現在の絞り２４０の開放状態とに基づいて記録用画像の撮像時の絞り２４０の適正開放量を算出する。そして、ＣＰＵ２１０は、その算出結果に基づいて、モータ２４１を制御する。モータ２４１は、ＣＰＵ２１０の制御に基づいて、絞り２４０を調節する（Ｓ２５０３）。
【０２２９】
次に、マイコン１１０は、ミラーボックス１２０の内部を状態Ａから状態Ｂに移行させる（Ｓ２５０４）。
【０２３０】
次に、マイコン１１０は、図１０に示すように、ＣＭＯＳセンサ１３０で生成された画像データの一部の領域Ｒ２について、拡大して表示させる（Ｓ２５０５）。画面内のどの部分を拡大領域Ｒ２とするかは、十字キー１４０ｂ等を操作することによって変更可能である。
【０２３１】
次に、マイコン１１０は、ライブビュー動作を続ける（Ｓ２５０６）。
【０２３２】
マイコン１１０は、ライブビュー動作での動作中、ＬＶプレビュー釦１４０ｊが再び押下されるかどうかを監視する（Ｓ２５０７）。
【０２３３】
ＬＶプレビュー釦１４０ｊが再び押下されると、マイコン１１０は、ＣＰＵ２１０に絞り２４０を開放させる（Ｓ２５０８）。
【０２３４】
次に、マイコン１１０は、ミラーボックス１２０の内部を状態Ｂから状態Ｃを経て状態Ａに移行させる（Ｓ２５０９）。これにより、最初にＬＶプレビュー釦１４０ｊを押下する前の状態にカメラ１０を戻すことができる。
【０２３５】
以上のように、カメラ１０がＯＶＦ動作中であっても、ＬＶプレビュー釦１４０ｊの操作という簡単な操作により、カメラ１０をライブビューモードに移行して、記録用画像の被写界深度を撮像前にライブビュー表示にて容易に確認できる。
【０２３６】
なお、本実施の形態２では、ＯＶＦモード時にＬＶプレビュー釦１４０ｊを押下する場合を説明したが、ＯＶＦモード時に絞込み釦１４０ｋを押下する場合も同様である。但し、ＬＶプレビュー釦１４０ｊを押下する場合は、上述のように画像データの一部の領域Ｒ２について拡大して表示するが、絞込み釦１４０ｋを押下する場合は、そのような拡大表示をしない点で異なる。
【０２３７】
〔2-2  リモコン操作によりライブビューモードに移行動作〕
図２に示すように、リモコン受信部１５５は、リモートコントローラ（図示省略）からの制御信号を受信可能である。リモートコントローラ（図示省略）からの制御信号を受信する場合、ユーザはカメラ１０から離れたところで操作をしている場合が多い。このとき、被写体像を光学式ビューファインダを用いて観察するのでは不便であるため、ユーザは、リモートコントローラ（図示省略）を用いて操作する場合、ビューファインダ切替スイッチ１４０ｅを用いてライブビューモードに切り替える場合が多い。しかし、リモートコントローラ（図示省略）で操作する際、手動でライブビューモードに切り替えるのでは不便である。そこで、実施の形態２にかかるカメラ１０では、リモコン受信部１５５がリモートコントローラからの制御信号を受信すると、マイコン１１０はライブビューモードに移行する。
【０２３８】
図２６は、リモコン操作によりライブビューモードに移行する際の動作を説明するためのフローチャートである。
【０２３９】
図２６において、マイコン１１０は、当初、ＯＶＦモードに設定されている。このとき、ミラーボックス１２０の内部は、図１に示す状態Ａとなっている。また、マイコン１１０は、リモコン受信部１５５がリモートコントローラ（図示省略）からの制御信号を受信するかどうかを監視している（Ｓ２６０１）。
【０２４０】
この状態で、リモコン受信部１５５がリモートコントローラ（図示省略）からの制御信号を受信すると、マイコン１１０は、ミラーボックス１２０の内部を状態Ａから状態Ｂに移行させる（Ｓ２６０２）。
【０２４１】
この後、マイコン１１０は、ライブビュー動作を続ける（Ｓ２６０３）。
【０２４２】
マイコン１１０は、ライブビュー動作での動作中、カメラボディ１００の操作部１４０やレリーズ釦１４１等が操作されるかどうかを監視する（Ｓ２６０４）。
【０２４３】
ユーザがこれらのうちいずれかを操作すると、マイコン１１０は、ミラーボックス１２０の内部を状態Ｂから状態Ｃを経て状態Ａに移行させる（Ｓ２６０５）。これにより、最初にリモートコントローラの制御信号を受信する前の状態にカメラ１０を戻すことができる。
【０２４４】
以上のように、カメラ１０がＯＶＦ動作中であっても、リモートコントローラの操作に応じて、カメラ１０をライブビューモードに移行することができる。これにより、ライブビューモードに手動で切り替える手間が省け、操作性が向上する。
【０２４５】
なお、リモコン受信部１５５は、カメラボディ１００の前面と背面に設けるようにしてもよい。この場合、ＯＶＦモードにおいて、前面のリモコン受信部１５５で制御信号を受けた場合、ライブビューモードに移行しない一方、背面のリモコン受信部１５５で制御信号を受けた場合、ライブビューモードに移行するようにしてもよい。カメラボディ１００の前面に配されているリモコン受信部１５５で制御信号を受ける場合には、ユーザはカメラ１０の前方に位置し、液晶モニタ１５０を観察していない場合が多い。一方、カメラボディ１００の背面に配されているリモコン受信部１５５で制御信号を受ける場合には、ユーザはカメラ１０の後方に位置し、液晶モニタ１５０を観察している場合が多い。そのため、上記のように動作させると、液晶モニタ１５０を見ていない場合に余分な電力を液晶モニタ１５０等で消費することがなくなり、低消費電力化を図ることができる。
【０２４６】
〔2-3  三脚の固定によりライブビューモードに移行動作〕
図２に示すように、カメラボディ１００は、三脚固定部１４７を介して三脚（図示省略）に固定可能である。三脚（図示省略）に固定して撮影をする場合は、光学式ビューファインダを用いて撮像をするより、画面サイズが大きい電子ビューファインダ（液晶モニタ１５０）を用いて撮像した方が画像を把握しやすい。しかし、三脚に固定する際、手動でライブビューモードに切り替えるのでは不便である。そこで、実施の形態２にかかるカメラ１０では、三脚が三脚固定部１４７に固定されると、マイコン１１０はライブビューモードに移行する。
【０２４７】
図２７は、三脚の固定によりライブビューモードに移行する際の動作を説明するためのフローチャートである。
【０２４８】
図２７において、マイコン１１０は、当初、ＯＶＦモードに設定されている。このとき、ミラーボックス１２０の内部は、図１に示す状態Ａとなっている。また、マイコン１１０は、接点１４８が、三脚が三脚固定部１４７に固定されたことを示す情報を送信してくるかどうかを監視している（Ｓ２７０１）。この状態で、接点１４８が三脚の固定を検知すると、マイコン１１０は、ミラーボックス１２０の内部を状態Ａから状態Ｂに移行させる（Ｓ２７０２）。この後、マイコン１１０は、ライブビュー動作を続ける（Ｓ２７０３）。
【０２４９】
マイコン１１０は、ライブビュー動作での動作中、接点１４８が、三脚が離脱されたことを示す情報を送信してくるかどうかを監視する（Ｓ２７０４）。接点１４８が三脚の離脱を検知すると、マイコン１１０は、ミラーボックス１２０の内部を状態Ｂから状態Ｃを経て状態Ａに移行させる（Ｓ２７０５）。これにより、三脚に固定する前の状態にカメラ１０を戻すことができる。
【０２５０】
以上のように、カメラ１０がＯＶＦ動作中であっても、三脚の固定に応じて、カメラ１０をライブビューモードに移行することができる。これにより、ライブビューモードに手動で切り替える手間が省け、操作性が向上する。
【０２５１】
なお、上記では、カメラ１０を三脚に固定した後、ライブビューモードに移行するとしたが、ライブビューへの移行と併せてオートフォーカス動作を行うようにしてもよい。このオートフォーカス動作は、ＡＦセンサ１３２を用いた位相差検知方式でもよく、ＣＭＯＳセンサ１３０を用いたコントラスト方式でもよい。これにより、三脚を用いて撮像する際に、素早く被写体にフォーカスを合わせることができる。
【０２５２】
また、オートフォーカス動作は、三脚への固定の直後でもよく、三脚への固定から所定時間経過後でもよい。所定時間経過後にオートフォーカス動作をすることにより、カメラ１０が確実に静止した後、被写体にフォーカスを合わせることができる。そのため、フォーカス合わせ中にカメラ１０が動いてしまい、再度フォーカス合わせを行う必要が生じるということを防止できる。
【０２５３】
また、カメラ１０を三脚に固定しＯＶＦモードで動作している状態において、ライブビューモードに設定すると、一旦オートフォーカス動作をし、その後ライブビューモードに移行するとしてもよい。これにより、三脚を用いて撮像する際に素早く被写体にフォーカスを合わせることができる。
【０２５４】
また、上記では、三脚に固定したときにライブビューモードに移行するとしたが、これとは違って、ジャイロセンサ２５２の検出結果に応じて、ライブビューモードに移行するとしてもよい。ジャイロセンサ２５２の出力が小さく、カメラ１０が静止していると判断できる場合に、ライブビューモードに移行するのである。カメラ１０が静止していると判断できる場合には、カメラ１０を手持ちにしているのではなく、動かない場所に置いている場合が多い。このように手持ちでない場合には、ＯＶＦモードで被写体を観察するより、ライブビューモードで被写体を観察する方が楽である。そのため、カメラ１０が静止していると判断できる場合にライブビューモードに移行する。これにより、ライブビューモードに手動で切り替える手間が省け、操作性が向上する。なお、ジャイロセンサ２５２は、本発明のぶれ検出部の一例である。
【０２５５】
この場合においても、ライブビューへの移行と併せてオートフォーカス動作を行うようにしてもよい。これにより、カメラ１０を静止させた際に素早く被写体にフォーカスを合わせることができる。
【０２５６】
また、オートフォーカス動作は、カメラ１０が静止したと判断した直後でもよく、その判断から所定時間経過後でもよい。所定時間経過後にオートフォーカス動作をすることにより、カメラが確実に静止した後、被写体にフォーカスを合わせることができる。そのため、フォーカス合わせ中にカメラ１０が動いてしまい、再度フォーカス合わせを行う必要が生じるということを防止できる。
【０２５７】
また、カメラ１０を静止させＯＶＦモードで動作している状態において、ライブビューモードに設定すると、一旦オートフォーカス動作をし、その後ライブビューモードに移行するとしてもよい。これにより、カメラ１０を静止させて撮像する際に素早く被写体にフォーカスを合わせることができる。
【０２５８】
〔2-4  液晶モニタの回転操作によりライブビューモードに移行する動作〕
液晶モニタ１５０は、上述したように、回転操作可能である。ユーザは、液晶モニタ１５０を回転操作する場合、液晶モニタ１５０に表示される被写体像を観察する場合が多い。しかし、液晶モニタ１５０を回転操作する際、手動でライブビューモードに切り替えるのでは不便である。そこで、実施の形態２にかかるカメラ１０では、液晶モニタ１５０が回転操作されると、マイコン１１０はライブビューモードに移行する。
【０２５９】
図２８は、液晶モニタ１５０の回転操作によりライブビューモードに移行する際の動作を説明するためのフローチャートである。
【０２６０】
図２８において、マイコン１１０は、当初、ＯＶＦモードに設定されている。また、液晶モニタ１５０は、液晶画面をカメラボディ１００の背面に向けて収納されているか、液晶画面の反対面をカメラボディ１００の背面に向けて収納されている。このとき、ミラーボックス１２０の内部は、図１に示す状態Ａとなっている。また、マイコン１１０は、接点１５１が液晶モニタ１５０の回転操作を検知するかどうかを監視している（Ｓ２８０１）。この状態で、接点１５１が液晶モニタ１５０の回転操作を検知すると、マイコン１１０は、ミラーボックス１２０の内部を状態Ａから状態Ｂに移行させる（Ｓ２８０２）。この後、マイコン１１０は、ライブビュー動作を続ける（Ｓ２８０３）。
【０２６１】
マイコン１１０は、ライブビュー動作での動作中、液晶モニタ１５０が元の状態に収納されるかどうかを監視する（Ｓ２８０４）。液晶モニタ１５０が元の状態に収納されると、マイコン１１０は、ミラーボックス１２０の内部を状態Ｂから状態Ｃを経て状態Ａに移行させる（Ｓ２８０５）。これにより、液晶モニタ１５０が回転操作される前の状態にカメラ１０を戻すことができる。
【０２６２】
以上のように、カメラ１０がＯＶＦ動作中であっても、液晶モニタ１５０の回転操作に応じて、カメラ１０をライブビューモードに移行することができる。これにより、ライブビューモードに手動で切り替える手間が省け、操作性が向上する。
【０２６３】
〔2-5  外部端子の接続によりライブビューモードに移行する動作〕
カメラ１０は、上述したように、外部端子１５２に外部装置（図示省略）からの端子を接続することにより、ライブビュー表示されている画像を出力可能である。ライブビュー表示を外部装置に出力する場合、ＣＭＯＳセンサ１３０に被写体像を結像する必要がある。すなわち、被写体像をＣＭＯＳセンサ１３０で画像データに変換する必要があるからである。しかし、ライブビュー表示を外部装置に出力する際、手動でライブビューモードに切り替えるのでは不便である。そこで、実施の形態２にかかるカメラ１０では、外部端子１５２に外部装置（図示省略）からの端子が接続されると、マイコン１１０はライブビューモードに移行する。
【０２６４】
図２９は、外部端子の接続によりライブビューモードに移行する際の動作を説明するためのフローチャートである。
【０２６５】
図２９において、マイコン１１０は、当初、ＯＶＦモードに設定されている。このとき、ミラーボックス１２０の内部は、図１に示す状態Ａとなっている。また、マイコン１１０は、外部端子１５２と外部装置に接続されている端子とが接続されるかどうかを監視している（Ｓ２９０１）。この状態で、外部端子１５２と外部装置に接続されている端子とが接続されると、マイコン１１０は、ミラーボックス１２０の内部を状態Ａから状態Ｂに移行させる（Ｓ２９０２）。この後、マイコン１１０は、ライブビュー表示を外部端子１５２を介して外部装置に出力する（Ｓ２９０３）。
【０２６６】
マイコン１１０は、ライブビュー表示を外部装置に出力中、外部端子１５２から外部装置の端子が抜かれたかどうかを監視している（Ｓ２９０４）。外部端子１５２から外部装置の端子が抜かれると、マイコン１１０は、ミラーボックス１２０の内部を状態Ｂから状態Ｃを経て状態Ａに移行させる（Ｓ２９０５）。これにより、カメラ１０の状態を、外部装置の端子が外部端子１５２に接続される前の状態に戻すことができる。
【０２６７】
以上のように、カメラ１０がＯＶＦ動作中であっても、外部端子１５２に外部装置が接続されているか否かに応じて、カメラ１０をライブビューモードに移行することができる。これにより、ライブビューモードに手動で切り替える手間が省け、操作性が向上する。
【０２６８】
なお、ステップＳ２９０３において、ライブビュー表示を外部装置に出力するとともに、液晶モニタ１５０にも表示させるようにしてもよい。また、ライブビュー表示を、外部装置に出力する一方、液晶モニタ１５０には表示させないようにしてもよい。
【０２６９】
〔2-6  ４：３以外のアスペクト比設定によりライブビューモードに移行する動作〕
光学式ビューファインダのアスペクト比は、固定的に設定されている。したがって、その設定アスペクト比以外の構図を有する画像は、全体を表示できなかったり、表示できたとしても画像が小さくなって見えにくかったりする。したがって、光学式ビューファインダのアスペクト比以外の構図を有する画像は、電子ビューファインダで観察する方が見やすい。しかし、光学式ビューファインダのアスペクト比以外の構図を有する画像を表示する際、手動でライブビューモードに切り替えるのでは不便である。そこで、実施の形態２にかかるカメラ１０は、表示アスペクト比が前記光学式ビューファインダのアスペクト比以外になるように設定された場合には、自動的にライブビューモードに移行する。
【０２７０】
図３０は、アスペクト比の設定によりライブビューモードに移行する際の動作を説明するためのフローチャートである。
【０２７１】
図３０において、マイコン１１０は、当初、ＯＶＦモードに設定されている。このとき、ミラーボックス１２０の内部は、図１に示す状態Ａとなっている。光学式ビューファインダに表示される画像の構図は４：３に設定されている。また、マイコン１１０は、アスペクト比が４：３以外に設定されるかどうかを監視している（Ｓ３００１）。この状態で、ユーザがメニュー釦１４０ａ等を操作して、表示画像の構図を４：３以外の構図（例えば１６：９の構図）に設定すると、マイコン１１０は、ミラーボックス１２０の内部を状態Ａから状態Ｂに移行させる（Ｓ３００２）。この後、マイコン１１０は、設定された構図で、ライブビュー表示を液晶モニタ１５０に表示させる（Ｓ３００３）。
【０２７２】
マイコン１１０は、ライブビューモードで動作中、アスペクト比が再び４：３に設定されるかどうかを監視する（Ｓ３００４）。ユーザがメニュー釦１４０ａ等を操作して表示画像の構図を再び４：３の構図に設定すると、マイコン１１０は、ミラーボックス１２０の内部を状態Ｂから状態Ｃを経て状態Ａに移行させる（Ｓ３００５）。これにより、カメラ１０を、構図のアスペクト比が変更される前の状態に戻すことができる。
【０２７３】
以上のように、カメラ１０がＯＶＦ動作中であっても、構図のアスペクト比の変更に応じてカメラ１０をライブビューモードに移行することができる。これにより、ライブビューモードに手動で切り替える手間が省け、操作性が向上する。
【０２７４】
〔2-7  絞りリングの操作によりライブビューモードに移行する動作〕
実施の形態１では、絞りの微調整を行うために、絞りリング２４２を備えた。ところで、絞りリング２４２で絞りを調整する際に、画面の一部を拡大表示させて観察することができれば、被写体深度を観察しやすいため好ましい。しかし、光学式ビューファインダを用いて観察していたのでは、画面の一部を拡大表示させることはできない。そこで、絞りリング２４２を操作すると、それに伴い、ライブビューモードに移行するとともに画面の一部を拡大表示する。
【０２７５】
図３１は、絞りリング２４２の操作によりライブビューモードに移行する際の動作を説明するためのフローチャートである。
【０２７６】
図３１において、マイコン１１０は、当初、ＯＶＦモードに設定されている。このとき、ミラーボックス１２０の内部は、図１に示す状態Ａとなっている。また、マイコン１１０は、絞りリング２４２が操作されるかどうかを監視している（Ｓ３１０１）。この状態で、ユーザが絞りリング２４２を操作すると、ＣＰＵ２１０は、絞りリング２４２の操作を検知して、マイコン１１０にその旨を送信する。マイコン１１０は、これを受けて、ミラーボックス１２０の内部を状態Ａから状態Ｂに移行させる（Ｓ３１０２）。そして、マイコン１１０は、図１０に示すように、ＣＭＯＳセンサ１３０で生成された画像データの一部の領域Ｒ２を、拡大して表示させる（Ｓ３１０３）。なお、画面内のどの部分を拡大領域Ｒ２とするかは、十字キー１４０ｂ等を操作することによって変更可能である。この後、マイコン１１０は、ライブビューモードで動作を続ける。
【０２７７】
以上のように、カメラ１０がＯＶＦ動作中であっても、絞りリング２４２の操作に応じてカメラ１０をライブビューモードに移行することができる。これにより、ライブビューモードに手動で切り替える手間が省け、操作性が向上する。また、被写界深度の確認が必要な場所を瞬時に拡大できるので、被写界深度の確認を容易にすることができる。
【０２７８】
（実施の形態３）
前述の実施の形態１にかかるカメラ１０は、ビューファインダ切替スイッチ１４０ｅをマニュアル操作することにより、ライブビューモードを抜けてＯＶＦモードに切り替えることとした。しかし、常にマニュアル操作をしなければライブビューモードから抜けることができない構成にすると、不便である。特に、ライブビューモードから抜ける必要性の高い場合に、自動的にライブビューモードから抜けることができれば、ユーザの操作性を向上できる。そこで、実施の形態３におけるカメラは、各種のイベントに応じて、自動的にライブビューモードから抜けるように構成されている。
【０２７９】
なお、実施の形態３にかかるカメラ１０の構成は、実施の形態１にかかるカメラ１０の構成と同様であるため、説明を省略する。
【０２８０】
〔3-1  メニュー釦操作によりライブビューモードを解除する動作〕
前述の実施の形態１では、ライブビューモードにおいてメニュー釦１４０ａが操作されると、ライブビュー表示にメニュー画面を重畳する構成としたが、このような表示の方法ではライブビュー表示又はメニュー画面が見にくい。そこで、実施の形態３にかかるカメラ１０は、メニュー釦１４０ａが押下されると、リアルタイム画像は光学式ビューファインダに表示させ、メニュー画面を液晶モニタ１５０に表示させる。
【０２８１】
図３２は、メニュー釦１４０ａの操作によりライブビューモードを解除する際の動作を説明するためのフローチャートである。
【０２８２】
図３２において、マイコン１１０は、当初、ライブビューモードに設定されている。このとき、ミラーボックス１２０の内部は、図５に示す状態Ｂとなっている。また、マイコン１１０は、メニュー釦１４０ａが操作されたかどうかを監視している（Ｓ３２０１）。この状態で、ユーザがメニュー釦１４０ａを操作すると、マイコン１１０は、ミラーボックス１２０の内部を状態Ｂから状態Ｃを経て状態Ａに移行させる（Ｓ３２０２）。これにより、可動ミラー１２１ａは、交換レンズ２００から入力される光学的信号を光学式ビューファインダに導く（Ｓ３２０３）。これにより、ユーザは、接眼レンズ１３６を通じて被写体像を観察可能である。
【０２８３】
マイコン１１０は、ステップＳ３２０３の処理と並行して、液晶モニタ１５０に各種設定のためのメニュー画面を表示させる（Ｓ３２０４）。この状態で、ユーザは、液晶モニタ１５０に表示されたメニュー画面を利用して、各種設定を行うことができる一方、光学式ビューファインダを用いてリアルタイムの画像を観察できる。
【０２８４】
マイコン１１０は、ＯＶＦモードで動作中、再びメニュー釦１４０ａが押下されるかどうかを監視する（Ｓ３２０５）。ユーザがメニュー釦１４０ａを再び押下すると、マイコン１１０は、液晶モニタ１５０によるメニュー画面の表示を終了させるとともに、ミラーボックス１２０の内部を状態Ａから状態Ｂに移行させる（Ｓ３２０６）。これにより、カメラ１０を、メニュー画面表示前の状態に戻すことができる。
【０２８５】
以上のように、カメラ１０がライブビューモード中であっても、メニュー釦１４０ａの操作に応じてライブビューモードを自動的に抜けることができる。これにより、ＯＶＦモードに手動で切り替える手間が省け、操作性が向上する。
【０２８６】
〔3-2  電源ＯＦＦ操作に応じてライブビューモードを解除する動作〕
カメラ１０は、ライブビューモードで電源が切れると、可動ミラー１２１がアップした状態のまま放置されることになる。この状態では、カメラ１０を通して被写体像を観察することはできない。なぜなら、可動ミラー１２１がアップしているため、光学式ビューファインダに被写体像を導くことができず、また、液晶モニタ１５０が通電していないため被写体像を表示できないからである。一方、カメラ１０の電源がＯＦＦの状態でも、光学式ビューファインダで被写体像を観察できれば便利である。そこで、本構成では、カメラ１０の電源を切る前に、ライブビューモードからＯＶＦモードに移行しておく構成とした。そうすれば、カメラ１０の電源がＯＦＦの状態であっても、可動ミラー１２１はダウンしているため、光学式ビューファインダで被写体像を観察できる。
【０２８７】
しかし、手動でＯＶＦモードに切り替えるのは手間である。そこで、本構成のカメラ１０は、ライブビューモードが設定されている状態において、電源スイッチ１４２が自装置の電源を切る方向に操作されると、ライブビューモードから抜けて可動ミラー１２１を撮像光学系の光路内に進入させるように構成されている。
【０２８８】
図３３は、電源ＯＦＦ操作によりライブビューモードを解除する際の動作を説明するためのフローチャートである。
【０２８９】
図３３において、マイコン１１０は、当初、ライブビューモードに設定されている。このとき、ミラーボックス１２０の内部は、図５に示す状態Ｂとなっている。また、マイコン１１０は、電源スイッチ１４２がＯＦＦの方向に操作されたかどうかを監視している（Ｓ３３０１）。この状態で、ユーザが電源スイッチ１４２をＯＦＦの方向に操作すると、マイコン１１０は、ミラーボックス１２０の内部を状態Ｂから状態Ｃを経て状態Ａに移行させる（Ｓ３３０２）。そして、ミラーボックス１２０が状態Ａになると、電源コントローラ１４６は、カメラ１０の各部位への電源供給を停止する（Ｓ３３０３）。
【０２９０】
以上のように、カメラ１０は、電源がＯＦＦにされる前に、ＯＶＦモードに移行して可動ミラー１２１をダウンさせるので、その後、電源ＯＦＦ状態になっても、光学式ビューファインダで被写体像を観察できる。また、手動でＯＶＦモードに切り替える必要がないので、操作性がよくなる。
【０２９１】
なお、カメラ１０の電源がＯＦＦにされた後、再び電源をＯＮにした場合、マイコン１１０が電源ＯＦＦ前の状態を覚えていて、その状態に復帰するようにしてもよい。具体的には、ライブビューモードでカメラ１０の電源を切ると、ＯＶＦモードに移行した後に実際に電源がＯＦＦになる。その後、再びカメラ１０の電源が投入されると、マイコン１１０はライブビューモードに設定された後、動作を続ける。これにより、電源を切る前の状態に自動的に復帰するので、ユーザにとって便利である。
【０２９２】
また、上記実施例では、ユーザが電源スイッチ１４２を用いて電源を切る場合について述べたが、同様の動作はスリープ機能についても適用可能である。すなわち、カメラ１０が、所定時間以上操作されない状態が続いた場合、電源コントローラ１４６は、電源を切る旨を示す予告をマイコン１１０に通知する。マイコン１１０は、予告通知を受けると、ミラーボックス１２０の内部を状態Ｂから状態Ｃを経て状態Ａにする。その後、電源コントローラ１４６は、所定の部位を除く各部位への電源の供給を停止する。その後、カメラ１０が、何らかの操作を受けると、電源コントローラ１４６はその操作を検知して、電源供給を停止していた各部位への電源供給を再開する。そして、マイコン１１０は、ミラーボックス１２０の内部を状態Ａから状態Ｂにして、ライブビューモードでの動作を再開する。これにより、スリープ状態になる前にＯＶＦモードに移行して可動ミラー１２１をダウンさせるので、その後、スリープ状態になっても、光学式ビューファインダで被写体像を観察できる。また、手動でＯＶＦモードに切り替える必要がないので、操作性がよくなる。また、スリープ前後で同じモードに設定されるので、スリープ期間終了後、ユーザは操作に手間取ることがない。
【０２９３】
〔3-3  電池蓋の開放操作に応じてライブビューモードを解除する動作〕
カメラ１０は、ライブビューモードで電池４００が抜かれると、可動ミラー１２１がアップした状態で電源が切れることになる。ライブビューモードでカメラ１０の電源が切れると、可動ミラー１２１がアップした状態のまま放置されることになる。この状態では、カメラ１０を通して被写体像を観察することはできない。なぜなら、可動ミラー１２１がアップしているため、光学式ビューファインダに被写体像を導くことができず、また、液晶モニタ１５０は通電していないため被写体像を表示できないからである。一方、カメラ１０の電源がＯＦＦの状態でも、光学式ビューファインダで被写体像を観察できれば便利である。そこで、本構成では、電池４００を抜く前に、ライブビューモードからＯＶＦモードに移行しておく構成とした。そうすれば、カメラ１０の電源がＯＦＦの状態であっても、可動ミラー１２１はダウンしているため、光学式ビューファインダで被写体像を観察できる。
【０２９４】
しかし、手動でＯＶＦモードに切り替えるのは手間である。そこで、ライブビューモードが設定されている状態において、電池蓋１４４が開放操作されると、ライブビューモードから抜けて可動ミラー１２１を撮像光学系の光路内に進入させる。
【０２９５】
図３４は、電池蓋４００の開放操作によりライブビューモードを解除する際の動作を説明するためのフローチャートである。
【０２９６】
図３４において、マイコン１１０は、当初、ライブビューモードに設定されている。このとき、ミラーボックス１２０の内部は、図５に示す状態Ｂとなっている。また、マイコン１１０は、接点１４５が電池蓋１４４の開放を検知するかどうかを監視している（Ｓ３４０１）。この状態で、ユーザが電池蓋１４４を開放すると、マイコン１１０は、ミラーボックス１２０の内部を状態Ｂから状態Ｃを経て状態Ａに移行させる（Ｓ３４０２）。
【０２９７】
なお、電池４００は、電池蓋１４４とは別の部材により電池ボックス１４３内に係止されている。そのため、電池蓋１４４が開放されても直ぐに電源が切れることはない。
【０２９８】
以上のように、カメラ１０から電池４００を抜き取る前に、ＯＶＦモードに移行して可動ミラー１２１をダウンさせるので、その後、カメラ１０の電源がＯＦＦの状態になっても、光学式ビューファインダで被写体像を観察できる。また、手動でＯＶＦモードに切り替える必要がないので、操作性がよくなる。
【０２９９】
〔3-4  ローバッテリーを検知してライブビューモードを解除する動作〕
カメラ１０は、撮像中の電源切れを防止するために、電池の電圧が所定以下になると自ら電源を切って動作を停止する。ライブビューモードでカメラ１０の電源が切れると、可動ミラー１２１がアップした状態のまま放置されることになる。この状態では、カメラ１０を通して被写体像を観察することはできない。なぜなら、可動ミラー１２１がアップしているため、光学式ビューファインダに被写体像を導くことができず、また、液晶モニタ１５０は通電していないため被写体像を表示できないからである。一方、カメラ１０の電源がＯＦＦの状態でも、光学式ビューファインダで被写体像を観察できれば便利である。そこで、本構成では、電池４００の電圧が低下すると、ライブビューモードからＯＶＦモードに移行しておく構成とした。そうすれば、電源電圧の低下に伴いカメラ１０の電源がＯＦＦになっても、可動ミラー１２１はダウンしているため、光学式ビューファインダで被写体像を観察できる。
【０３００】
しかし、手動でＯＶＦモードに切り替えるのは手間である。そこで、ライブビューモードが設定されている状態において、電池４００の電圧が低下すると、ライブビューモードから抜けて可動ミラー１２１を撮像光学系の光路内に進入させる。
【０３０１】
図３５は、電源電圧の低下によりライブビューモードを解除する際の動作を説明するためのフローチャートである。
【０３０２】
図３５において、マイコン１１０は、当初、ライブビューモードに設定されている。このとき、ミラーボックス１２０の内部は、図５に示す状態Ｂとなっている。また、マイコン１１０は、電源コントローラ１４６が電池４００の電圧が所定値より低いことを検知したかどうかを監視している（Ｓ３５０１）。この状態で、電源コントローラ１４６は、電池４００の電圧が所定値より低いことを検知すると、その旨をマイコン１１０に通知する。これを受けて、マイコン１１０は、ミラーボックス１２０の内部を状態Ｂから状態Ｃを経て状態Ａに移行させる（Ｓ３５０２）。電源コントローラ１４６は、ミラーボックス１２０の内部が状態Ａになった後、カメラ１０内の電源を切る（Ｓ３５０３）。
【０３０３】
以上のように、電池４００の電圧低下により電源が切れる前に可動ミラー１２１をダウンさせることができるので、その後、電源ＯＦＦ状態になっても、光学式ビューファインダを用いて被写体像を観察できる。また、手動でＯＶＦモードに切り替える必要がないので、操作性がよくなる。
【０３０４】
〔3-5  レンズの取り外しに応じてライブビューモードを解除する動作〕
カメラ１０は、ライブビューモードにおいて、カメラボディ１００から交換レンズ２００が取り外されると、保護材１３８がむき出しになり、ほこり等が付着しやすくなる。これを防ぐためには、交換レンズ２００を取り外す前に、ライブビューモードからＯＶＦモードに移行しておく必要があるが、手動でＯＶＦモードに切り替えるのは手間である。そこで、本構成では、ライブビューモードが設定されている状態において、カメラボディ１００に装着されている交換レンズ２００を取り外すと、ライブビューモードから抜けて可動ミラー１２１を撮像光学系の光路内に進入させる。
【０３０５】
図３６は、電源電圧の低下によりライブビューモードを解除する際の動作を説明するためのフローチャートである。
【０３０６】
図３６において、マイコン１１０は、当初、ライブビューモードに設定されている。このとき、ミラーボックス１２０の内部は、図５に示す状態Ｂとなっている。また、マイコン１１０は、レンズマウント部１３５から交換レンズ２００が取り外されたかどうかを監視している（Ｓ３６０１）。この状態で、レンズマウント部１３５から交換レンズ２００が取り外されると、マイコン１１０は、ミラーボックス１２０の内部を状態Ｂから状態Ｃを経て状態Ａに移行させる（Ｓ３６０２）。
【０３０７】
以上のように、カメラボディ１００から交換レンズ２００を取り外すと、可動ミラー１２１をダウンさせることができるので、保護材１３８にほこり等の異物が付着するのを防ぐことができる。また、手動でＯＶＦモードに切り替える必要がないので、操作性がよくなる。
【０３０８】
〔3-6  外部端子の接続に応じてライブビューモードを解除する動作〕
前述の実施の形態２にかかるカメラ１０は、外部端子１５２に外部装置からの端子を接続すると、ライブビューモードに自動的に移行して、ＣＭＯＳセンサ１３０で生成された画像データを外部装置に出力する構成とした。これに対して、実施の形態３にかかるカメラ１０は、ライブビューモードにおいて外部端子１５２に外部装置からの端子を接続すると、自動的にライブビューモードから抜けて、メモリカード３００に保存された画像データを外部装置に出力する構成とした。
【０３０９】
カメラ１０に、外部装置に接続されている端子が接続された場合、ユーザは、カメラ１０内又はカメラ１０に装着されたメモリカード３００に保存された画像データを、外部装置に表示させようとしている場合が多い。このような場合に、外部装置に画像データを送りつつ、液晶モニタ１５０にライブビュー表示をする構成では、マイコン１１０の負担が大きくなってしまう。そのため、外部装置に画像データを送る場合、ライブビューモードを抜けるのが好ましいが、外部装置に接続する際、手動でライブビューモードから抜けるのでは手間がかかる。そこで、外部端子１５２に、外部装置に接続されている端子が接続されると、可動ミラー１２１を撮像光学系の光路内に進入させるとともに、メモリカード３００に記憶されている画像データを外部端子１５２を介して外部装置に出力させるよう制御する。
【０３１０】
図３７は、外部端子１５２の接続によりライブビューモードを解除する際の動作を説明するためのフローチャートである。
【０３１１】
図３７において、マイコン１１０は、当初、ライブビューモードに設定されている。このとき、ミラーボックス１２０の内部は、図５に示す状態Ｂとなっている。また、マイコン１１０は、外部端子１５２に外部装置の端子が接続するかどうかを監視している（Ｓ３７０１）。この状態で、外部端子１５２に外部装置の端子が接続されると、マイコン１１０は、ミラーボックス１２０の内部を状態Ｂから状態Ｃを経て状態Ａに移行させる（Ｓ３７０２）。これにより、可動ミラー１２１ａは、交換レンズ２００からの光学的信号を光学式ビューファインダに導く。それとともに、マイコン１１０は、メモリカード３００内に保存された画像データ又はその画像データに所定の処理を施した画像データを、外部端子１５２を介して外部装置に出力する（Ｓ３７０４）。外部装置は、カメラ１０から送られてくる画像データに基づく画像を表示する。
【０３１２】
この状態で、マイコン１１０は、外部端子１５２に接続された端子が取り外されるかどうかを監視する（Ｓ３７０５）。外部端子１５２に接続された端子が取り外されると、マイコン１１０は、ミラーボックス１２０の内部を状態Ａから状態Ｂに移行させる（Ｓ３７０６）。この後、マイコン１１０は、ライブビューモードにより動作を続ける。
【０３１３】
以上のように、カメラ１０を外部装置に接続する際に、自動的にライブビューモードから抜けることができるので、操作性がよい。また、それと同時に、カメラ１０がＯＶＦモードに移行するので、光学式ビューファインダを用いてリアルタイム画像を観察することも可能である。
【０３１４】
（実施の形態４）
前述の実施の形態１にかかるカメラ１０は、ライブビューモードにおいて、コンティニュアスフォーカスモードでの撮像を行う場合、ライブビュー表示中（状態Ｂ）は、ＣＭＯＳセンサ１３０で生成された画像データを用いてオートフォーカス動作を行う。それとともに、撮像直前（状態Ａ）には、ＡＦセンサ１３２の測定結果を用いたオートフォーカス動作を行う。これに対して、実施の形態４にかかるカメラ１０は、ライブビューモード及びコンティニュアスフォーカスモードの両方が設定された状態になると、コンティニュアスフォーカスモードからシングルフォーカスモードに、又はライブビューモードからＯＶＦモードに自動的に移行する。
【０３１５】
〔4-1  コンティニュアスフォーカスモードからシングルフォーカスモードに移行する動作〕
図３８は、ライブビューモードの移行に伴うシングルフォーカスモードへの移行動作を説明するためのフローチャートである。
【０３１６】
図３８において、マイコン１１０は、当初、ＯＶＦモードに設定されている。このとき、ミラーボックス１２０の内部は、図１に示す状態Ａとなっている。マイコン１１０は、コンティニュアスフォーカスモードで動作している。したがって、マイコン１１０は、ＡＦセンサ１３２の測定結果を継続的にＣＰＵ２１０に送信する。そして、ＣＰＵ２１０は、マイコン１１０から受信したＡＦセンサ１３２の測定結果に基づいてオートフォーカス動作を行う。この状態において、マイコン１１０は、ビューファインダ切替スイッチ１４０ｅがライブビューモードに切り替えられるかどうかを監視する（Ｓ３８０１）。
【０３１７】
ビューファインダ切替スイッチ１４０ｅがライブビューモードに切り替えられると、マイコン１１０は、ＡＦセンサ１３２に測距させ、その測定結果をＣＰＵ２１０に送信する。ＣＰＵ２１０は、マイコン１１０から受信したＡＦセンサ１３２の測定結果に基づいてオートフォーカス動作を行う（Ｓ３８０２）。このようにＯＶＦモードに突入する直前にオートフォーカス動作を行うことにより、極力被写体にフォーカスがあった画像を液晶モニタ１５０に表示できる。
【０３１８】
次に、マイコン１１０は、ミラーボックス１２０の内部を状態Ａから状態Ｂに移行させる（Ｓ３８０３）。
【０３１９】
マイコン１１０は、ライブビューモードでの動作を続ける（Ｓ３８０４）。この間、マイコン１１０は、レリーズ釦１４１が半押し操作されるまで、オートフォーカス動作を指示しない。
【０３２０】
この状態で、マイコン１１０は、ビューファインダ切替スイッチ１４０ｅがＯＶＦモードに切り替えられるかどうかを監視する（Ｓ３８０５）。
【０３２１】
ビューファインダ切替スイッチ１４０ｅがＯＶＦモードに切り替えられると、マイコン１１０は、ミラーボックス１２０の内部を状態Ｂから状態Ｃを経て状態Ａに移行させる（Ｓ３８０６）。そして、マイコン１１０は、コンティニュアスフォーカスモードでの動作に戻る。
【０３２２】
以上のように、カメラ１０は、ライブビューモード及びコンティニュアスフォーカスモードの両方が設定された状態になると、コンティニュアスフォーカスモードからシングルフォーカスモードに自動的に移行する。そのため、ＣＭＯＳセンサ１３０で生成された画像データを用いずに、ＡＦセンサ１３２を用いたオートフォーカス動作のみでオートフォーカス動作を実現できる。また、コンティニュアスフォーカスモードからシングルフォーカスモードへの移行を自動的に行うことができるので、操作性がよい。
【０３２３】
〔4-2  ライブビューモードからＯＶＦモードに移行する動作〕
図３９は、コンティニュアスフォーカスモードの移行に伴うＯＶＦモードへの移行動作を説明するためのフローチャートである。
【０３２４】
図３９において、マイコン１１０は、当初、ライブビューモードに設定されている。このとき、ミラーボックス１２０の内部は、図５に示す状態Ｂとなっている。マイコン１１０は、シングルフォーカスモードで動作している。したがって、マイコン１１０は、レリーズ釦１４１が半押し操作されるまで、オートフォーカス動作を指示しない。この状態において、マイコン１１０は、フォーカスモード切替スイッチ１４０ｆがコンティニュアスフォーカスモードに切り替えられるかどうかを監視する（Ｓ３９０１）。
【０３２５】
フォーカスモード切替スイッチ１４０ｆがコンティニュアスフォーカスモードに切り替えられると、マイコン１１０は、ミラーボックス１２０の内部を状態Ｂから状態Ｃを経て状態Ａに移行させる（Ｓ３９０２）。そして、マイコン１１０は、ＯＶＦモードでの動作を続ける。この間、マイコン１１０は、コンティニュアスフォーカスモードで動作する（Ｓ３９０３）。
【０３２６】
この状態で、マイコン１１０は、フォーカスモード切替スイッチ１４０ｆがシングルフォーカスモードに切り替えられるかどうかを監視する（Ｓ３９０４）。フォーカスモード切替スイッチ１４０ｆがシングルフォーカスモードに切り替えられると、マイコン１１０は、ＡＦセンサ１３２の測定結果に基づいたオートフォーカス動作を指示する（Ｓ３９０５）。マイコン１１０は、ミラーボックス１２０の内部を状態Ａから状態Ｂに移行させる（Ｓ３９０６）。そして、マイコン１１０は、ライブビューモードでの動作に戻る。
【０３２７】
以上のように、実施の形態４にかかるカメラ１０は、ライブビューモード及びコンティニュアスフォーカスモードの両方が設定された状態になると、ライブビューモードからＯＶＦモードに自動的に移行する。そのため、ＣＭＯＳセンサ１３０で生成された画像データを用いずに、ＡＦセンサ１３２を用いたオートフォーカス動作のみでオートフォーカス動作を実現できる。また、ライブビューモードからＯＶＦモードへの移行を自動的に行うことができるので、操作性がよい。
【０３２８】
（実施の形態５）
前述の実施の形態１にかかるカメラ１０は、リアルタイムの画像を光学式ビューファインダ又は液晶モニタ１５０の全面に表示させる構成であった。これに対して、実施の形態５にかかるカメラ１０は、マルチ表示釦１４０ｐを押下することにより、図４０に示すように、複数枚のリアルタイム画像を液晶モニタ１５０に表示する構成である。このとき、表示する複数の画像の明るさは、電子的に調整することによって、画像毎に異なるものとする。また、その明るさの違いを示す情報を、各縮小画像の上部に表示する。
【０３２９】
図４１は、ライブビューのマルチ表示動作を説明するためのフローチャートである。
【０３３０】
図４１において、マイコン１１０は、マルチ表示釦１４０ｐが押下されるかどうかを監視する（Ｓ４１０１）。
【０３３１】
マイコン１１０は、マルチ表示釦１４０ｐが押下されると、現在設定されているモードがライブビューモードかどうかを検知する（Ｓ４１０２）。マイコン１１０は、現在設定されているモードがライブビューモードであれば、ステップＳ４１０４に移行する。
【０３３２】
一方、現在設定されているモードがＯＶＦモード等のライブビューモードでない場合には、ミラーボックス１２０の内部を状態Ａから状態Ｂに移行させた後（Ｓ４１０３）、ステップＳ４１０４に移行する。
【０３３３】
ステップＳ４１０４において、ＣＭＯＳセンサ１３０は、被写体像を撮像して画像データを生成する。Ａ／Ｄコンバータ１３１は、生成された画像データをアナログデータからデジタルデータに変換する。マイコン１１０は、Ａ／Ｄコンバータ１３１から取得した画像データをＹＣ変換処理し、さらに、リサイズ処理して縮小画像を生成する（Ｓ４１０５）。
【０３３４】
マイコン１１０は、生成した縮小画像を複製して、３枚分の縮小画像をバッファ１１１に記憶させる（Ｓ４１０６）。マイコン１１０は、バッファ１１１に記憶された３枚の縮小画像について輝度を変更する。輝度の変更は、１枚目についてＥＶ−１になるように変更し、２枚目についてＥＶ０になるように変更し、３枚目についてＥＶ＋１になるように変更する。
【０３３５】
次に、マイコン１１０は、これらの縮小画像をバッファ１１１内の記憶空間に、適切に配置されるようにして記憶させる（Ｓ４１０８）。
【０３３６】
最後に、マイコン１１０は、バッファ１１１内に記憶された画像データを液晶モニタ１５０に表示させる（Ｓ４１０９）。
【０３３７】
以上のステップＳ４１０４〜ステップＳ４１０９の動作を繰り返すことにより、マルチ画面のライブビュー表示を実現できる。
【０３３８】
なお、各縮小画像のＥＶ値はメニュー釦１４０ａを押下してメニュー画面を表示させることにより選択可能である。
【０３３９】
以上のように、複数の縮小画像をライブビュー画面として表示したので、各縮小画像の比較が容易にできる。特に、撮像条件の違いを電子的に実現することにより、記録用画像を撮像した際の画像を容易に把握できる。
【０３４０】
なお、実施の形態５では、電子的処理によって、ＥＶ値の異なる画像を模擬的に作製して表示したが、これには限らない。例えば、画像データの色差成分を電子的に変更することにより、ホワイトバランスの異なる画像を模擬的に作製して表示してもよい。
【０３４１】
（実施の形態６）
本発明を実施するための形態として、実施の形態１〜５を例示した。しかし、本発明を実施するための形態は、これらに限らない。そこで、本発明のその他の実施の形態を、実施の形態６として、以下にまとめて説明する。
【０３４２】
実施の形態１〜５では、本発明の光学式ビューファインダとして、焦点板１２５、プリズム１２６及び接眼レンズ１３６を含む構成を例示した。しかし、これには限らない。例えば、プリズム１２６の代わりに反射鏡を用いてもよい。また、プリズム１２６を用いず、被写体像をカメラボディ１００の上面に出力するようにしてもよい。また、焦点板１２５の代わりに撮像素子を用い、接眼レンズ１３６の代わりに電子ビューファインダを用いてもよい。この場合、電子ビューファインダを２つ備えたカメラボディとなる。このように光学式電子ビューファインダの代わりに電子ビューファインダを用いた場合、本明細書で開示する発明の中には実施できないものも含まれることになるが、依然として実施可能な発明も含まれる。特に、可動ミラーを有することを主眼とする発明は実施可能である。
【０３４３】
実施の形態１〜５では、撮像光学系として、４群レンズの撮像光学系を例示したが、これには限らない。例えば、ズームレンズ２３０は必須の部材ではなく、交換レンズ２００を単焦点レンズとして構成してもよい。また、補正レンズ２５１ユニット２５０およびジャイロセンサ２５２は、必須の部材ではなく、交換レンズ２００を手振れ補正機能を備えない交換レンズとして構成してもよい。
【０３４４】
また、撮像光学系に含まれる各部材の配置は、適宜変更可能である。例えば、撮像光学系は、絞り２４０と手振れ補正ユニット２５０とを入れ替えて配置してもよい。また、撮像光学系は、手振れ補正ユニット２５０とフォーカスレンズ２６０とを入れ替えて配置してもよい。また、撮像光学系は、手振れ補正ユニット２５０とフォーカスレンズ２６０とを兼用するレンズ群を含む構成であってもよい。
【０３４５】
また、対物レンズ２２０、ズームレンズ２３０、補正レンズ２５１、およびフォーカスレンズ２６０は、それぞれ単一のレンズで構成してもよく、複数のレンズを組み合わせたレンズ群として構成してもよい。
【０３４６】
また、撮像光学系を構成する一部の部材を、カメラボディ１００に備える構成としてもよい。さらに、交換レンズ方式ではなく、カメラボディ１００にレンズが固定されているカメラ１０であってもよい。
【０３４７】
実施の形態１〜５では、ズームレンズ２３０、絞り２４０、およびフォーカスレンズ２６０は、それぞれズームモータ２３１、モータ２４１、およびフォーカスモータ２６１によって駆動可能であるとともに、ズームリング２３２、絞りリング２４２、およびフォーカスリング２６２と機構的に連動し、メカニカルに操作可能であるが、これに限らない。例えば、ズームモータ２３１、モータ２４１、およびフォーカスモータ２６１を備えず、ズームリング２３２、絞りリング２４２、およびフォーカスリング２６２によるメカニカルな操作のみを可能とする構成としてもよい。但し、フォーカスモータ２６１を備えない場合、オートフォーカス動作は困難である。また、モータ２４１を備えない場合、ＬＶプレビュー釦１４０ｊ、絞り込み釦１４０ｋ、またはＡＶ釦１４０ｍを押下することによる、絞り２４０の自動調節は困難になる。他には、例えば、ズームリング２３２、絞りリング２４２、およびフォーカスリング２６２を備えず、ズームモータ２３１、モータ２４１、およびフォーカスモータ２６１による駆動のみとしてもよい。また、他には、例えば、ズームリング２３２、絞りリング２４２、およびフォーカスリング２６２を備えるが、これらの動きを電気信号に変換し、その電気信号をＣＰＵ２１０に伝える構成としてもよい。その場合、ＣＰＵ２１０は電気信号に応じて、ズームモータ２３１、モータ２４１、およびフォーカスモータ２６１を駆動するようにしてもよい。
【０３４８】
実施の形態１〜５では、撮像素子はＣＭＯＳセンサ１３０を例示した。しかし、これには限らず、被写体像を撮像して画像データを生成する手段であればよい。例えば、ＣＣＤイメージセンサで実現することもできる。
【０３４９】
実施の形態１〜５では、表示部は液晶モニタ１５０を例示した。しかし、これには限らず、画像を表示する手段であればよい。また、画像の表示の他に各種の情報を表示する手段であってもよい。例えば、表示部を有機ＥＬディスプレイで実現してもよい。
【０３５０】
実施の形態１〜５では、制御部はマイコン１１０を例示した。しかし、これには限らず、カメラ１０を制御する手段であればよい。また、制御部は、複数の半導体装置を含む構成としてもよい。また、制御部は、半導体装置ではない抵抗器やコンデンサ等の電子部品を含む構成としてもよい。また、制御部は、必要に応じて、メモリを含む構成としてもよい。また、制御部は、ソフトウェアを含む構成としてもよく、ハードウェアのみで構成するものとしてもよい。また、制御部は、内蔵するプログラムを変更可能なものであってもよく、変更不可に固定されたものであってもよい。また、制御部は、電池制御をできるものであってもよい。
【０３５１】
また、実施の形態１〜５では、カメラボディ１００をマイコン１１０が制御し、交換レンズ２００をＣＰＵ２１０が制御するとしたが、これには限らない。例えば、カメラボディ１１０側に設けられた制御部がカメラボディ１００も交換レンズ２００も両方制御するようにしてもよい。この場合、交換レンズ２００には制御部を設けなくてもよい。
【０３５２】
実施の形態１〜５では、絞り調整指示受付部はＬＶプレビュー釦１４０ｊを例示した。しかし、これには限らず、絞り調整をカメラ１０に対して指示する際に用いる手段であればよい。例えば、絞り調整指示受付部は、スライド式やタッチ式のスイッチで実現してもよい。また、絞り調整指示受付部は、メニュー画面から絞り調整を指示するための操作キー等で実現してもよい。また、絞り調整指示受付部は、リモートコントローラから制御信号を受け付けるリモコン受信部１５５で実現してもよい。
【０３５３】
実施の形態１〜５では、画像処理手段は、マイコン１１０を例示した。しかし、これに限らず、ＹＣ変換処理等の画像処理を行うことができる手段であればよい。例えば、ＤＳＰ（digital signal processor）等のハードウェアで構成してもよい。また、画像処理手段は、１つの半導体装置で構成してもよく、複数の半導体装置を含む構成としてもよい。また、画像処理手段は、半導体装置ではない抵抗器やコンデンサ等の電子部品を含む構成としてもよい。また、画像処理手段は、内蔵するプログラムを変更可能なものであってもよく、変更不可に固定されたものであってもよい。また、画像処理手段と制御部とは、１つの半導体装置で構成してもよく、別々の半導体装置で構成してもよい。また、画像処理手段は、必要に応じて、メモリを含む構成としてもよい。
【０３５４】
実施の形態１〜５では、レリーズ部は、レリーズ釦１４１を例示した。しかし、これには限らず、記録用画像の撮像開始を指示するための手段であればよい。例えば、レリーズ部は、スライド式やタッチ式のスイッチで実現してもよい。また、レリーズ部は、メニュー画面から絞り調整を指示するための操作キー等で実現してもよい。また、レリーズ部は、リモートコントローラから制御信号を受け付けるリモコン受信部１５５で実現してもよい。また、レリーズ部は、タッチ画面で構成してもよい。また、レリーズ部は、音を受信するマイクで実現してもよい。この場合、ユーザは記録用画像の撮像開始の指示を音声により行う。また、レリーズ部によるレリーズ動作は、セルフタイマーモードによるレリーズ動作も含む。
【０３５５】
実施の形態１〜５では、測距部は、ＡＦセンサ１３２を例示した。しかし、これには限らず、カメラ１０から被写体までの距離に関する情報を取得する手段であればよい。例えば、測距部は、アクティブ方式のオートフォーカスに用いるセンサで実現してもよい。ここで、本発明において、被写体から自装置までの距離に関する情報とは、被写体像のデフォーカス量を含む概念である。
【０３５６】
実施の形態１〜５では、記録部は、メモリカード３００を例示した。しかし、これには限らず、記録用画像を記録する手段であればよい。例えば、記録部は、カメラ１０に対して着脱可能とせず、カメラ１０に内蔵されたメモリで実現してもよい。また、記録部は、フラッシュメモリ、強誘電体メモリ、電源付きのＤＲＡＭやＳＲＡＭ等で実現してもよい。また、記録部は、ハードディスクや光ディスクで実現してもよい記録部。また、記録部は、磁気テープや磁気ディスク記録部で実現してもよい。
【０３５７】
実施の形態１〜５では、ＡＦ開始指示受付部は、レリーズ釦１４１を例示した。しかし、これには限らず、オートフォーカス動作の開始を指示するための手段であればよい。例えば、ＡＦ開始指示受付部は、スライド式やタッチ式のスイッチで実現してもよい。また、ＡＦ開始指示受付部は、メニュー画面からオートフォーカス動作開始を指示するための操作キー等で実現してもよい。また、ＡＦ開始指示受付部は、リモートコントローラから制御信号を受け付けるリモコン受信部１５５で実現してもよい。また、ＡＦ開始指示受付部をタッチ画面で実現してもよい。また、ＡＦ開始指示受付部は、音を受信するマイクで実現してもよい。この場合、ユーザはＡＦ動作開始の指示を音声により行う。
【０３５８】
実施の形態１〜５では、ＡＦセンサ１３２を備えたが、ＡＦセンサ１３２は必須ではない。ＡＦセンサ１３２を備えない場合、例えば、ＣＭＯＳセンサ１３０で生成された画像データのコントラスト値を用いてオートフォーカス動作を行う。
【０３５９】
実施の形態１〜５では、ＡＥセンサ１３３を備えたが、ＡＥセンサ１３３は必須ではない。ＡＥセンサ１３３を備えない場合、例えば、ＣＭＯＳセンサ１３０で生成された画像データを用いて測光動作を行う。
【０３６０】
実施の形態１〜５では、測光方式は、ＡＥセンサ１３３のみを用いるか、ＣＭＯＳセンサ１３０のみを用いるか、ＡＥセンサ１３３とＣＭＯＳセンサ１３０とを併用するかは、メニュー画面から選択可能であるとした。しかし、これには限らない。例えば、上記の測光方式のうちいずれか１つのみを常に用いるようにしてもよく、いずれか２つについて選択可能にしてもよい。また、他の測光方式と選択可能にしてもよい。
【０３６１】
実施の形態１〜５では、異物除去部は、超音波振動発生器１３４を例示した。しかし、これには限らず、保護材１３８又はミラーボックス１３０の内部に混入した異物を除去するための手段であればよい。例えば、異物除去部は、空気を吹き付ける手段で実現してもよい。また、異物除去部は、ブラシ等で異物を除去する手段で実現してもよい。また、異物除去部は、静電気を利用して異物を移動させる手段で実現してもよい。
【０３６２】
実施の形態１〜５では、絞り操作部は、絞りリング２４２を例示した。しかし、これには限らず、絞り２４０をパワー駆動するための操作手段であってもよい。また、絞り操作部は、カメラボディ１００側に備えてもよい。
【０３６３】
実施の形態１〜５では、設定操作部は、メニュー釦１４０ａを例示した。しかし、これには限らず、メニュー画面を液晶モニタ１５０に表示させるための手段であればよい。例えば、設定操作部は、スライド式やタッチ式のスイッチで実現してもよい。また、設定操作部は、リモートコントローラから制御信号を受け付けるリモコン受信部１５５で実現してもよい。また、設定操作部をタッチ画面で実現してもよい。また、設定操作部は、音を受信するマイクで実現してもよい。この場合、ユーザはメニュー画面を表示する旨の指示を音声により行う。
【０３６４】
実施の形態１〜５では、電源操作部は、電源スイッチ１４２を例示した。しかし、これには限らず、カメラ１０の電源を入り切りするための手段であればよい。例えば、電源操作部は、押し釦やタッチ式のスイッチで実現してもよい。また、電源操作部は、リモートコントローラから制御信号を受け付けるリモコン受信部１５５で実現してもよい。また、電源操作部をタッチ画面で構成してもよい。また、電源操作部は、音を受信するマイクで実現してもよい。この場合、ユーザは電源を入り切りする旨の指示を音声により行う。
【０３６５】
実施の形態１では、ライブビューモードにおいて、シングルフォーカスモードを用いて撮像する場合、半押し操作されてから所定の時間が経過する前に全押し操作されたとき、一旦ライブビュー表示動作に戻ることなく、撮像動作に移行するとした。しかし、これには限らない。例えば、所定時間の経過の如何に関わらず、半押し操作後、一旦ライブビュー表示動作に戻るとしてもよい。
【０３６６】
実施の形態１〜５では、記録用画像は、Ｅｘｉｆ規格に準拠した画像ファイルを例示した。しかし、これには限らない。例えば、ＴＩＦＦ（tagged image file format）形式の画像ファイルであってもよいし、ＲＧＢ信号のままの画像ファイルであってもよいし、ＭＰＥＧ（Motion Picture Expert Group）規格に準拠した画像ファイルであってもよいし、Ｍｏｔｉｏｎ−ＪＰＥＧ（JPEG:Joint Photographic Expert Group）規格に準拠した画像ファイルであってもよい。
【０３６７】
〔付記１〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、撮像光学系で形成する被写体像の光量を調節する絞りと、生成された画像データ又はその画像データに所定の処理を施した画像データをリアルタイムで動画像として表示部に表示するよう制御するライブビューモードを有する制御部と、を備え、制御部は、ライブビューモード時には、撮像素子に入射される被写体像の明るさが記録用画像の撮像時と同等の明るさになるように絞りの開放サイズを制御する。
【０３６８】
これにより、ライブビュー時に記録用画像の撮像時と同様の絞りの設定を行うため、記録用画像の被写界深度を撮像前にライブビュー表示にて容易に確認できる。従って、ユーザは好みの画像を簡単な操作で容易に得ることができる。
【０３６９】
〔付記２〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、撮像光学系で形成する被写体像の光量を調節する絞りと、撮像素子に入射される被写体像の明るさが記録用画像の撮像時と同等の明るさになるように絞りの開放サイズを調節することについてユーザの指示を受け付ける絞り調整指示受付部と、生成された画像データ又はその画像データに所定の処理を施した画像データをリアルタイムで動画像として表示部に表示するよう制御するライブビューモードを有する制御部と、を備え、制御部は、ライブビューモード時には、撮像素子に入射される被写体像の明るさが記録用画像の撮像時とは異なるように絞りを開放する一方、絞り調整指示受付部が操作されると、撮像素子に入射される被写体像の明るさが記録用画像の撮像時と同等の明るさになるように絞りの開放サイズを調節するとともに、表示部に表示される画像データの一部を拡大して表示するよう制御する。
【０３７０】
これにより、絞り調整指示受付部を操作するという簡単な操作により、記録用画像の被写界深度を撮像前にライブビュー表示にて容易に確認できるとともに、表示画像の一部を拡大することにより被写界深度をより詳細に確認できる。
【０３７１】
〔付記３〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、撮像素子で生成した画像データに基づいて、ヘッダ部を含む画像ファイルを生成する画像処理手段と、生成された画像データ又はその画像データに所定の処理を施した画像データをリアルタイムで動画像として表示部に表示するよう制御するライブビューモードを有する制御部と、を備え、画像処理手段は、ライブビューモードにおいて生成された画像データに基づいて画像ファイルを生成する場合、生成すべき画像ファイルに含まれるヘッダ部には、ライブビューモードにおいて画像データを生成した旨を示す情報を格納する。
【０３７２】
これにより、生成された画像ファイルのヘッダ部を解析することにより、その画像ファイルに含まれる画像データがライブビューモードで生成されたものなのか、ＯＶＦモードで生成されたものなのかを容易に把握できる。これを利用して、ユーザは、自らの撮像画像の出来映えとファインダモードとの関係を把握することができる。これによって、写真撮影技術の向上等に役立てることができる。
【０３７３】
〔付記４〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、可動ミラーが光路内に進入した状態において、被写体像を受光して被写体から自装置までの距離に関する情報を測定する測距部と、ユーザの操作に応じて撮像光学系を調節して被写体像のフォーカスを変更するマニュアルフォーカス手段と、生成された画像データ又はその画像データに所定の処理を施した画像データをリアルタイムで動画像として表示部に表示するよう制御するライブビューモードを有する制御部と、を備え、可動ミラーが被写体像を光学式ビューファインダへと導いている状態において、マニュアルフォーカス手段が操作されている場合、制御部は、測距部による測定結果、またはこの結果に基づく情報を表示部に表示させるよう制御する。
【０３７４】
これにより、ユーザは、マニュアルフォーカス操作時に、画像だけでなく、表示部に表示される情報にも基づいて、フォーカスが合っているかどうかを確認できる。そのため、マニュアルフォーカス操作であっても確実にフォーカスを調整できる。
【０３７５】
〔付記５〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、撮像素子で生成した画像データについて、所定の画像処理を行う画像処理手段と、画像処理手段で処理された画像データを記録する記録部と、生成された画像データ又はその画像データに所定の処理を施した画像データをリアルタイムで動画像として表示部に表示するよう制御するライブビューモードを有する制御部と、を備え、制御部は、画像処理手段による画像処理が行われている期間又は／及び記録部により記録用画像データが記録されている期間、ライブビューモードを停止するよう制御する。
【０３７６】
これにより、画像処理や記録処理の期間中、制御部や画像処理手段はライブビュー表示のために処理能力を割く必要がないので、画像処理や記録処理を迅速に行うことができる。
【０３７７】
〔付記６〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、ユーザの操作に応じて撮像光学系を調節して被写体像のフォーカスを変更するマニュアルフォーカス手段と、生成された画像データ又はその画像データに所定の処理を施した画像データをリアルタイムで動画像として表示部に表示するよう制御するライブビューモードを有する制御部と、を備え、可動ミラーが光学撮像系の光路から退避している状態において、マニュアルフォーカス手段が操作されている場合、制御部は、撮像素子で生成した画像データのコントラスト値、またはこのコントラスト値に基づく情報を表示部に表示させるよう制御する。
【０３７８】
これにより、ユーザは、マニュアルフォーカス操作時に、画像だけでなく、表示部に表示される情報にも基づいて、フォーカスが合っているかどうかを確認できる。そのため、マニュアルフォーカス操作であっても確実にフォーカスを調整できる。
【０３７９】
〔付記７〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、撮像光学系で形成する被写体像の光量を調節する絞りと、
可動ミラーが光路内に進入した状態において、被写体像を受光して被写体から自装置までの距離に関する情報を測定する測距部と、測距部による測定結果に応じて撮像光学系を調節して被写体像のフォーカスを合わせるオートフォーカス部と、測距部による測定の後、オートフォーカス部が被写体像のフォーカス合わせを完了する前に、絞りの開口量を調整し始めるよう制御する制御部と、を備える。
【０３８０】
これにより、オートフォーカス動作の終了を待つことなく絞りを駆動するので、絞りの設定に要する時間を短縮できる。
【０３８１】
〔付記８〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、可動ミラーが光路内に進入した状態において、被写体像を受光して被写体から自装置までの距離に関する情報を測定する測距部と、測距部による測定結果に応じて撮像光学系を調節して被写体像のフォーカスを合わせるオートフォーカス部と、オートフォーカス部の起動についてユーザからの指示を受け付けるＡＦ開始指示受付部と、生成された画像データ又はその画像データに所定の処理を施した画像データをリアルタイムで動画像として表示部に表示するよう制御するライブビューモードを有する制御部と、を備え、制御部は、ライブビューモード中にＡＦ開始指示受付部がオートフォーカス動作の開始指示を受け付けると、可動ミラーを光路内に進入させて測距部で測定した後可動ミラーを光路内から退避させてライブビューモードに戻るよう制御する。
【０３８２】
これにより、ＡＦ開始指示受付部を操作するという簡単な操作で、測距部を用いたオートフォーカス動作からライブビュー表示までを容易に行うことができる。そのため、ユーザは、簡単な操作で、被写体にフォーカスを合わせた状態でのライブビュー表示による構図合わせを行うことができる。
【０３８３】
〔付記９〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、撮像素子による記録用画像の撮像開始についてユーザからの指示を受け付けるレリーズ部と、可動ミラーが光路内に進入した状態において、被写体像を受光して被写体から自装置までの距離に関する情報を測定する測距部と、測距部による測定結果に応じて撮像光学系を調節して被写体像のフォーカスを合わせるオートフォーカス部と、オートフォーカス部の起動についてユーザからの指示を受け付けるＡＦ開始指示受付部と、生成された画像データ又はその画像データに所定の処理を施した画像データをリアルタイムで動画像として表示部に表示するよう制御するライブビューモードを有する制御部と、を備え、制御部は、ＡＦ開始指示受付部の操作に応じてオートフォーカス部にオートフォーカス動作を開始させた後、レリーズ部が撮像開始の指示を受け付けるタイミングに応じて、直接記録用画像の撮像動作に移行するよう制御するか、一旦ライブビューモードに移行し、その後でレリーズ部が撮像開始の指示を受け付けたとき記録用画像の撮像動作に移行するよう制御するかを決定する。
【０３８４】
〔付記１０〕
デジタルカメラは、付記９に記載のデジタルカメラにおいて、前記制御部は、前記ＡＦ開始指示受付部の操作に応じて前記オートフォーカス部にオートフォーカス動作を開始させた後、所定時間内に前記レリーズ部が撮像開始の指示を受け付けた場合、直接記録用画像の撮像動作に移行するよう制御する一方、所定時間内に前記レリーズ部が撮像開始の指示を受け付けなかった場合、一旦ライブビューモードに移行し、その後で前記レリーズ部が撮像開始の指示を受け付けたとき記録用画像の撮像動作に移行するよう制御する。
【０３８５】
これにより、ＡＦ開始指示受付部を操作してから直ぐにレリーズ部を操作した場合には、ライブビュー表示をすることなく撮像を開始するので、ＡＦ開始指示受付部の操作から撮像開始までの時間を短縮できる。可動ミラーを不必要にアップダウンさせることがないからである。そのため、ユーザは、シャッタタイミングを逃すことなく、好みの画像を撮像できる。一方、フォーカス状態を決めてから表示部を見ながら構図を変えたい場合は、ＡＦ開始指示受付部を操作してから所定時間が経過するまで待てばよい。
【０３８６】
〔付記１１〕
デジタルカメラは、付記９に記載のデジタルカメラにおいて、制御部は、ＡＦ開始指示受付部の操作に応じてオートフォーカス部にオートフォーカス動作を開始させた後、オートフォーカス動作が完了する前にレリーズ部が撮像開始の指示を受け付けた場合、直接記録用画像の撮像動作に移行するよう制御する一方、オートフォーカス動作が完了する前にレリーズ部が撮像開始の指示を受け付けなかった場合、一旦ライブビューモードに移行し、その後でレリーズ部が撮像開始の指示を受け付けたとき記録用画像の撮像動作に移行するよう制御する。
【０３８７】
〔付記１２〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、可動ミラーが光路内に進入した状態において、被写体像を受光して被写体から自装置までの距離に関する情報を測定する測距部と、測距部による測定結果に応じて撮像光学系を調節して被写体像のフォーカスを合わせるオートフォーカス部と、生成された画像データ又はその画像データに所定の処理を施した画像データをリアルタイムで動画像として表示部に表示するよう制御するライブビューモードを有する制御部と、を備え、制御部は、オートフォーカス部にオートフォーカス動作をさせるために可動ミラーを光路内に進入させるときと、撮像素子で記録用の記録用画像を撮像する準備のために可動ミラーを光路内に進入させるときとで、表示部で画像を表示させる方法または表示させない方法を異なるものとするよう制御する。
【０３８８】
これにより、表示部の表示が異なるため、オートフォーカス動作中なのか撮像動作中なのかを認識しやすくなるからである。そのため、ユーザが両動作を混同しやすいという問題を解決できる。ユーザが両動作を混同しやすいのは、両動作における可動ミラーから発生する音のパターンが似ているためである（オートフォーカス動作のときと撮像動作のときとは、共に、可動ミラーがダウンしアップするからである）。
【０３８９】
〔付記１３〕
デジタルカメラは、付記１２に記載のデジタルカメラにおいて、撮像素子で生成された画像データ又はその画像データに所定の処理を施した画像データを記憶する記憶手段をさらに備え、制御部は、オートフォーカス部にオートフォーカス動作をさせるために可動ミラーを光路内に進入させるとき、記憶手段に記憶された画像データまたはその画像データについて所定の処理を施した画像データを表示部に表示させる一方、撮像素子で記録用の記録用画像を撮像する準備のために可動ミラーを光路内に進入させるとき、記憶手段に記憶された画像データおよびその画像データについて所定の処理を施した画像データを表示部に表示させないよう制御する。
【０３９０】
これにより、オートフォーカス動作中なのか撮像動作中なのかをより明確に認識しやすくなる。
【０３９１】
〔付記１４〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、可動ミラーが光路内に進入した状態において、被写体像を受光して被写体から自装置までの距離に関する情報を測定する測距部と、測距部による測定結果又は撮像素子で生成された画像データ若しくはその画像データに所定の処理を施した画像データのコントラストを利用して撮像光学系を調節して被写体像のフォーカスを合わせるオートフォーカス部と、生成された画像データ又はその画像データに所定の処理を施した画像データをリアルタイムで動画像として表示部に表示するよう制御するライブビューモードを有する制御部と、を備え、制御部は、可動ミラーが光路内から退避しているときは、コントラストを利用してオートフォーカス動作を行うようオートフォーカス部を制御する一方、可動ミラーが光路内に進入しているときは、測距部による測定結果を利用してオートフォーカス動作を行うようオートフォーカス部を制御する。
【０３９２】
これにより、可動ミラーが光路内から退避しているときも光路内に進入しているときもともに、オートフォーカス動作を行うことができる。
【０３９３】
〔付記１５〕
デジタルカメラは、付記１４に記載のデジタルカメラにおいて、制御部は、コントラストを利用してオートフォーカス動作を継続的に行うようオートフォーカス部を制御している場合において、撮像素子での記録用画像の撮像動作に移行する際には、その撮像動作に移行する前に、可動ミラーを光路内に進入させ、測距部による測定結果を利用してオートフォーカス動作を行うよう制御する。
【０３９４】
これにより、レリーズ部が撮像開始の指示を受け付ける前は、撮像素子で生成された画像データに基づくオートフォーカスをすることにより、コンティニュアスフォーカス動作をしつつライブビューを継続的に表示部に表示できる。一方、レリーズ部が撮像開始の指示を受け付けると、測距部の測定結果に基づくオートフォーカス動作を行うので、撮像直前により正確にフォーカスを合わせることができる。特に、動きの速い被写体を撮像する場合、最後のオートフォーカス動作から撮像動作までの時間を短くできるので、フォーカスを合わせやすい。
【０３９５】
〔付記１６〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、可動ミラーが光路内に進入した状態において、被写体像を受光して被写体から自装置までの距離に関する情報を測定する測距部と、測距部による測定結果に応じて撮像光学系を調節して被写体像のフォーカスを合わせるオートフォーカス部と、生成された画像データ又はその画像データに所定の処理を施した画像データをリアルタイムで動画像として表示部に表示するよう制御するライブビューモードを有する制御部と、制御部をライブビューモードに設定するための設定部と、を備え、制御部は、設定部によりライブビューモードが設定されるのに応じて、一旦オートフォーカス動作をするようオートフォーカス部を制御した後、ライブビューモードに移行するよう制御する。
【０３９６】
これにより、ライブビューモードへの切り替え時に、オートフォーカス動作を行うため、ライブビュー開始直後からフォーカスが被写体に合った状態で表示部を用いた被写体像の観察を開始できる。そのため、ライブビュー切り替え時から構図の設定までに要する時間を短縮できるので、ユーザにとって操作性がよい。
【０３９７】
〔付記１７〕
デジタルカメラは、付記１６に記載のデジタルカメラにおいて、制御部は、設定部によりライブビューモードが設定されるのに応じて、測距部での測定を行った後、ライブビューモードに移行し、オートフォーカス部によるオートフォーカス動作の少なくとも一部はライブビューモードと並行して行うよう制御する。
【０３９８】
これにより、オートフォーカス動作が完了する前にライブビューモードに移行できるので、設定部による設定からライブビューモードへの突入までの時間を短くできる。そのため、ユーザにとって操作性がよくなる。
【０３９９】
〔付記１８〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、撮像素子で生成された画像データ又はその画像データに所定の処理を施した画像データのコントラストを利用して撮像光学系を調節して被写体像のフォーカスを合わせるオートフォーカス部と、生成された画像データ又はその画像データに所定の処理を施した画像データをリアルタイムで動画像として表示部に表示するよう制御するライブビューモードを有する制御部と、制御部をライブビューモードに設定するための設定部と、を備え、制御部は、設定部によりライブビューモードが設定されるのに応じて、一旦オートフォーカス動作をするようオートフォーカス部を制御した後、ライブビューモードに移行するよう制御する。
【０４００】
〔付記１９〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、可動ミラーが光路内に進入した状態において、被写体像を受光して被写体から自装置までの距離に関する情報を測定する測距部と、測距部による測定結果に応じて撮像光学系を調節して被写体像のフォーカスを合わせるオートフォーカス部と、生成された画像データ又はその画像データに所定の処理を施した画像データをリアルタイムで動画像として表示部に表示するよう制御するライブビューモードを有する制御部と、を備え、制御部は、可動ミラーを光路内に進入させているとき、オートフォーカス部でフォーカスを合わせたポイントを表示部に表示させるよう制御する。
【０４０１】
これにより、可動ミラーを光路内に進入させているときにオートフォーカス動作をした場合、そのフォーカスを合わせたポイントを表示部の画面上に表示するとしたため、表示部にライブビュー表示していなくても、どの被写体にフォーカスが合っているのかを把握できる。
【０４０２】
〔付記２０〕
デジタルカメラは、付記１９に記載のデジタルカメラにおいて、撮像素子で生成された画像データ又はその画像データに所定の処理を施した画像データを記憶する記憶手段をさらに備え、制御部は、可動ミラーを光路内に進入させているとき、記憶手段に記憶された画像データまたはその画像データについて所定の処理を施した画像データを表示部に表示させると共に、オートフォーカス部でフォーカスを合わせたポイントを表示部に表示させるよう制御する。
【０４０３】
これにより、どの被写体にフォーカスが合っているのかをより容易に把握できる。
【０４０４】
〔付記２１〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、撮像光学系の光路内に存在する異物を除去する異物除去部と、生成された画像データ又はその画像データに所定の処理を施した画像データをリアルタイムで動画像として表示部に表示するよう制御するライブビューモードを有する制御部と、を備え、制御部は、ライブビューモード時に生成された画像データ又はその画像データに所定の処理を施した画像データに基づいて、撮像光学系の光路内に異物が存在するかどうかを判断し、異物が存在すると判断した場合異物除去部を起動するよう制御する。
【０４０５】
これにより、簡単な操作で光路内の異物を容易に除去できる。
【０４０６】
〔付記２２〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、可動ミラーが撮像光学系の光路内に進入しているとき、被写体からの光量を測定する測光部と、被写体に対して光を照射する照明部と、撮像光学系で形成する被写体像の光量を調節する絞りと、生成された画像データ又はその画像データに所定の処理を施した画像データをリアルタイムで動画像として表示部に表示するよう制御するライブビューモードを有する制御部と、を備え、制御部は、撮像素子で生成した画像データに基づいて被写体からの光量を取得した後、可動ミラーを撮像光学系の光路内に進入させ、照明部を発光させ、測光部による測定結果を取得するよう制御する。
【０４０７】
以上のように、定常光の測光は撮像素子で行う一方、プリ発光の測光は測光部で行うようにしたため、全押し突入後直ぐに定常光の測光が行える一方、プリ発光の測光を正確に行うことができる。
【０４０８】
〔付記２３〕
デジタルカメラは、付記２２に記載のデジタルカメラにおいて、制御部は、撮像素子で生成した画像データに基づいて取得した被写体からの光量および測光部による測定結果に基づいて、絞りの開口量および／または撮像素子の露光時間を設定する。
【０４０９】
〔付記２４〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、自装置に加わる衝撃を検知する衝撃検知部と、生成された画像データ又はその画像データに所定の処理を施した画像データをリアルタイムで動画像として表示部に表示するよう制御するライブビューモードを有する制御部と、を備え、制御部は、ライブビューモードが設定されている場合において、衝撃検知部の検知結果に応じて、一旦ライブビューモードから抜けて、再びライブビューモードに移行するよう制御する。
【０４１０】
以上のように、衝撃を検知して、ライブビューモードをリセットするようにしたので、衝撃によりライブビュー表示が中断された状態を自動的に回復することができる。そのため、デジタルカメラが故障したものとユーザが勘違いしてしまうことを防止できる。また、ライブビュー表示が中断した際に、手動でライブビュー表示に回復させる操作をする必要がないので、操作性がよい。
【０４１１】
〔付記２５〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、撮像光学系で形成する被写体像の光量を調節する絞りと、撮像素子に入射される被写体像の明るさが記録用画像の撮像時と同等の明るさになるように絞りの開放サイズを調節することについてユーザの指示を受け付ける絞り調整指示受付部と、生成された画像データ又はその画像データに所定の処理を施した画像データをリアルタイムで動画像として表示部に表示するよう制御するライブビューモードを有する制御部と、を備え、制御部は、可動ミラーが被写体像を光学式ビューファインダへと導いている状態において、絞り調整指示受付部が操作されると、撮像素子に入射される被写体像の明るさが記録用画像の撮像時と同等の明るさになるように絞りの開放サイズを調節するとともに、ライブビューモードに移行するよう制御する。
【０４１２】
これにより、絞り調整指示受付部の操作という簡単な操作により、ＯＶＦ動作中であっても、ライブビューモードに移行して、記録用画像の被写界深度を撮像前にライブビュー表示にて容易に確認できる。
【０４１３】
〔付記２６〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、リモートコントローラからの制御信号を受信する受信部と、生成された画像データ又はその画像データに所定の処理を施した画像データをリアルタイムで動画像として表示部に表示するよう制御するライブビューモードを有する制御部と、を備え、制御部は、受信部がリモートコントローラからの制御信号を受信すると、ライブビューモードに移行するよう制御する。
【０４１４】
これにより、リモートコントローラからオートフォーカス動作を指示する信号や撮像開始信号、セルフタイマー設定信号等を受信した場合、自動的にライブビューモードに移行する。リモートコントローラを使用した撮影をする場合は、デジタルカメラを三脚に固定した撮像や机の上に置いた撮像等、手から離れた状態での撮像の場合が多い。このような場合には、光学式ビューファインダを用いて撮像をするより、画面の大きい電子ビューファインダを用いて撮像した方が画像を把握しやすい。そこで、上記のようにリモートコントローラからの信号を受信した場合には自動的にライブビューモードに移行するようにすることで、ライブビューモードに手動で切り替える手間が省け、操作性が向上する。
【０４１５】
〔付記２７〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、三脚に固定するための三脚固定部と、生成された画像データ又はその画像データに所定の処理を施した画像データをリアルタイムで動画像として表示部に表示するよう制御するライブビューモードを有する制御部と、を備え、制御部は、三脚固定部により三脚に固定されると、ライブビューモードに移行するよう制御する。
【０４１６】
これにより、デジタルカメラが三脚に固定された場合、自動的にライブビューモードに移行する。三脚に固定した撮影をする場合は、光学式ビューファインダを用いて撮像をするより、画面の大きい電子ビューファインダを用いて撮像した方が画像を把握しやすい。そこで、上記のようにデジタルカメラが三脚に固定された場合には自動的にライブビューモードに移行するようにすることで、ライブビューモードに手動で切り替える手間が省け、操作性が向上する。
【０４１７】
〔付記２８〕
デジタルカメラは、付記２７に記載のデジタルカメラにおいて、可動ミラーが光路内に進入した状態において、被写体像を受光して被写体から自装置までの距離に関する情報を測定する測距部と、測距部による測定結果に応じて撮像光学系を調節して被写体像のフォーカスを合わせるオートフォーカス部と、をさらに備え、制御部は、三脚固定部により三脚に固定されると、固定された直後又は固定されてから所定時間経過後に、一旦オートフォーカス動作をするようオートフォーカス部を制御した後、ライブビューモードに移行するよう制御する。
【０４１８】
〔付記２９〕
デジタルカメラは、付記２８に記載のデジタルカメラにおいて、制御部をライブビューモードに設定するための設定部をさらに備え、
制御部は、三脚固定部により三脚に固定されている状態において、設定部によりライブビューモードが設定されるのに応じて、一旦オートフォーカス動作をするようオートフォーカス部を制御した後、ライブビューモードに移行するよう制御する。
【０４１９】
〔付記３０〕
デジタルカメラは、付記２７に記載のデジタルカメラにおいて、前記撮像素子で生成された画像データ又はその画像データに所定の処理を施した画像データのコントラストを利用して前記撮像光学系を調節して被写体像のフォーカスを合わせるオートフォーカス部をさらに備え、前記制御部は、前記三脚固定部により前記三脚に固定されると、固定された直後又は固定されてから所定時間経過後に、オートフォーカス動作をするよう前記オートフォーカス部を制御する。
【０４２０】
〔付記３１〕
デジタルカメラは、付記３０に記載のデジタルカメラにおいて、前記制御部をライブビューモードに設定するための設定部をさらに備え、
前記制御部は、前記三脚固定部により前記三脚に固定されている状態において、前記設定部によりライブビューモードが設定されるのに応じて、ライブビューモードに移行するよう制御し、オートフォーカス動作をするよう前記オートフォーカス部を制御する。
【０４２１】
〔付記３２〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、自装置のぶれを検出するぶれ検出部と、生成された画像データ又はその画像データに所定の処理を施した画像データをリアルタイムで動画像として表示部に表示するよう制御するライブビューモードを有する制御部と、を備え、制御部は、ぶれ検出部の検出結果に応じて、ライブビューモードに移行するよう制御する。
【０４２２】
〔付記３３〕
デジタルカメラは、付記３２に記載のデジタルカメラにおいて、前記可動ミラーが前記光路内に進入した状態において、被写体像を受光して被写体から自装置までの距離に関する情報を測定する測距部と、
前記測距部による測定結果に応じて前記撮像光学系を調節して被写体像のフォーカスを合わせるオートフォーカス部と、をさらに備え、前記制御部は、前記ぶれ検出部の検出結果に応じて、一旦オートフォーカス動作をするよう前記オートフォーカス部を制御した後、ライブビューモードに移行するよう制御する。
【０４２３】
〔付記３４〕
デジタルカメラは、付記３３に記載のデジタルカメラにおいて、前記制御部をライブビューモードに設定するための設定部をさらに備え、
前記制御部は、前記ぶれ検出部の検出結果及び前記設定部によりライブビューモードが設定されるのに応じて、一旦オートフォーカス動作をするよう前記オートフォーカス部を制御した後、ライブビューモードに移行するよう制御する。
【０４２４】
〔付記３５〕
デジタルカメラは、付記３２に記載のデジタルカメラにおいて、前記撮像素子で生成された画像データ又はその画像データに所定の処理を施した画像データのコントラストを利用して前記撮像光学系を調節して被写体像のフォーカスを合わせるオートフォーカス部をさらに備え、
前記制御部は、前記ぶれ検出部の検出結果に応じて、オートフォーカス動作をするよう前記オートフォーカス部を制御する。
【０４２５】
〔付記３６〕
デジタルカメラは、付記３５に記載のデジタルカメラにおいて、前記制御部をライブビューモードに設定するための設定部をさらに備え、
前記制御部は、前記ぶれ検出部の検出結果及び前記設定部によりライブビューモードが設定されるのに応じて、ライブビューモードに移行するよう制御し、オートフォーカス動作をするよう前記オートフォーカス部を制御する。
【０４２６】
〔付記３７〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示し、自装置に対して回転可能に保持された表示部と、生成された画像データ又はその画像データに所定の処理を施した画像データをリアルタイムで動画像として表示部に表示するよう制御するライブビューモードを有する制御部と、を備え、制御部は、表示部が回転操作されると、ライブビューモードに移行するよう制御する。
【０４２７】
これにより、表示部が回転操作された場合、自動的にライブビューモードに移行する。表示部を回転操作する場合は、ユーザは表示部（電子ビューファインダ）を用いて撮像する意図を有している場合が多い。そこで、表示部が回転操作された場合には自動的にライブビューモードに移行するようにすることで、ライブビューモードに手動で切り替える手間が省け、操作性が向上する。
【０４２８】
〔付記３８〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを外部装置に出力するための出力端子と、出力端子に外部装置からの端子が接続されると、可動ミラーを撮像光学系の光路内から退避させて、撮像素子に撮像光学系で形成された被写体像を撮像して画像データを生成させ、生成された画像データ又はその画像データに所定の処理を施した画像データを出力端子を介して外部装置に出力させるよう制御する制御部と、を備える。
【０４２９】
これにより、デジタルカメラに外部装置からの端子が接続されると、撮像素子で生成した画像データを外部装置に自動的に出力できる。デジタルカメラに外部装置からの端子が接続された場合、ユーザは、リアルタイムで撮像している画像を外部装置に表示させようとしている場合が多い。そこで、デジタルカメラに外部装置からの端子が接続された場合には自動的にライブビューモードに移行するようにすることで、ライブビューモードに手動で切り替える手間が省け、操作性が向上する。
【０４３０】
〔付記３９〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを、光学式ビューファインダのアスペクト比を含む複数のアスペクト比の中から選択して表示可能な表示部と、生成された画像データ又はその画像データに所定の処理を施した画像データをリアルタイムで動画像として表示部に表示するよう制御するライブビューモードを有する制御部と、を備え、制御部は、表示アスペクト比が光学式ビューファインダのアスペクト比以外になるように設定されると、ライブビューモードに移行するよう制御する。
【０４３１】
光学式ビューファインダのアスペクト比は固定的に設定されているので、その設定アスペクト比以外の構図を有する画像は全体を表示できなかったり、表示できたとしても画像が小さくなって見えにくかったりする。したがって、光学式ビューファインダのアスペクト比以外の構図を有する画像は、電子ビューファインダで観察する方が見やすい。そこで、表示アスペクト比が光学式ビューファインダのアスペクト比以外になるように設定された場合には自動的にライブビューモードに移行するようにすることで、ライブビューモードに手動で切り替える手間が省け、操作性が向上する。
【０４３２】
〔付記４０〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、撮像光学系で形成する被写体像の光量を調節する絞りと、ユーザの操作に応じて、絞りの開口サイズを変更する絞り操作部と、生成された画像データ又はその画像データに所定の処理を施した画像データをリアルタイムで動画像として表示部に表示するよう制御するライブビューモードを有する制御部と、を備え、制御部は、絞り操作部が操作されると、ライブビューモードに移行するとともに生成された画像データ又はその画像データに所定の処理を施した画像データの一部を拡大して表示部に表示するよう制御する。
【０４３３】
これにより、絞り操作部の操作に応じて、ＯＶＦ動作中であっても、ライブビューモードに移行することができる。これにより、ライブビューモードに手動で切り替える手間が省け、操作性が向上する。また、被写界深度の確認が必要な場所を瞬時に拡大できるので、被写界深度の確認を容易にすることができる。
【０４３４】
〔付記４１〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、自装置の設定情報を表示することについてユーザの指示を受け付ける設定操作部と、生成された画像データ又はその画像データに所定の処理を施した画像データを表示するとともに、設定操作部の操作に応じて自装置の設定情報を表示する表示部と、生成された画像データ又はその画像データに所定の処理を施した画像データをリアルタイムで動画像として表示部に表示するよう制御するライブビューモードを有する制御部と、を備え、制御部は、ライブビューモードが設定されている状態において、設定操作部が操作されるのに応じて、ライブビューモードから抜けるとともに表示部に自装置の設定情報を表示させるよう制御する。
【０４３５】
ライブビュー画面に設定情報表示画面を重畳して表示すると、ライブビュー画面が見えにくい。このような場合には、設定情報表示画面は表示部で観察し、ライブビュー画面は光学式ビューファインダで観察できるように、両者を別々に表示するのが便利である。しかし、このような場合に、設定部の操作と光学式ビューファインダモードへの手動切り替えの両方の操作を要するのでは不便である。そこで、設定操作部が操作されるのに応じて、ライブビューモードから抜けるとともに表示部に自装置の設定情報を表示させることで、操作性が向上する。
【０４３６】
〔付記４２〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、生成された画像データ又はその画像データに所定の処理を施した画像データをリアルタイムで動画像として表示部に表示するよう制御するライブビューモードを有する制御部と、自装置の電源を入り切りするための電源操作部と、を備え、制御部は、ライブビューモードが設定されている状態において、電源操作部が自装置の電源を切る方向に操作されると、ライブビューモードから抜けて可動ミラーを撮像光学系の光路内に進入させるよう制御する。
【０４３７】
これにより、電源を切る前にＯＶＦモードに移行して可動ミラーをダウンさせるので、その後、電源ＯＦＦ状態になっても、光学式ビューファインダを用いて被写体像を観察できる。また、手動でＯＶＦモードに切り替える必要がないので、操作性がよくなる。
【０４３８】
〔付記４３〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、電池を収納する電池収納部を開閉する電池蓋と、生成された画像データ又はその画像データに所定の処理を施した画像データを表示する表示部と、生成された画像データ又はその画像データに所定の処理を施した画像データをリアルタイムで動画像として表示部に表示するよう制御するライブビューモードを有する制御部と、を備え、制御部は、ライブビューモードが設定されている状態において、電池蓋が開状態になると、ライブビューモードから抜けて可動ミラーを撮像光学系の光路内に進入させるよう制御する。
【０４３９】
これにより、電池を抜き取る前にＯＶＦモードに移行して可動ミラーをダウンさせるので、その後、電源ＯＦＦ状態になっても、光学式ビューファインダを用いて被写体像を観察できる。また、手動でＯＶＦモードに切り替える必要がないので、操作性がよくなる。
【０４４０】
〔付記４４〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、生成された画像データ又はその画像データに所定の処理を施した画像データをリアルタイムで動画像として表示部に表示するよう制御するライブビューモードを有する制御部と、電池を収納する電池収納部と、を備え、制御部は、ライブビューモードが設定されている状態において、電池収納部に収納された電池の電圧が低くなると、ライブビューモードから抜けて可動ミラーを撮像光学系の光路内に進入させるよう制御する。
【０４４１】
これにより、電池の電圧低下により電源が切れる前に可動ミラーをダウンさせることができるので、その後、電源ＯＦＦ状態になっても、光学式ビューファインダを用いて被写体像を観察できる。また、手動でＯＶＦモードに切り替える必要がないので、操作性がよくなる。
【０４４２】
〔付記４５〕
デジタルカメラは、被写体像を光学式ビューファインダへと導くために撮像光学系の光路内に対して進退自在に配設される可動ミラーを有し、撮像光学系に含まれる交換レンズを着脱可能なデジタルカメラであって、撮像光学系で形成された被写体像を撮像して画像データを生成する撮像素子と、生成された画像データ又はその画像データに所定の処理を施した画像データを表示する表示部と、生成された画像データ又はその画像データに所定の処理を施した画像データをリアルタイムで動画像として表示部に表示するよう制御するライブビューモードを有する制御部と、を備え、制御部は、ライブビューモードが設定されている状態において、装着されている交換レンズを取り外すと、ライブビューモードから抜けて可動ミラーを撮像光学系の光路内に進入させるよう制御する。
【０４４３】
ライブビューモードで交換レンズが取り外されると、撮像素子がむき出しになり、ほこり等が付着しやすくなる。そのため、交換レンズを取り外す前に、ライブビューモードからＯＶＦモードに移行しておく必要があるが、手動でＯＶＦモードに切り替えるのは手間である。そこで、上記のように、ライブビューモードが設定されている状態において、装着されている交換レンズを取り外すと、ライブビューモードから抜けて可動ミラーを撮像光学系の光路内に進入させる。これにより、交換レンズを取り外すと自動的に可動ミラーをダウンさせることができるので、操作性がよくなる。また、ユーザが交換レンズを取り外した時に可動ミラーをダウンさせる操作をしなくても、確実にダウンさせることができるので、可動ミラーにほこり等が付着しにくくなる。
【０４４４】
〔付記４６〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、撮像素子で生成された画像データに所定の処理を施した画像データを記憶する記憶手段と、記憶手段に記憶された画像データを外部装置に出力するための出力端子と、表示部が撮像素子で生成された画像データ又はその画像データに所定の処理を施した画像データをリアルタイムで動画像として表示している状態において、出力端子に外部装置からの端子が接続されると、可動ミラーを撮像光学系の光路内に進入させるとともに、記憶手段に記憶されている画像データを出力端子を介して外部装置に出力させるよう制御する制御部と、を備える。
【０４４５】
デジタルカメラに外部装置からの端子が接続された場合、ユーザは、デジタルカメラ内又はデジタルカメラに装着されたメモリカードに保存された画像データを外部装置に表示させようとしている場合が多い。このような場合に、外部装置に画像データを送りつつ、表示部にライブビュー表示をするとしたのでは、制御部の負担が大きくなってしまう。そのため、外部装置に画像データを送る場合、ライブビューモードを抜けるのが好ましいが、外部装置に接続する際、手動でライブビューモードから抜けるのでは手間がかかる。そこで、上記のように、出力端子に外部装置からの端子が接続されると、可動ミラーを撮像光学系の光路内に進入させるとともに、記憶手段に記憶されている画像データを出力端子を介して外部装置に出力させるよう制御する。これにより、外部装置に接続する際に自動的にライブビューモードから抜けることができるので操作性がよい。また、同時にＯＶＦモードに突入するので、光学式ビューファインダを用いてリアルタイム画像を観察することも可能である。
【０４４６】
〔付記４７〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを表示する表示部と、可動ミラーが光路内に進入した状態において、被写体像を受光して被写体から自装置までの距離に関する情報を測定する測距部と、測距部による測定結果に応じて撮像光学系を調節して被写体像のフォーカスを合わせるオートフォーカス部と、オートフォーカス部の起動についてユーザからの指示を受け付けるＡＦ開始指示受付部と、生成された画像データ又はその画像データに所定の処理を施した画像データをリアルタイムで動画像として表示部に表示するよう制御するライブビューモード、及びＡＦ開始指示受付部で指示を受け付けるとオートフォーカス部により継続的に被写体像のフォーカス状態を更新するコンティニュアスフォーカスモードを有する制御部と、を備え、制御部は、可動ミラーが被写体像を光学式ビューファインダへと導いているとき、コンティニュアスフォーカスモードでオートフォーカス部を制御可能である一方、ライブビューモードのとき、コンティニュアスフォーカスモードでオートフォーカス部の制御をしない。
【０４４７】
これにより、測距部を用いたオートフォーカス動作のみでコンティニュアスオートフォーカス動作を含むオートフォーカス動作を実現できる。
【０４４８】
〔付記４８〕
デジタルカメラは、被写体像を光学式ビューファインダへと導くために撮像光学系の光路内に対して進退自在に配設される可動ミラーを有するデジタルカメラであって、撮像光学系で形成された被写体像を撮像して画像データを生成する撮像素子と、生成された画像データ又はその画像データに所定の処理を施した画像データを保存する記憶手段と、生成された画像データ又はその画像データに所定の処理を施した画像データを表示する表示部と、生成された画像データ又はその画像データに所定の処理を施した画像データをリアルタイムで動画像として表示部に表示するよう制御するライブビューモードを有する制御部と、を備え、制御部は、記憶手段に記憶された画像データに基づいて、複数の縮小画像を生成し、それぞれ異なる画像処理を施し、その複数の縮小画像を並べて表示部に動画像として表示するよう制御する。
【０４４９】
複数の縮小画像をライブビュー画面として表示したので、各縮小画像の比較が容易にできる。特に、撮像条件の違いを電子的に実現することにより、記録用画像を撮像した際の画像を容易に把握できる。
【産業上の利用可能性】
【０４５０】
本発明は、可動ミラーを含むとともに被写体像を電子ビューファインダで観察できるデジタルカメラに適用可能である。例えば、デジタル一眼レフカメラ等に適用可能である。また、静止画撮像用のカメラのみならず動画撮像可能なカメラにも適用できる。
【符号の説明】
【０４５１】
１０  カメラ
１００  カメラボディ
１１０  マイコン
１１１  バッファ
１２１ａ、１２１ｂ  可動ミラー
１２５  焦点板
１２６  プリズム
１３０  ＣＭＯＳセンサ
１３２  ＡＦセンサ
１３４  超音波振動発生器
１３６  接眼レンズ
１４０ａ  メニュー釦
１４０ｊ  ＬＶプレビュー釦
１４１  レリーズ釦
１４２  電源スイッチ
１４３  電池ボックス
１５０  液晶モニタ
１５２  外部端子
１５５  リモコン受信部
２００  交換レンズ
２１０  ＣＰＵ
２２０  対物レンズ
２３０  ズームレンズ
２４２  絞りリング
２５１  補正レンズ
２５２  ジャイロセンサ
２６０  フォーカスレンズ
２６１  フォーカスモータ
２６２  フォーカスリング
３００  メモリカード
【図１】
2010020341.tif 000003
【図２】
2010020341.tif 000004
【図３】
2010020341.tif 000005
【図４】
2010020341.tif 000006
【図５】
2010020341.tif 000007
【図６】
2010020341.tif 000008
【図７】
2010020341.tif 000009
【図８】
2010020341.tif 000010
【図９】
2010020341.tif 000011
【図１０】
2010020341.tif 000012
【図１１】
2010020341.tif 000013
【図１２】
2010020341.tif 000014
【図１３】
2010020341.tif 000015
【図１４】
2010020341.tif 000016
【図１５】
2010020341.tif 000017
【図１６】
2010020341.tif 000018
【図１７】
2010020341.tif 000019
【図１８】
2010020341.tif 000020
【図１９】
2010020341.tif 000021
【図２０】
2010020341.tif 000022
【図２１】
2010020341.tif 000023
【図２２】
2010020341.tif 000024
【図２３】
2010020341.tif 000025
【図２４】
2010020341.tif 000026
【図２５】
2010020341.tif 000027
【図２６】
2010020341.tif 000028
【図２７】
2010020341.tif 000029
【図２８】
2010020341.tif 000030
【図２９】
2010020341.tif 000031
【図３０】
2010020341.tif 000032
【図３１】
2010020341.tif 000033
【図３２】
2010020341.tif 000034
【図３３】
2010020341.tif 000035
【図３４】
2010020341.tif 000036
【図３５】
2010020341.tif 000037
【図３６】
2010020341.tif 000038
【図３７】
2010020341.tif 000039
【図３８】
2010020341.tif 000040
【図３９】
2010020341.tif 000041
【図４０】
2010020341.tif 000042
【図４１】
2010020341.tif 000043